(57)【要約】  【解決手段】  携帯用照明装置（１０）は、第１のハウジング（３０）および、この第１のハウジング（３０）に対して旋回自在な照明装置ヘッド部（４０）を含む照明装置ハウジング（２０）と、照明装置ヘッド部（４０）内にある照明光源（４３）を含む、１若しくはそれ以上の光源（４３、Ｌ１、Ｌ２）と、１若しくはそれ以上の光源（４３、Ｌ１、Ｌ２）に選択的に通電するための電気スイッチ（２２、２０８）と、を含む場合がある。照明装置（１０）の他の特徴は、１若しくはそれ以上の光源（４３、Ｌ１、Ｌ２）の通電および／または通電停止のための第１のハウジング（３０）に対する照明装置ヘッド部（４０）の旋回位置の検出器（ＨＳ）と、１つもしくは複数の光源を有する場合がある後方を向いた光源（Ｌ１、Ｌ２）、あるいは、細長いクリップ（５０）か、旋回自在な細長いクリップ（５０）か、クリップ（５０）に装着自在な１若しくはそれ以上の付属部品か、これらの組合せと、を含む場合がある。  【選択図】      図１Ａ
2019511098.tif 000002
【特許請求の範囲】
【請求項１】
携帯用照明装置であって、
照明装置ハウジングであって、前方端部、後方端部、および当該前方端部と後方端部との間の長手軸を規定し、第１のハウジングと、当該第１のハウジングおよび前記長手軸に対して旋回自在な照明装置ヘッド部とを含むものである、前記照明装置ハウジングと、
前記照明装置ヘッド部内にある照明光源を含む、１若しくはそれ以上の光源であって、前記照明装置ヘッド部から外側に向かって光を向けるために選択的に通電可能である、前記１若しくはそれ以上の光源と、
前記１若しくはそれ以上の光源に選択的に通電して光を生成するための電気スイッチと、
前記照明装置ヘッド部の前記第１のハウジングに対する旋回位置の検出器であって、前記１若しくはそれ以上の光源に通電および／または前記１若しくはそれ以上の光源に対して通電停止するように構成されているものである、前記検出器と
を有する、携帯用照明装置。
【請求項２】
請求項１記載の携帯用照明装置において、前記１若しくはそれ以上の光源は前記照明装置ハウジング内に第２の光源を含み、前記電気スイッチは選択的に前記第２の光源に通電するものであり、前記検出器は前記第２の光源に通電および／または当該光源に対して通電停止するものである、携帯用照明装置。
【請求項３】
請求項２記載の携帯用照明装置において、前記第２の光源は、さらに、
第１の光生成要素によって生成された第１の光および第２の光生成要素によって生成された第２の光を受光するように構成された光学素子を有し、
前記光学素子は、前記第１の光および前記第２の光を前記照明装置ハウジングによって規定された前記長手軸に対して実質的に平行な方向に向けるように構成されているものである、携帯用照明装置。
【請求項４】
請求項１記載の携帯用照明装置において、前記検出器は、前記照明装置ヘッド部が前記第１のハウジングに対して所定の角度よりもより大きい角度だけ旋回したことを検出し、選択的に前記１若しくはそれ以上の光源に通電するものである、携帯用照明装置。
【請求項５】
請求項４記載の携帯用照明装置において、前記所定の角度は、
約６０度〜約９０度の範囲内であるか、または
約８５度〜約９０度の範囲内である、携帯用照明装置。
【請求項６】
請求項１記載の携帯用照明装置において、
前記検出器は、前記照明装置ヘッド部および前記第１のハウジングのうちの一方によって支持された磁石と、前記照明装置ヘッド部および前記第１のハウジングのうちの他方によって支持された磁界検出器とを有し、
前記磁界検出器は、前記照明装置ヘッド部が前記第１のハウジングに対して所定の角度だけ旋回したときに、前記磁石の磁界を検出するものである、
携帯用照明装置。
【請求項７】
請求項６記載の携帯用照明装置において、前記所定の角度は、
約６０度〜約９０度の範囲内であるか、または
約８５度〜約９０度の範囲内である、携帯用照明装置。
【請求項８】
請求項６記載の携帯用照明装置において、前記磁界検出器は、ホール効果センサまたはリードスイッチ（ｒｅｅｄ  ｓｗｉｔｃｈ）を含むものである、携帯用照明装置。
【請求項９】
請求項１記載の携帯用照明装置において、さらに、
前記照明装置ハウジングに取り付けられ、前記照明装置ハウジングに沿って実質的に長手方向に延びる細長いクリップ、または、
前記照明装置ハウジングにおいて前記照明光源の近位に取り付けられたハンガーリング、または、
前記照明装置ハウジングに取り付けられ、前記照明装置ハウジングに沿って実質的に長手方向に延びる細長いクリップ、および前記照明装置ハウジングにおいて前記照明光源の近位に取り付けられたハンガーリング、
を有するものである、携帯用照明装置。
【請求項１０】
請求項９記載の携帯用照明装置において、
当該携帯用照明装置が前記細長いクリップを含む場合、前記細長いクリップは前記照明装置ハウジング周りに回転自在に構成されており、
当該携帯用照明装置が前記ハンガーリングを含む場合、前記ハンガーリングは、前記照明装置ハウジングにおいて前記照明光源の近位に取り付けられ、前記照明装置ハウジングに隣接して格納されるとともに、前記照明装置ハウジングから離れる方向に配置されるものである、
携帯用照明装置。
【請求項１１】
携帯用照明装置であって、
照明装置ハウジングであって、前方端部、後方端部、および当該前方端部と後方端部との間の長手軸を規定し、第１のハウジングと、前記長手軸および前記第１のハウジングに対して旋回自在な照明装置ヘッド部とを含むものである、前記照明装置ハウジングと、
前記照明装置ヘッド部内にあり、前記照明装置ハウジングの前方端部から外側に向かって光を向けるために選択的に通電可能な照明光源と、
前記照明装置ヘッド部の後方端部から外側に向かって光を向けるために選択的に通電可能な第２の光源であって、第１の光を生成するように構成された少なくとも１つの第１の光生成要素を含むものである、前記第２の光源と、
前記照明光源、または前記第１の光生成要素、若しくは前記照明光源および前記第１の光生成要素に選択的に通電して光を生成するための電気スイッチと、
前記照明装置ヘッド部の前記第１のハウジングに対する旋回位置の検出器であって、前記第１の光生成要素に通電および／または前記第１の光生成要素に対して通電停止するように構成されているものである、前記検出器と
を有する、携帯用照明装置。
【請求項１２】
請求項１１記載の携帯用照明装置において、前記検出器は、前記照明装置ヘッド部が前記第１のハウジングに対して所定の角度よりもより大きい角度だけ旋回したことを検出し、選択的に前記第１の光生成要素に通電および／または前記第１の光生成要素に対して通電停止するものである、携帯用照明装置。
【請求項１３】
請求項１２記載の携帯用照明装置において、前記所定の角度は、
約６０度〜約９０度の範囲内であるか、または
約８５度〜約９０度の範囲内である、携帯用照明装置。
【請求項１４】
請求項１１記載の携帯用照明装置において、
前記検出器は、前記照明装置ヘッド部および前記第１のハウジングのうちの一方によって支持された磁石と、前記照明装置ヘッド部および前記第１のハウジングのうちの他方によって支持された磁界検出器とを有し、
前記磁界検出器は、前記照明装置ヘッド部が前記第１のハウジングに対して所定の角度だけ旋回したときに、前記磁石の磁界を検出するものである、
携帯用照明装置。
【請求項１５】
請求項１４記載の携帯用照明装置において、前記所定の角度は、
約６０度〜約９０度の範囲内であるか、または
約８５度〜約９０度の範囲内である、携帯用照明装置。
【請求項１６】
請求項１３記載の携帯用照明装置において、前記磁界検出器は、ホール効果センサまたはリードスイッチを含むものである、携帯用照明装置。
【請求項１７】
請求項１１記載の携帯用照明装置において、前記第２の光源は、さらに、
第２の光を生成するように構成された第２の光生成要素を含み、
前記電気スイッチは、光を生成するために、前記照明光源、前記第１の光生成要素、または前記第２の光生成要素、若しくは、前記照明光源、前記第１の光生成要素、および前記第２の光生成要素の任意の組み合わせに選択的に通電するものであり、
前記照明装置ヘッド部の前記第１のハウジングに対する旋回位置の検出器は、前記第１の光生成要素または前記第２の光生成要素、若しくは前記第１の光生成要素および前記第２の光生成要素の双方に通電および／または前記第１の光生成要素または前記第２の光生成要素、若しくは前記第１の光生成要素および前記第２の光生成要素に対して通電停止するものである、
携帯用照明装置。
【請求項１８】
請求項１７記載の携帯用照明装置において、前記第２の光源は、さらに、
第１の光生成要素によって生成された第１の光および前記第２の光生成要素によって生成された第２の光を受光するように構成された光学素子を有し、
前記光学素子は、前記第１の光および前記第２の光を後方かつ前記照明装置ハウジングによって規定された前記長手軸に対して実質的に平行な方向に向けるように構成されているものである、携帯用照明装置。
【請求項１９】
請求項１８記載の携帯用照明装置において、
前記光学素子は、前記照明装置ハウジングの後方端部から外側に、前記長手軸の方向に対して実質的に平行な軸に沿って光を向けるように構成された反射器を有し、
前記第１の光生成要素は、前記第１の光を前記反射器によって規定された軸に対して実質的に平行に向けるように構成されており、
前記第２の光生成要素は、前記第２の光を前記反射器によって規定された軸に対して実質的に横断方向に向けるように構成されており、前記反射器は、前記第２の光生成要素からの前記第２の光を当該反射器によって規定された軸に対して実質的に平行に向けるものである、
携帯用照明装置。
【請求項２０】
請求項１９記載の携帯用照明装置において、さらに、
電子回路基板を有し、
前記第１の光生成要素は、前記電子回路基板の表面に装着され、前記電子回路基板の表面に対して実質的に平行かつ前記反射器によって規定される軸に対して実質的に平行に光を向けるように構成されており、
前記第２の光生成要素は、前記電子回路基板の表面に装着され、前記電子回路基板の表面に対して実質的に横断方向に光を向けるように構成されており、
前記反射器は放物線状表面の一部を画成する反射面を有し、この放物線状表面は、放物線の軸および放物線の軸上の焦点を規定し、前記反射器はその基端部において開口しているものであり、
前記反射器は前記電子回路基板に隣接して配置されており、それにより、前記放物線の軸は前記電子回路基板の表面に対して実質的に平行となるものであり、
前記第１の光生成要素は前記反射器の基部の開口部を通して光を向けるものであり、前記第２の光生成要素は前記反射器の前記放物線状表面の実質的に焦点位置に配置されているものである、
携帯用照明装置。
【請求項２１】
請求項１９記載の携帯用照明装置において、さらに、
レンズであって、前記第１の光生成要素によって生成された前記第１の光および前記第２の光生成要素によって生成された前記第２の光が当該レンズを通過するように前記反射器に隣接して配置されているものである、前記レンズ、または、
フレネルレンズであって、前記第１の光生成要素によって生成された前記第１の光および前記第２の光生成要素によって生成された前記第２の光が当該フレネルレンズを通過するように前記反射器に隣接して配置されているものである、前記フレネルレンズ、
を有するものである、携帯用照明装置。
【請求項２２】
請求項１８記載の携帯用照明装置において、
前記光学素子は、前記照明装置ハウジングの後方端部から外側に、前記長手軸の方向に対して実質的に平行な軸に沿って光を向けるように構成された反射器と、前記照明装置ハウジングの後方端部から外側に光を向けるように構成され、前記長手軸と実質的に平行な軸を有するライトパイプ（ｌｉｇｈｔ  ｐｉｐｅ）とを有し、
前記第１の光生成要素は、光を前記ライトパイプ内に入射するように方向付けるものであり、
前記第２の光生成要素は、光を前記反射器によって規定された軸に対して実質的に横断方向に向けるように構成されており、前記反射器は、前記第２の光生成要素からの前記光を当該反射器によって規定された軸に対して実質的に平行に向けるものである、
携帯用照明装置。
【請求項２３】
請求項２２記載の携帯用照明装置において、さらに、
電子回路基板を有し、
前記第１の光生成要素は、前記電子回路基板の表面に装着され、光を前記ライトパイプ内に入射するように方向付けるものであり、
前記第２の光生成要素は、前記電子回路基板の表面に装着され、光を前記電子回路基板の表面に対して実質的に横断方向に向けるように構成されており、
前記反射器は放物線状表面の一部を画成する反射面を有し、この放物線状表面は、放物線の軸および放物線の軸上の焦点を規定し、
前記反射器は前記電子回路基板に隣接して配置されており、それにより、前記放物線の軸は前記電子回路基板の表面に対して実質的に平行となるものであり、前記第２の光生成要素は前記反射器の前記放物線状表面の実質的に焦点位置に配置されているものである、
携帯用照明装置。
【請求項２４】
請求項２２記載の携帯用照明装置において、さらに、
レンズであって、前記第１の光生成要素によって生成された前記第１の光および前記第２の光生成要素によって生成された前記第２の光が当該レンズを通過するように前記反射器に隣接して配置されているものである、前記レンズ、または、
フレネルレンズであって、前記第１の光生成要素によって生成された前記第１の光および前記第２の光生成要素によって生成された前記第２の光が当該フレネルレンズを通過するように前記反射器に隣接して配置されているものである、前記フレネルレンズ、
を有するものである、携帯用照明装置。
【請求項２５】
請求項１８記載の携帯用照明装置において、
前記光学素子は、内部反射する固体光学素子を有し、当該固体光学素子は、その第１の入力面および第２の入力面でそれぞれ受光した光を、前記照明装置ハウジングの後方端部の近位にある出力面から外側に、前記長手軸方向に対して実質的に平行な軸に沿って向けるように構成されているものであり、
前記第１の光生成要素は、前記第１の光を前記内部反射する固体光学素子の前記第１の入力面に入射するように方向付けるものであり、
前記第２の光生成要素は、前記第２の光を前記内部反射する固体光学素子の前記第２の入力面に入射するように方向付けるものである、
携帯用照明装置。
【請求項２６】
請求項２５記載の携帯用照明装置において、さらに、
電子回路基板を有し、
前記第１の光生成要素は、前記電子回路基板の表面に装着され、それにより、前記第１の光を前記内部反射する固体光学素子の前記第１の入力面に入射するように方向付けるものであり、
前記第２の光生成要素は、前記電子回路基板の表面に装着され、それにより、前記第２の光を前記内部反射する固体光学素子の前記第２の入力面に入射するように方向付けるものである、
携帯用照明装置。
【請求項２７】
請求項２５記載の携帯用照明装置において、前記内部反射する固体光学素子の前記出力面は、実質的に平面、曲面、またはフレネルレンズを画成するものである、
携帯用照明装置。
【請求項２８】
請求項１１記載の携帯用照明装置において、さらに、
前記第１のハウジングに隣接するとともに前記第１のハウジングに沿って、かつ、前記長手軸に対して実質的に平行に延びる細長いクリップと、
径方向に押圧された際に前記電気スイッチを作動させるプッシュボタン式アクチュエータであって、前記第１のハウジングの外面上において前記細長いクリップに対して実質的に正反対の位置に配置されているものである、前記プッシュボタン式アクチュエータと、
を有するものである、携帯用照明装置。
【請求項２９】
請求項１１記載の携帯用照明装置において、さらに、
前記照明装置ハウジングに取り付けられ、前記照明装置ハウジングに沿って実質的に長手方向に延びる細長いクリップ、または、
前記照明装置ハウジングに取り付けられたハンガーリング、または
前記照明装置ハウジングに取り付けられ、前記照明装置ハウジングに沿って実質的に長手方向に延びる細長いクリップおよび前記照明装置ハウジングに取り付けられたハンガーリング、
を有するものである、携帯用照明装置。
【請求項３０】
請求項２９記載の携帯用照明装置において、
当該携帯用照明装置が前記細長いクリップを含む場合、前記細長いクリップは前記照明装置ハウジング周りに回転自在に構成されており、
当該携帯用照明装置が前記ハンガーリングを含む場合、前記ハンガーリングは、前記照明装置ハウジングに隣接して格納されるとともに、前記照明装置ハウジングから離れる方向に配置されるものである、携帯用照明装置。
【請求項３１】
携帯用照明装置であって、
前方端部、後方端部、および当該前方端部と後方端部との間の長手軸を規定する照明装置ハウジングと、
前記照明装置ヘッド部の前方端部から外側に向かって光を向けるために選択的に通電可能な照明光源と、
前記照明装置ヘッド部の後方端部から外側に向かって光を向けるために選択的に通電可能な第２の光源であって、
選択的に第１の光を生成するように構成された第１の光生成要素と、
選択的に第２の光を生成するように構成された第２の光生成要素と、
光学素子であって、前記第１の光生成要素によって生成された前記第１の光および前記第２の光生成要素によって生成された前記第２の光を受光するように構成され、前記第１の光および前記第２の光を後方かつ前記照明装置ハウジングによって規定された前記長手軸に対して実質的に平行な方向に向けるように構成されているものである、前記光学素子と、
を含むものである、前記第２の光源と、
前記照明光源、前記第１の光生成要素、または前記第２の光生成要素、若しくは、前記照明光源、前記第１の光生成要素、および前記第２の光生成要素の任意の組み合わせに選択的に通電して光を生成するための電気スイッチと、
を有する、携帯用照明装置。
【請求項３２】
請求項３１記載の携帯用照明装置において、
前記光学素子は、前記照明装置ハウジングの後方端部から外側に、前記長手軸の方向に対して実質的に平行な軸に沿って光を向けるように構成された反射器を有し、
前記第１の光生成要素は、前記第１の光を前記反射器によって規定された軸に対して実質的に平行に向けるように構成されており、
前記第２の光生成要素は、前記第２の光を前記反射器によって規定された軸に対して実質的に横断方向に向けるように構成されており、前記反射器は、前記第２の光生成要素からの前記第２の光を当該反射器によって規定された軸に対して実質的に平行に向けるものである、
携帯用照明装置。
【請求項３３】
請求項３２記載の携帯用照明装置において、さらに、
電子回路基板を有し、
前記第１の光生成要素は、前記電子回路基板の表面に装着され、前記電子回路基板の表面に対して実質的に平行かつ前記反射器によって規定される軸に対して実質的に平行に光を向けるように構成されており、
前記第２の光生成要素は、前記電子回路基板の表面に装着され、前記電子回路基板の表面に対して実質的に横断方向に光を向けるように構成されており、
前記反射器は放物線状表面の一部を画成する反射面を有し、この放物線状表面は、放物線の軸および放物線の軸上の焦点を規定し、前記反射器はその基端部において開口しているものであり、
前記反射器は前記電子回路基板に隣接して配置されており、それにより、前記放物線の軸は前記電子回路基板の表面に対して実質的に平行となるものであり、
前記第１の光生成要素は前記反射器の基部の開口部を通して光を向けるものであり、前記第２の光生成要素は前記反射器の前記放物線状表面の実質的に焦点位置に配置されているものである、
携帯用照明装置。
【請求項３４】
請求項３２記載の携帯用照明装置において、さらに、
レンズであって、前記第１の光生成要素によって生成された光および前記第２の光生成要素によって生成された２の光が当該レンズを通過するように前記反射器に隣接して配置されているものである、前記レンズ、または、
フレネルレンズであって、前記第１の光生成要素によって生成された光および前記第２の光生成要素によって生成された光が当該フレネルレンズを通過するように前記反射器に隣接して配置されているものである、前記フレネルレンズ、
を有するものである、携帯用照明装置。
【請求項３５】
請求項３１記載の携帯用照明装置において、
前記光学素子は、前記照明装置ハウジングの後方端部から外側に、前記長手軸の方向に対して実質的に平行な軸に沿って光を向けるように構成された反射器と、前記照明装置ハウジングの後方端部から外側に光を向けるように構成され、前記長手軸と実質的に平行な軸を有するライトパイプとを有し、
前記第１の光生成要素は、光を前記ライトパイプ内に入射するように方向付けるものであり、
前記第２の光生成要素は、光を前記反射器によって規定された軸に対して実質的に横断方向に向けるように構成されており、前記反射器は、前記第２の光生成要素からの前記光を当該反射器によって規定された軸に対して実質的に平行に向けるものである、
携帯用照明装置。
【請求項３６】
請求項３５記載の携帯用照明装置において、さらに、
電子回路基板を有し、
前記第１の光生成要素は、前記電子回路基板の表面に装着され、光を前記ライトパイプ内に入射するように方向付けるものであり、
前記第２の光生成要素は、前記電子回路基板の表面に装着され、前記電子回路基板の表面に対して実質的に横断方向に光を向けるように構成されており、
前記反射器は放物線状表面の一部を画成する反射面を有し、この放物線状表面は、放物線の軸および放物線の軸上の焦点を規定し、
前記反射器は前記電子回路基板に隣接して配置されており、それにより、前記放物線の軸は前記電子回路基板の表面に対して実質的に平行となるものであり、前記第２の光生成要素は前記反射器の前記放物線状表面の実質的に焦点位置に配置されているものである、
携帯用照明装置。
【請求項３７】
請求項３５記載の携帯用照明装置において、さらに、
レンズであって、前記第１の光生成要素によって生成された光および前記第２の光生成要素によって生成された光が当該レンズを通過するように前記反射器に隣接して配置されているものである、前記レンズ、または、
フレネルレンズであって、前記第１の光生成要素によって生成された光および前記第２の光生成要素によって生成された光が当該フレネルレンズを通過するように前記反射器に隣接して配置されているものである、前記フレネルレンズ、
を有するものである、携帯用照明装置。
【請求項３８】
請求項３１記載の携帯用照明装置において、
前記光学素子は、内部反射する固体光学素子を有し、当該固体光学素子は、その第１の入力面および第２の入力面でそれぞれ受光した光を、前記照明装置ハウジングの後方端部の近位にある出力面から外側に、前記長手軸方向に対してほぼ平行な軸に沿って向けるように構成されているものであり、
前記第１の光生成要素は、前記第１の光を前記内部反射する固体光学素子の前記第１の入力面に入射するように方向付けるものであり、
前記第２の光生成要素は、前記第２の光を前記内部反射する固体光学素子の前記第２の入力面に入射するように方向付けるものである、
携帯用照明装置。
【請求項３９】
請求項３８記載の携帯用照明装置において、さらに、
電子回路基板を有し、
前記第１の光生成要素は、前記電子回路基板の表面に装着され、それにより、前記第１の光を前記内部反射する固体光学素子の前記第１の入力面に入射するように方向付けるものであり、
前記第２の光生成要素は、前記電子回路基板の表面に装着され、それにより、前記第２の光を前記内部反射する固体光学素子の前記第２の入力面に入射するように方向付けるものである、
携帯用照明装置。
【請求項４０】
請求項３８記載の携帯用照明装置において、
前記内部反射する固体光学素子の前記出力面は、実質的に平面、曲面、またはフレネルレンズを画成するものである、携帯用照明装置。
【請求項４１】
請求項３１記載の携帯用照明装置において、前記照明装置ハウジングは、当該ハウジングに対して旋回自在に装着された照明装置ヘッド部を含み、前記第１の光源は、前記照明装置ヘッド部によって支持されるものである、携帯用照明装置。
【請求項４２】
請求項４１記載の携帯用照明装置において、
前記照明装置ヘッド部を前記照明装置ハウジングに対して所定の角度よりもより大きい角度だけ旋回することにより、前記第１の光生成要素、前記第２の光生成要素、または前記第１の光生成要素および前記第２の光生成要素の双方が選択的に通電および／または通電停止されるものである、携帯用照明装置。
【請求項４３】
請求項４２記載の携帯用照明装置において、前記所定の角度は、
約６０度〜約９０度の範囲内であるか、または
約８５度〜約９０度の範囲内である、携帯用照明装置。
【請求項４４】
請求項４２記載の携帯用照明装置において、さらに、
前記照明装置ヘッド部および前記第１のハウジングのうちの一方によって支持された磁石と、前記照明装置ヘッド部および前記第１のハウジングのうちの他方によって支持された磁界検出器とを有し、
前記磁界検出器は、前記照明装置ヘッド部が前記第１のハウジングに対して所定の角度だけ旋回したときに、前記磁石の磁界を検出するものである、
携帯用照明装置。
【請求項４５】
請求項４４記載の携帯用照明装置において、前記所定の角度は、
約６０度〜約９０度の範囲内であるか、または
約８５度〜約９０度の範囲内である、携帯用照明装置。
【請求項４６】
請求項４４記載の携帯用照明装置において、前記磁界検出器は、ホール効果センサまたはリードスイッチを含むものである、携帯用照明装置。
【請求項４７】
請求項３１記載の携帯用照明装置において、さらに、
前記照明装置ハウジングの端部に取り付けられ、前記照明装置ハウジングに沿って実質的に長手方向に延びる細長いクリップ、または、
前記照明装置ハウジングの端部に取り付けられ、前記照明装置ハウジングに沿って実質的に長手方向に延びる細長いクリップであって、前記長手軸を中心として回転するように構成されているものである、前記細長いクリップ、
を有するものである、携帯用照明装置。
【請求項４８】
請求項４７記載の携帯用照明装置において、さらに、
前記細長いクリップに取り付けられるように構成された付属部品を有するものである、携帯用照明装置。
【請求項４９】
請求項４８記載の携帯用照明装置において、前記細長いクリップは、比較的幅広の部分と、比較的幅の狭い遠位端部とを有し、前記細長いクリップの前記比較的幅広の部分は着脱自在に前記付属部品と係合するものである、携帯用照明装置。
【請求項５０】
請求項４８記載の携帯用照明装置において、前記付属部品は、装着ブラケットと、アンビルおよび一対のネジを含む装着ブラケットと、バネで付勢された爪部と、磁石と、ハンガーと、ゲート状の開口部を有するハンガーと、またはこれらの組合せを含むものである、携帯用照明装置。
【請求項５１】
請求項４８記載の携帯用照明装置において、
前記付属部品は、前記細長いクリップの切り欠き部と係合するように構成された、バネで付勢された爪部、または、
前記付属部品は、前記照明装置ハウジングのリッジ部および／または溝部と相補的かつ、係合するように構成された１若しくはそれ以上のリッジ部および／または溝部を有するものであり、
それにより、前記付属部品は細長いクリップ上に保持されるものである、
携帯用照明装置。
【請求項５２】
請求項３１記載の携帯用照明装置において、さらに、
前記照明装置ハウジングに隣接するとともに前記照明装置ハウジングに沿って、かつ、前記長手軸に対して実質的に平行に延びる細長いクリップと、
径方向に押圧された際に前記電気スイッチを作動させるプッシュボタン式アクチュエータであって、前記照明装置ハウジングの外面上において前記細長いクリップに対して実質的に正反対の位置に配置されているものである、前記プッシュボタン式アクチュエータと、
を有するものである、携帯用照明装置。
【請求項５３】
請求項３１記載の携帯用照明装置において、さらに、
前記照明装置ハウジングにおいて前記照明光源の近位に取り付けられたハンガーリング、または、
前記照明装置ハウジングにおいて前記照明光源の近位に取り付けられ、前記照明装置ハウジングに隣接して格納されるとともに、前記照明装置ハウジングから離れる方向に配置されるハンガーリング、
を有するものである、携帯用照明装置。
【請求項５４】
請求項３１記載の携帯用照明装置において、前記照明光源は、
内部全反射型光学素子、または
実質的に平面な前面と、発光ダイオードに隣接する、実質的に円筒状の凹部を有する内部全反射型光学素子、
を有するものである、携帯用照明装置。
【請求項５５】
携帯用照明装置であって、
選択的に第１の光を生成するように構成された第１の光生成要素と、
選択的に第２の光を生成するように構成された第２の光生成要素と、
光軸を規定する光学素子であって、前記第１の光生成要素によって生成された前記第１の光および前記第２の光生成要素によって生成された前記第２の光を受光するように構成され、前記第１の光および前記第２の光を前記光軸に対して実質的に平行な方向に向けるように構成されているものである、前記光学素子と、
を有する、携帯用照明装置。
【請求項５６】
請求項５５記載の携帯用照明装置において、
前記光学素子は、光を外側に、かつ前記光軸の方向に対して実質的に平行な軸に沿って向けるように構成された反射器を有し、
前記第１の光生成要素は、前記第１の光を前記反射器によって規定された軸に対して実質的に平行に向けるように構成されており、
前記第２の光生成要素は、前記第２の光を前記反射器によって規定された軸に対して実質的に横断方向に向けるように構成されており、前記反射器は、前記第２の光生成要素からの前記第２の光を当該反射器によって規定された軸に対して実質的に平行に向けるものである、
携帯用照明装置。
【請求項５７】
請求項５６記載の携帯用照明装置において、さらに、
電子回路基板を有し、
前記第１の光生成要素は、前記電子回路基板の表面に装着され、前記電子回路基板の表面に対して実質的に平行かつ前記反射器によって規定される軸に対して実質的に平行に前記第１の光を向けるように構成されており、
前記第２の光生成要素は、前記電子回路基板の表面に装着され、前記電子回路基板の表面に対して実質的に横断方向に前記第２の光を向けるように構成されており、
前記反射器は放物線状表面の一部を画成する反射面を有し、この放物線状表面は、放物線の軸および放物線の軸上の焦点を規定し、前記反射器はその基端部において開口しているものであり、
前記反射器は前記電子回路基板に隣接して配置されており、それにより、前記放物線の軸は前記電子回路基板の表面に対して実質的に平行となるものであり、
前記第１の光生成要素は前記反射器の基部の開口部を通して光を向けるものであり、前記第２の光生成要素は前記反射器の前記放物線状表面の実質的に焦点位置に配置されているものである、
携帯用照明装置。
【請求項５８】
請求項５５記載の携帯用照明装置において、さらに、
レンズであって、前記第１の光生成要素によって生成された前記第１の光および前記第２の光生成要素によって生成された前記第２の光が当該レンズを通過するように前記反射器に隣接して配置されているものである、前記レンズ、または、
フレネルレンズであって、前記第１の光生成要素によって生成された前記第１の光および前記第２の光生成要素によって生成された前記第２の光が当該フレネルレンズを通過するように前記反射器に隣接して配置されているものである、前記フレネルレンズ、
を有するものである、携帯用照明装置。
【請求項５９】
請求項５５記載の携帯用照明装置において、
前記光学素子は、光を外側に、かつ前記光軸の方向に対して実質的に平行な軸に沿って向けるように構成された反射器と、光を外側に、かつ前記光軸の方向に対して実質的に平行な軸に沿って向けるように構成されたライトパイプとを有し、
前記第１の光生成要素は、前記第１の光を前記ライトパイプ内に入射するように方向付けるものであり、
前記第２の光生成要素は、前記第２の光を前記反射器によって規定された軸に対して実質的に横断方向に向けるように構成されており、前記反射器は、前記第２の光生成要素からの前記第２の光を当該反射器によって規定された軸に対して実質的に平行に向けるものである、
携帯用照明装置。
【請求項６０】
請求項５９記載の携帯用照明装置において、さらに、
電子回路基板を有し、
前記第１の光生成要素は、前記電子回路基板の表面に装着され、前記第１の光を前記ライトパイプ内に向けるように構成されており、
前記第２の光生成要素は、前記電子回路基板の表面に装着され、前記第２の光を前記電子回路基板の表面に対して実質的に横断方向に向けるように構成されており、
前記反射器は放物線状表面の一部を画成する反射面を有し、この放物線状表面は、放物線の軸および放物線の軸上の焦点を規定し、
前記反射器は前記電子回路基板に隣接して配置されており、それにより、前記放物線の軸は前記電子回路基板の表面に対して実質的に平行となるものであり、前記第２の光生成要素は前記反射器の前記放物線状表面の実質的に焦点位置に配置されているものである、
携帯用照明装置。
【請求項６１】
請求項５９記載の携帯用照明装置において、さらに、
レンズであって、前記第１の光生成要素によって生成された前記第１の光および前記第２の光生成要素によって生成された前記第２の光が当該レンズを通過するように前記反射器に隣接して配置されているものである、前記レンズ、または、
フレネルレンズであって、前記第１の光生成要素によって生成された前記第１の光および前記第２の光生成要素によって生成された前記第２の光が当該フレネルレンズを通過するように前記反射器に隣接して配置されているものである、前記フレネルレンズ、
を有するものである、携帯用照明装置。
【請求項６２】
請求項５５記載の携帯用照明装置において、
前記光学素子は、内部反射する固体光学素子を有し、当該固体光学素子は、その第１の入力面および第２の入力面でそれぞれ受光した光をその出力面から外側に、前記光軸に対して実質的に平行な軸に沿って向けるように構成されているものであり、
前記第１の光生成要素は、前記第１の光が前記内部反射する固体光学素子の前記第１の入力面に入射するように前記第１の光を方向付けるものであり、
前記第２の光生成要素は、前記第２の光が前記内部反射する固体光学素子の前記第２の入力面に入射するように前記第２の光を方向付けるものである、
携帯用照明装置。
【請求項６３】
請求項６２記載の携帯用照明装置において、さらに、
電子回路基板を有し、
前記第１の光生成要素は、前記電子回路基板の表面に装着され、それにより、前記第１の光を前記内部反射する固体光学素子の前記第１の入力面に入射するように方向付けるものであり、
前記第２の光生成要素は、前記電子回路基板の表面に装着され、それにより、前記第２の光を前記内部反射する固体光学素子の前記第２の入力面に入射するように方向付けるものである、
携帯用照明装置。
【請求項６４】
請求項６２記載の携帯用照明装置において、前記内部反射する固体光学素子の前記出力面は、実質的に平面、曲面、またはフレネルレンズを画成するものである、
携帯用照明装置。
【請求項６５】
請求項５５記載の携帯用照明装置において、さらに、
前記第１の光生成要素、前記第２の光生成要素、および前記光学素子を支持する照明装置ハウジングを有し、この照明装置ハウジングは、
前記照明装置ハウジングに取り付けられ、前記照明装置ハウジングに沿って延びる細長いクリップ、または、
前記照明装置ハウジングに取り付けられたハンガーリング、または、
前記照明装置ハウジングに取り付けられ、前記照明装置ハウジングに沿って延びる細長いクリップ、および前記照明装置ハウジングに取り付けられたハンガーリング、
を有するものである、携帯用照明装置。
【請求項６６】
請求項６５記載の携帯用照明装置において、
当該携帯用照明装置が前記細長いクリップを含む場合、前記細長いクリップは前記照明装置ハウジング周りに回転自在に構成されており、
当該携帯用照明装置が前記ハンガーリングを含む場合、前記ハンガーリングは、前記照明装置ハウジングに隣接して格納されるとともに、前記照明装置ハウジングから離れる方向に配置されるものである、
携帯用照明装置。
【発明の詳細な説明】
【技術分野】
【０００１】
本出願は、「ＰＯＲＴＡＢＬＥ  ＬＩＧＨＴ  ＨＡＶＩＮＧ  Ａ  ＦＯＲＷＡＲＤ  ＦＡＣＩＮＧ  ＬＩＧＨＴ  ＡＮＤ  Ａ  ＲＥＡＲＷＡＲＤ  ＦＡＣＩＮＧ  ＬＩＧＨＴ」と題する、２０１７年３月１６日の日付で出願されたＵＳ特許出願第１５／４６０，７０７号の優先権を主張する。この出願は、「ＬＩＧＨＴ  ＨＡＶＩＮＧ  Ａ  ＰＩＶＯＴＡＢＬＥ  ＨＥＡＤ，ＯＲ  ＳＩＭＩＬＡＲ  ＡＲＴＩＣＬＥ」と題する、２０１６年４月５日に出願された、米国特許出願第２９／５６０，２７１号の一部継続出願である。
【０００２】
本出願は、「ＰＯＲＴＡＢＬＥ  ＬＩＧＨＴ  ＨＡＶＩＮＧ  Ａ  ＦＯＲＷＡＲＤ  ＦＡＣＩＮＧ  ＬＩＧＨＴ  ＡＮＤ  Ａ  ＲＥＡＲＷＡＲＤ  ＦＡＣＩＮＧ  ＬＩＧＨＴ」と題する、２０１６年９月２７日の日付で出願された米国仮特許出願第６２／４００，２８４号の優先権の利益をも主張し、また、やはり、「ＰＯＲＴＡＢＬＥ  ＬＩＧＨＴ  ＨＡＶＩＮＧ  Ａ  ＦＯＲＷＡＲＤ  ＦＡＣＩＮＧ  ＬＩＧＨＴ  ＡＮＤ  Ａ  ＲＥＡＲＷＡＲＤ  ＦＡＣＩＮＧ  ＬＩＧＨＴ」と題する、２０１６年４月１５日の日付で出願された、米国仮特許出願第６２／３２３，０３５号の優先権の利益を主張する。これら文献の各々は、これにより、その全体を参照することによって本明細書に組み込まれる。
【０００３】
本出願は、携帯用照明装置に関し、具体的には、旋回自在ヘッドを有する携帯用照明装置に関する。
【背景技術】
【０００４】
携帯用照明装置は、たとえば、旋回自在ヘッドの位置の検出器を有する場合があるか、前方を向いた照明装置および後方を向いた照明装置を有する場合があるか、クリップを有する場合があるか、クリップに取付け可能な付属部品を有する場合があるか、これらの組合せを有する場合がある。
【０００５】
携帯用照明装置は、たとえば照明のための、通常は前方を向いた照明装置を提供する。携帯用照明装置が、ユーザの前方のエリアを照らすためにのみ採用されているわけではなく、ユーザの位置を特定するためにも採用されている場合、後方を向いた照明装置が、照明装置の位置のインジケータとして提供される場合がある。一般的なそのような用途の１つが、たとえば、煙、霧、雨、雪、または、視認性を低減する他の空気で運ばれる物質によって視認性が制限され、危機的環境が存在する場合があるエリア内に配置される場合がある、消防士、ならびに、軍事および産業の関係者などの個人のためのものである。
【０００６】
そのような照明装置の優れた例の１つが、ペンシルバニア州ＥａｇｌｅｖｉｌｌｅのＳｔｒｅａｍｌｉｇｈｔ，Ｉｎｃ．から利用可能である、ＶＡＮＴＡＧＥ（登録商標）のヘルメットに装着自在のタクティカル照明装置である。ＶＡＮＴＡＧＥ（登録商標）の照明装置は、前方に向いた白色の照明ビームと、単一の後方を向いた明るい青か緑のＬＥＤ（発光ダイオード）の位置表示光ビームを提供し、また、つまみネジを有する恒久的に取付けられたブラケットを有している。このつまみネジにより照明装置が、よく知られているように、ヘルメット、硬い帽子、または他のヘッドギアの縁に取り付けられている場合があり、それにより、照明および青のセーフティビームが適切に向けられるようになっている。ブラケットは、照明装置の前方から後方への軸に対して横断する１つの軸周りに回転自在であり、これにより、照明装置、たとえば、前方に向いた照明ビームを、所望の方向に向けるための１つの自由度が提供される。
【発明の概要】
【課題を解決するための手段】
【０００７】
本出願人は、照明装置の１若しくはそれ以上の光源に選択的に通電および／または通電停止するために、照明装置の部品の旋回に応じる照明装置を必要とする場合があると考えている。
【０００８】
本出願人は、照明装置の向きにおける２以上の自由度を提供する照明装置、および／または、代替的には、恒久的に取り付けられた、ヘルメット装着ブラケットまたは他の付属部品によって制限されない照明装置が必要とされる場合があるとも考えている。
【０００９】
したがって、携帯用照明装置は、第１のハウジング、および、この第１のハウジングに対して旋回自在である照明装置ヘッド部を含む照明装置ハウジングと、照明装置ヘッド部に照明光源を含む１若しくはそれ以上の光源と、１若しくはそれ以上の光源に選択的に通電するための電気スイッチと、１若しくはそれ以上の光源の通電および／または通電停止のための第１のハウジングに対する照明装置ヘッド部の旋回位置の検出器と、を含む場合がある。
【００１０】
別の態様では、携帯用照明装置は、第１のハウジング、および、この第１のハウジングに対して旋回自在である照明装置ヘッド部を含む照明装置ハウジングと、照明装置ハウジングから外側に光を向けるための、照明装置ヘッド部内の照明光源と、第１の光を生成するための第１の光生成要素、および、第２の光を生成するための第２の光生成要素を含む第２の光源と、照明光源、第１の光生成要素、および第２の光生成要素の任意の組合せに選択的に通電して、光を生成するための電気スイッチと、第１の光生成要素および／または第２の光生成要素に通電および／または通電停止するための、第１のハウジングに対する照明装置ヘッド部の旋回位置の検出器と、を含む場合がある。
【００１１】
さらに、携帯用照明装置は、照明装置ハウジングと、照明装置ハウジングから外側に光を向けるための、選択的に通電可能な照明光源と、照明装置ハウジングから外側に光を向けるための、選択的に通電可能な第２の光源であって、この第２の光源が、第１の光を選択的に生成するように構成された第１の光生成要素、第２の光を選択的に生成するように構成された第２の光生成要素、ならびに、照明装置ハウジングからの第１の光および第２の光を向けるための、第１の光および第２の光を受光するように構成された光学素子を含んでいる、第２の光源と、照明光源、第１の光生成要素、および第２の光生成要素の任意の組合せに選択的に通電して、光を生成するための電気スイッチと、を含む場合がある。
【００１２】
別の態様では、携帯用照明装置は、第１のハウジングおよび、この第１のハウジングに対して旋回自在な照明装置ヘッド部を含む照明装置ハウジングと、第１のハウジングに対して隣接するとともに、第１のハウジング周りに回転自在な細長いクリップと、照明装置ヘッド部内にあり、照明装置ハウジングから外側に光を向けるために、選択的に通電可能な照明光源と、照明装置ハウジングから外側に光を向けるために、選択的に通電可能な第２の光源と、照明光源および／または第２の光源に選択的に通電して、光を生成するための電気スイッチと、電気スイッチを作動させるための、細長いクリップの中心位置に対して実質的に正反対の第１のハウジングの外面上に位置するアクチュエータと、を含む場合がある。
【００１３】
さらに別の態様によれば、携帯用光源は、第１の光を選択的に生成する第１の光生成要素と、第２の光を選択的に生成する第２の光生成要素と、光学素子であって、第１の光および第２の光を、光学素子によって規定された光軸に対して実質的に平行な方向に向けるために、第１の光および第２の光を受光するように構成された光学素子と、を含む場合がある。
【００１４】
さらなる態様では、携帯用照明装置は、照明装置ハウジングと、光を外側に向けるための、照明装置ハウジング内の照明光源と、照明光源に選択的に通電するための電気スイッチと、照明装置ハウジングに対して隣接するとともに、照明装置ハウジング周りに回転自在な細長いクリップと、照明装置ハウジングに隣接して細長いクリップに取り付けられるように構成された付属部品であって、それにより、細長いクリップおよび付属部品が照明装置ハウジング周りを回転自在である、付属部品と、を含む場合がある。
【００１５】
さらに別の態様では、携帯用照明装置は、１若しくはそれ以上のリッジ部および／または溝を上に有する照明装置ハウジングと、光を外側に向けるための、照明装置ハウジング内の照明光源と、照明光源に選択的に通電するための電気スイッチと、照明装置ハウジングに対して隣接するとともに、照明装置ハウジング周りに回転自在な細長いクリップと、照明装置ハウジングに隣接して細長いクリップに取り付けられるように構成された付属部品であって、付属部品が、照明装置ハウジングのリッジ部および／または溝と相補的かつ、係合するように構成された１若しくはそれ以上のリッジ部および／または溝を付属部品の上に有し、それにより、細長いクリップおよび付属部品が照明装置ハウジング周りを回転自在である、付属部品と、を含む場合がある。
【００１６】
本明細書に記載および／または請求される装置をまとめると、本明細書の詳細な説明に記載されている概念および／または要素および／または工程の選択が作成されるか単純化される。いずれの概要も、請求される主題に関する、鍵となる特徴、要素、および／もしくは工程、または、基本的な特徴、要素、および／もしくは工程を識別することが意図されておらず、そのため、請求される主題の範囲および要旨を限定もすることは意図せず、限定または規定するものとは解釈されないものとする。
【００１７】
好ましい実施形態（複数の場合もある）の詳細な説明は、図面の各図と関連して読むと、より容易かつより良好に理解される。図面には、以下が含まれる。
【図面の簡単な説明】
【００１８】
【図１Ａ】本装置に係る携帯用照明装置の例示的実施形態の斜視図である。
【図１Ｂ】本装置に係る携帯用照明装置の例示的実施形態の斜視図である。
【図１Ｃ】装着ブラケットを有する本装置に係る携帯用照明装置の例示的実施形態の斜視図である。
【図１Ｄ】装着ブラケットを有する本装置に係る携帯用照明装置の例示的実施形態の斜視図である。
【図２Ａ】１つの位置に移動した、照明装置の旋回自在な照明装置ヘッド部を示す、図１Ａから図１Ｄの例示的照明装置の図である。
【図２Ｂ】１つの位置に移動した、照明装置の旋回自在な照明装置ヘッド部を示す、図１Ａから図１Ｄの例示的照明装置の図である。
【図２Ｃ】１つの位置に移動した、照明装置の旋回自在な照明装置ヘッド部を示す、図１Ａから図１Ｄの例示的照明装置の図である。
【図２Ｄ】１つの位置に移動した、照明装置の旋回自在な照明装置ヘッド部を示す、図１Ａから図１Ｄの例示的照明装置の図である。
【図３Ａ】図１Ａから図１Ｄの例示的照明装置の一方の側面図である。
【図３Ｂ】図１Ａから図１Ｄの例示的照明装置の上面図である。
【図３Ｃ】図１Ａから図１Ｄの例示的照明装置の底面図である。
【図３Ｄ】図１Ａから図１Ｄの例示的照明装置の前端部の図である。
【図３Ｅ】図１Ａから図１Ｄの例示的照明装置の後端部の図である。
【図４Ａ】照明装置の様々な部品を示す、図１Ａから図１Ｄの例示的照明装置の分解図である。
【図４Ｂ】照明装置の様々な部品を示す、図１Ａから図１Ｄの例示的照明装置の分解図である。
【図４Ｃ】照明装置ボディ部の部品の部分分解斜視図であり、クリップのアタッチメント、および、照明装置のボディ部周りのアタッチメントの回転を示している。
【図４Ｄ】照明装置ボディ部の部品の部分分解斜視図であり、クリップのアタッチメント、および、照明装置のボディ部周りのアタッチメントの回転を示している。
【図４Ｅ】照明装置ボディ部の部品の部分分解斜視図であり、クリップのアタッチメント、および、照明装置のボディ部周りのアタッチメントの回転を示している。
【図４Ｆ】照明装置ボディ部の部品の部分分解斜視図であり、クリップのアタッチメント、および、照明装置のボディ部周りのアタッチメントの回転を示している。
【図５Ａ】様々な平面で取られた、図１Ａから図１Ｄの例示的照明装置の断面図である。
【図５Ｂ】様々な平面で取られた、図１Ａから図１Ｄの例示的照明装置の断面図である。
【図５Ｃ】様々な平面で取られた、図１Ａから図１Ｄの例示的照明装置の断面図である。
【図５Ｄ】様々な平面で取られた、図１Ａから図１Ｄの例示的照明装置の断面図である。
【図５Ｅ】様々な平面で取られた、図１Ａから図１Ｄの例示的照明装置の断面図である。
【図６Ａ】照明装置のセーフティ照明装置の特徴の例示的実施形態を示す、図１Ａから図１Ｄの例示的照明装置の断面図である。
【図６Ｂ】照明装置の細部の拡大図である。
【図６Ｃ】照明装置のセーフティ照明装置の特徴の例示的実施形態を示す、図１Ａから図１Ｄの例示的照明装置の断面図である。
【図６Ｄ】照明装置の細部の拡大図である。
【図７Ａ】図１Ａから図１Ｄの例示的な照明装置のクリップに取り付けられたクランプブラケットの例示的実施形態を示す斜視図である。
【図７Ｂ】図１Ａから図１Ｄの例示的な照明装置のクリップに取り付けられたクランプブラケットの例示的実施形態を示す斜視図である。
【図７Ｃ】クランプブラケットの例示的実施形態の拡大図である。
【図７Ｄ】クランプブラケットの例示的実施形態の拡大図である。
【図７Ｅ】クリップに取り付けられた例示的クランプブラケットの斜視図である。
【図７Ｆ】クリップに取り付けられた例示的クランプブラケットの斜視図である。
【図７Ｇ】例示的クランプブラケットの平面図である。
【図８−１】図１Ａから図１Ｄの例示的照明装置での使用に適切な電子回路の例示的実施形態の概略図である。
【図８−２】図１Ａから図１Ｄの例示的照明装置での使用に適切な電子回路の例示的実施形態の概略図である。
【図９Ａ−Ｅ】例示的セーフティ照明装置の特徴の、後方に向けられた光源および光学素子の例に関する代替的実施形態を含む図である。
【図９Ｆ−Ｊ】例示的セーフティ照明装置の特徴の、後方に向けられた光源および光学素子の例に関する代替的実施形態を含む図である。
【図１０Ａ】携帯用照明装置１０のクリップに装着自在な付属部品の様々な例の代替的実施形態を示す図である。
【図１０Ｂ】携帯用照明装置１０のクリップに装着自在な付属部品の様々な例の代替的実施形態を示す図である。
【図１０Ｃ】携帯用照明装置１０のクリップに装着自在な付属部品の様々な例の代替的実施形態を示す図である。
【図１０Ｄ】図１０Ｃの例示的装置の分解図である。
【図１１Ａ】格納位置にある、展開可能かつ格納可能なハンガーを照明装置の照明装置ボディ部の端部に有する例示的照明装置の斜視図である。
【図１１Ｂ】展開位置にある、展開可能かつ格納可能なハンガーを照明装置の照明装置ボディ部の端部に有する例示的照明装置の斜視図である。
【図１２】照明装置に取り付けられたブラケットの代替的な例示的実施形態を有する例示的照明装置の斜視図である。
【図１２Ａ】代替的な例示的ブラケットの斜視図である。
【図１２Ｂ】本明細書に記載の例示的照明装置の実施形態のいずれかとともに使用可能なクリップの代替的な例示的実施形態の斜視図である。
【図１２Ｃ】本明細書に記載の例示的照明装置の実施形態のいずれかとともに使用可能なクリップの代替的な例示的実施形態の斜視図である。
【図１３】内部に固体の光学素子を含む、本明細書に記載の例示的照明装置のヘッドの側断面図である。
【発明を実施するための形態】
【００１９】
図面において、ある要素または特徴が２つ以上の図に記載されている場合、同じ符号が、そのような要素または特徴を各図で特定するために使用される場合がある。また、密に関連するか変更された要素が図に示されている場合、同じ参照符号にプライムが付される場合がある。類似の要素または特徴は、図面の異なる図において同様の参照符号によって特定される場合があり、本明細書において同様の用語で特定される場合がある。概して、図面の様々な特徴は、拡縮して示されておらず、様々な特徴の寸法は、明確化のため、任意に拡大されるか低減されている場合があり、また、いずれの図に示されているいずれの値も、もっぱら例示のためのものである。
【００２０】
図１Ａおよび図１Ｂはそれぞれ、本装置に係る携帯用照明装置１０の例示的実施形態の２つの斜視図である。図１Ｃおよび図１Ｄは、装着ブラケット６０を有する本装置に係る携帯用照明装置１０の例示的実施形態の２つの斜視図である。図２Ａから図２Ｄは、様々な交互の位置に移動した、照明装置の旋回自在な照明装置ヘッド部４０を示す、図１Ａから図１Ｄの例示的照明装置１０の様々な図である。図３Ａから図３Ｅは、それぞれ、図１Ａから図１Ｄの例示的照明装置１０の一方の側面図、上面図、底面図、前端部の図、および後端部の図である。
【００２１】
携帯用照明装置１０は、照明装置ボディ部２０を含むとともに、前方端部１２と、後方端部またはテール端部１４とを有しており、前方端部１２とテール端部１４との間には、長手軸１６が規定されている。照明装置ボディ部２０は、ハウジング３０と、１若しくはそれ以上のヒンジピンまたは枢軸ピン３７を含むヒンジまたは旋回軸３６によってハウジング３０に旋回自在に取り付けられた照明装置ヘッド部４０とを含んでいる。ハウジング３０は、好ましくは、電源、たとえばバッテリを収容するための内部キャビティを有し、このバッテリはテールキャップ２４を取り外すことによってアクセスできる。照明装置ボディ部２０は、照明装置１０の光源または複数の光源を選択的に制御するためのアクチュエータ２２も含み、後方を向いたレンズ２６を有し、また、照明装置ボディ部２０の後方端部１４を閉じる、取外し可能なテールキャップ２４を有する。
【００２２】
照明装置ボディ部２０上の押圧アクチュエータ２２は、照明装置１０の内部、たとえば、ハウジング３０の内部の電気スイッチを作動させ、これにより、照明装置ヘッド部４０が前方方向に向けられている場合は、照明装置ヘッド部４０に含まれる第１の光源が制御可能に通電されて軸１６に対して実質的に平行な前方方向に光が生成され、また、後方を向いたレンズ２６の後方にある第２の光源が制御可能に通電されて軸１６に対して実質的に平行な後方方向に光が生成される。
【００２３】
照明装置ヘッド部４０は、２つの支持アーム４４を含むヘッド部ハウジング４２を含んでいる。この２つの支持アーム４４は、照明装置ヘッド部４０が照明装置ハウジング３０に対して旋回自在であるように、ヒンジまたは旋回軸３６との接続のために、ヘッド部ハウジング４２から後方に延びている。照明装置ヘッド部４０は、照明装置ハウジング３０および長手軸１６に対して上下に、たとえば少なくとも約９０度だけ旋回する。旋回の約＋４５度、約＋９０度、約−４５度、および約−９０度における照明装置ヘッド部４０の例示的な交互の位置が図示されているが、照明装置ヘッド部４０は、旋回の約＋９０度と約−９０度との間の任意の所望の代替的位置に移動し、また、その位置に置かれる場合がある。
【００２４】
レンズ４６は、内部の光源によって生成された光を通すために、照明装置ヘッド部４０の前方端部１２に設けられている。レンズ４６は、レンズリング４８によってヘッド部ハウジング４２に保持されている。レンズリング４８は、取外し可能であるようにネジが切られているか、たとえばプレスフィット、接着材、超音波溶接、または別の適切な手段により、恒久的に取り付けられている。レンズ４６を通して発せられる、照明装置ヘッド部４０の光源によって生成される光は、通常、照明ビーム、たとえば、携帯用照明装置には一般的である比較的細いかスポット状のビームである。
【００２５】
レンズ２６は、ハウジング３０内の光源によって生成された光を、概して後方方向に、たとえば、長手軸１６に対して実質的に平行に通すために、照明装置１０の後方端部１４の近位に設けられている。いくつかの用途では、レンズ２６から後方に発せられる光により、セーフティビームまたはビーコンが与えられる。このセーフティビームまたはビーコンにより、照明装置１０、そしてひいては、照明装置１０のユーザおよび／または着用者の位置が特定される。１つの一般的なセーフティ照明装置の状況には、通常は青いセーフティビーコンを有する消防士が含まれる。青いセーフティビーコンは、火が、赤−オレンジ−黄色のスペクトルの端部の著しい光を放つ、火と煙の環境においては、識別がいくらか容易である。レンズ２６を介して発せられる光は、好ましくは、比較的広いか、放射状のビームであり、それにより、光が、比較的広い方向のレンジにわたって視認可能であるようになっており、また、任意の所望の色または複数の色である場合がある。
【００２６】
クリップ５０、たとえば、細長いクリップ５０は、照明装置１０が、ポケット、ベルト、ベスト、ツールキャリア、構造、または他の対象などの対象に取り付けることができる、たとえばクリップできるように設けられている。クリップ５０は、クリップ端部５２Ｎが照明装置ボディ部２０に密に隣接した状態で、照明装置ボディ部２０の外部、たとえばハウジング３０に沿って長手方向に延びる細長いクリップアーム５２を有している。クリップ５０は、好ましくは、弾性またはバネ材料で形成され、それにより、クリップアーム５２が、照明装置ボディ部２０から外に移動できるようになっており、また、開放されると、クリップアーム５２と照明装置ボディ部２０との間にある対象は何でも、照明装置ボディ部２０に対して押し付ける傾向にあり、それにより、照明装置１０を、その対象に対して比較的しっかりと取り付ける。
【００２７】
好ましくは、クリップ５０は、照明装置ボディ部２０および長手軸１６の周りを、少なくとも制限された回転範囲にわたって回転するように構成されている。この制限された回転範囲は、たとえば、約４５度以下の回転であり、たとえば、好ましくはアクチュエータ２２とは真逆であるとともに、ヒンジまたはピボット３６の軸から約９０度である、その中心位置からいずれかの方向に約±２２．５度である。１つの例示的な実施形態では、クリップ５０は、ハウジング３０周りに約±１５度だけ回転自在であり、このクリップ５０の端部は、ハウジング３０の前方端部において柱部に取り付けられており、エンドキャップ３４によってハウジング上に保持されている。こうして、クリップ５０がハウジング３０に対して移動（回転）すると、クリップアーム５２の遠位端部５２Ｎが、ハウジング３０の外側表面に隣接する円弧状の経路にわたって移動する。
【００２８】
顕著な利点が、照明装置ヘッド部４０をハウジング３０に対して配置するための２つの自由度を提供することの結果であるように見られる。１つの自由度は、照明装置ヘッド部４０の、ハウジング３０に対する旋回自在性に起因し、第２の自由度は、クリップ５０の、ハウジング３０に対する回転自在性に起因する。
【００２９】
たとえば、ユーザが照明装置１０をポケットまたは他の特徴に、ユーザの前方において、照明装置ボディ部２０が概して垂直であるように、クリップで取り付ける場合、照明装置ヘッド部４０は、光を前方または前方−上方の方向に、たとえば、作業場所に向けるように、上下に旋回する場合があり、また、さらに、照明装置１０は、照明装置ハウジング３０とクリップ５０との相対的回転自在性を使用して、左または右に回転する場合がある。さらにまた、後方を向いたレンズ２６を通して光を生成する光源が、照明装置１０がそのように人にクリップで取り付けられた状態で通電された場合、レンズ２６を通して発せられる光は、ユーザが立っている表面を照射するように、下方に向けられており、それにより、移動の安全性を向上させている。
【００３０】
クランプまたはブラケット６０は、照明装置１０で使用するために設けられる場合があり、それにより、照明装置１０が、たとえば、消防士のヘルメット、別のヘルメット、硬い帽子などの硬い対象の縁部に取り付けられるか装着される場合がある。装着ブラケット６０は、好ましくは、ある形状のクランプ部材６２、たとえば、対象の縁部が挿入される場合があるとともに、たとえば１若しくはそれ以上のクランプネジ６３を締め付けることにより、その中に固定される場合がある、開いた側を有する、Ｃ形状のクランプ部材６２を含んでいる。クランプ部材６２は、好ましくは、クランプネジ６３から離れたその端部において、照明装置１０に取り付けられるか、接続される。
【００３１】
こうして、照明装置１０は、装着ブラケット６０が取り付けられる対象によって支持されている。通常の用途では、照明装置１０は、ヘルメットまたは他のヘッドギアの下側縁部に、通常はユーザの頭部の側部に近いある位置において取り付けられており、それにより、長手軸１６が、概して水平に近く、前方および後方を指し、それにより、レンズ４６を通して発せられる光が、概してユーザの前方に向けられ、かつ、レンズ２６を通して発せられる光が、概してユーザの後方に向けられるようになっている。
【００３２】
クランプ部材６２の好ましい実施形態は、クランプネジ６３から遠位にあるその端部において、基部６４を有している。この基部６４からは、一対のブラケットアーム６６が外側に延びて、間に空間または通路を規定している。各ブラケットアーム６６と基部６４との交差部の近くの、各ブラケットアーム６６の内側に向いた表面上には、それぞれの溝６７がある。ともに、２つの溝６７は、クリップ５０の細長いクリップアーム５２を受光するようなサイズおよび形状の空間を規定し、それにより、装着ブラケット６０が、クリップアーム５２上にスリップし、また、クリップアーム５２から離れる場合があり、それにより、装着ブラケット６０および照明装置１０が好都合に取付けおよび分離される場合がある。
【００３３】
通常の使用においては、装着ブラケット６０は、ヘルメットまたは他のヘッドギア上に保持されるよう取り付けられると考えられ、一方、照明装置１０は、クリップ５０のクリップアーム５２をブラケット６０の溝６７に挿入することによって取り付けられ、溝６７から外すことによって取り外される。クリップアーム５２は、ブラケット６０の溝６７内にしっかりと保持することができる、比較的広い部分５２Ｂと、ブラケットアーム６４間の空間を通過し、それにより、クリップ５０をそこから分けることを可能にするようになっている、比較的細い端部５２Ｎとを有していることに留意されたい。
【００３４】
図４Ａおよび図４Ｂは、照明装置の様々な部品を示す、図１Ａから図１Ｄの例示的照明装置の分解図である。図４Ｃから図４Ｆは、照明装置ボディ部の部品の部分分解斜視図であり、クリップのアタッチメント、および、照明装置のボディ部周りのアタッチメントの回転を示している。図５Ａから図５Ｅはそれぞれ、様々な平面で取られた、図１Ａから図１Ｄの例示的照明装置の様々な断面図である。
【００３５】
照明装置１０のためのメインのハウジングであるハウジング３０は、電力源、たとえば、ＣＲ−１２３リチウムバッテリ、または、１８６５０のタイプのリチウムイオンバッテリ、または、ＡＡアルカリバッテリなどのバッテリを受光するための内部キャビティを有している。バッテリは、テールキャップ２４が取り外された際、たとえば、回して開けられた際に、内部キャビティの後方端部を通して取付けおよび取外しをすることができる。シールリング３０Ｓ、たとえばＯリングは、ハウジング３０の外側にネジが切られた端部の周りの周溝３０Ｇに配置されている。環状接触リング３０Ｒは、テールキャップ２４の内側凹部に配置されるとともに保持される接触バネ２４Ｓの外側リングと電気接触するために、ハウジング３０、たとえば、ハウジング３０のネジが切られた端部の後方端部に着座されている。
【００３６】
ハウジング３０の頂部上の円形の特徴３０Ｃ内の円形の開口部は、弾性のスイッチブートまたはカバー２２Ｃによってカバーされたスイッチプランジャ２２Ｐを受光する。スイッチブート２２Ｃは、接着材、超音波溶接、または別の適切な固定手段によって固定される場合がある保持リング２２Ｒによって定位置に保持されている。スイッチブート２２Ｃが押圧されると、スイッチブート２２Ｃおよびプランジャ２２Ｐが、ハウジング３０の内側に向かって移動して、ハウジング３０内の電気回路基板２００上に装着された電気スイッチ２０８に対して押圧するとともに作動させる。
【００３７】
ハウジング３０の前方端部における開口部により、様々な部品のハウジング３０の内部への挿入および組付けのためのアクセスが提供される。これらの中では、ハウジング３０の頂部に実質的に平行な平面内にある電子回路基板２００が存在しており、それにより、電子回路基板２００上のスイッチ２０８が、作動されるために、スイッチプランジャ２２Ｐ下に並んでいるようになっており、また、発光ダイオード（ＬＥＤ）Ｌ１、Ｌ２が光学素子、たとえば反射器２６Ｒに対する所望の位置にあるようになっている。反射器２６Ｒは、ハウジング３０上の、Ｄ形状の後方を向いた開口部内に配置されたレンズ２６の後ろに存在している。通常、スイッチ２２、２０８は、照明装置１０に関するオン／オフおよび作動モードの選択のすべてを制御する役割を果たす。
【００３８】
ハウジング３０内の回路基板２００とバッテリとの間の接続は、回路基板２００上のそれぞれの接触パッドに、たとえばはんだ付けされるかクリンプされるなど、取り付けられた導電体２０２および２１０を介して行われる。前方のバッテリコンタクト２０２は、その頂端部にＣ形状のホック２０２Ｔを有している。このＣ形状のホック２０２Ｔは、回路基板２００の前縁部、たとえば、この縁部の中心付近において取り付けられるように構成されており、この位置において、接触パッドに対し定位置ではんだ付けされ、ハウジング３０のバッテリの前方の端子、たとえば、通常はバッテリの正極（＋）と電気接触するために、Ｄ形状の中心コンタクトを有している。細長い導電体２１０は、その前方端部にＣ形状のホック２１０Ｔを有している。このＣ形状のホック２１０Ｔは、回路基板２００の前縁部、たとえば、この縁部の中心に近いコンタクト２０２に隣接するが、絶縁されている部分において取り付けられるように構成されており、この位置において、定位置にはんだ付けされる。細長い導電体２１０は、接触リング３０Ｒと、ハウジング３０のネジが切られた端部の内壁との間に密にフィットするその後方端部２１０Ｒにおいてわずかにオフセットしており、任意選択的に、はんだ付けされるか、ともに溶接される。それにより、バッテリがハウジング３０内にあり、テールキャップ２４がハウジング３０上に締められている際に、回路基板２００と、バッテリの後方端子、たとえば、通常はその負極（−）端子との間に、導電体２１０、接触リング３０Ｒ、および接触バネ２４Ｓを介して、電気接続が提供される。
【００３９】
ハウジング３０は、照明装置ヘッド部４０を旋回自在に支持するためのヒンジまたは旋回軸３６を提供するために、固定手段３７、たとえば枢軸ピン３７を受光するための、対向して直線状に配置された穴部３６Ｈを有している。一対のＯリング３６Ｓにより、照明装置ヘッド部４０を、ユーザによってハウジング３０に対して旋回される所望のピボット位置に保持するための、シールと、摩擦の原因との両方が提供される。それぞれのトリムキャップ３７Ｃは、枢軸ピン３７の露出した端部をカバーするように、ある位置にスナップするか、たとえば、接着材または超音波溶接により、定位置に別様に固定される。
【００４０】
対向する一対の導電体２０４の各々は、その頂端部にそれぞれのＣ形状のホック２０４Ｔを有している。このＣ形状のホック２０４Ｔは、回路基板２００の側縁部、たとえば、そのそれぞれの側縁部の前方端部付近に取り付けられるように構成されており、この位置において、各々が、たとえば定位置にはんだ付けされている。各導電体２０４は、ハウジング３０の内側表面に隣接して下方に延びる、内部に環状リングまたは穴部を有する平面な部分を有しており、環状リングまたは穴部は、ハウジング３０のそれぞれの穴部３６Ｈと一直線上にある。枢軸ピン３７が定位置にあると、各導電体２０４は、それぞれの導電体２２０の対応する環状リングおよび穴部とのスリップリング接続の一方の端部としての役割を果たす。導電体２２０は、照明装置ヘッド部ハウジング４２の支持アーム４４の内側表面に沿って後方に延びている。各枢軸ピン３７は、導電体２０２および導電体２２０のそれぞれの環状リング間の電気接続を提供し、それにより、旋回軸３６を通しての一対のスリップリング電気接続を提供する。それにより、電力がそれらの旋回軸３６を越えて、照明装置ヘッド部４０の光源に提供される場合がある。
【００４１】
インターフェースリング３９は、ハウジング３０の前方端部内の開口部にフィットし、前方端部３８を受光する。インターフェースリング３９と前方端部３８の双方は、接着材、超音波溶接、または別の適切な固定手段によってハウジング３０内に保持され、それにより、回路基板２００および、この回路基板２００の部品２０２、２０４、２１０をハウジング３０内の定位置に保持する。ハウジング端部３８は、クリップ５０の環状装着リング５４を受光するために、その中心に位置する柱部３８Ｐを有している。柱部３８Ｐを囲む溝に配置されたＯリング５４Ｓは、環状装着リング５４に対して支持され、それにより、クリップ５０を、このクリップ５０がユーザによって移動される所望の回転位置に保持するための、摩擦によって抑える力を提供するようになっている。グリスまたは他の潤滑剤が、Ｏリング５４Ｓに塗布され、それにより、定位置における摩擦による保持が維持されている間、より容易に移動することを可能にするようになっている場合がある。エンドキャップ３４は、たとえば接着材、超音波溶接、または別の適切な固定手段により、ハウジング前方端部３８に固定され、それにより、クリップ５０が、ハウジング３０上を回転移動可能であり、かつ、ハウジング３０上に恒久的に保持されるようになっている。こうして、クリップ５０は、クリップ５０の細長いクリップアーム５２がハウジング３０の外側表面に隣接した状態で、照明装置１０の長手軸１６周りに移動可能（回転自在）である。
【００４２】
好ましい実施形態では、クリップ５０の回転移動は、前方ハウジング端部３８の肩部３８Ｓによって制限される。肩部３８Ｓは、環状装着リング５４を細長いクリップアーム５２に結合する、クリップ５０の短セクション５５の回転移動を制限する。クリップ５０の回転移動の制限は、約９０度を超える範囲とすることができるが、通常の実施形態では、回転は、所望である場合は、約４５度の回転、または、約３０度の回転にさえ制限される場合がある。角度の制限が、肩部３８Ｓの角度位置によって規定され、また、許容される回転角度が、ハウジング３０および照明装置１０の頂部側から約１８０度回転した位置が実質的に中心とされることも好ましいことに留意されたい。
【００４３】
好ましいが、任意選択的に、クリップ５０のハウジング３０周りの回転移動は、中心位置周りの両方向に比較的対称的である。この中心位置は、スイッチアクチュエータ２２とは真逆の位置（たとえば、スイッチアクチュエータ２２から約１８０度回転した位置）にあり、それにより、照明装置１０が人または対象に取り付けられると、アクチュエータ２２を押すことにより、スイッチアクチュエータ２２が作動される、たとえば、オンおよびオフにされ、かつ、任意の利用可能な、プログラム可能な操作状態に置かれる場合がある。アクチュエータ２２は、好ましくは、ハウジング３０に向かって径方向に押されることに反応するプッシュボタンのアクチュエータである。
【００４４】
照明装置ヘッド部４０は、その前方端部に円形の開口部を有するヘッド部ハウジング４２を含んでいる。この円形の開口部には、反射器４２Ｒがフィットしている。反射器４２Ｒは、レンズリング４８がスナップフィットする円形の前方端部を有しているが、代替的には、たとえば、レンズリング４８がネジ部によって取り付けられる、雄ネジ部をその上に有する場合がある。環状レンズ保持器およびシール４８Ｒは、その内側表面に周溝を有している。この周溝にレンズ４６がフィットする。たとえば、レンズ４６と保持器４８Ｒとが、内側の円形フランジにより、レンズリング４８の前方端部において、レンズリング４８の内側に保持されている。Ｏリング４６Ｓは、反射器４２Ｒとヘッド部ハウジング４２との間にシールを提供する。
【００４５】
反射器４２Ｒは、通常は基部またはこの基部の後方端部において中心に配置された、光源４３、たとえば、ＬＥＤ光源４３によって生成された光を成形するように構成された形状を有する、湾曲した内部反射面を有している。ＬＥＤ４３は、ＬＥＤ４３のそれぞれの端子を導電体２２０に電気的に接続するための、プリントされた配線導電体を上に有する、ＬＥＤ回路基板４２Ｌ上の中心に実質的に位置している。導電体２２０の各々は、その前方端部にベントタブ２２０Ｔを有している。このベントタブ２２０Ｔは、ＬＥＤ回路基板４２Ｌの導電体に、たとえばはんだ付けされることにより、電気的に接続され、また、穴部４４Ｈと一直線上にある、その後方端部に近い穴部を有している。この穴部は、枢軸ピン３７への電気接続を形成するために、照明装置ハウジング３０の外部と、照明装置ヘッド部４０の延長アーム４４との間のスリップリング接触を提供するためのものである。
【００４６】
ＬＥＤ回路基板４２Ｌは、一方側または両側に幅広の導電体を有する場合があり、また、はんだで充填された貫通穴部、および／または、他の熱伝導性の特徴を有する場合があり、それにより、ＬＥＤ４３が装着される、ＬＥＤ回路基板４２Ｌの前方に向いた表面と、ＬＥＤ回路基板４２Ｌの後方を向いた表面との間の熱伝導性を向上させるようになっている。回路基板４２Ｌの後方を向いた表面に当接されているのは、ＬＥＤ４３によって生じた熱の除去をさらに補助するための、比較的高い熱伝導率を有する熱拡散器４２Ｈである。さらに、反射器４２Ｒは、ＬＥＤ４３によって生じた熱の除去をさらに補助するための、比較的高い熱伝導率を有する材料とされる場合もある。固定手段４２Ｆは、反射器４２Ｒの後方端部内の穴部と係合して、ＬＥＤ回路基板４２Ｌおよび熱拡散器４２Ｈを反射器４２Ｒの後方表面に取り付ける。反射器４２Ｒの後方表面は、好ましくは、概してフラットであり、また、好ましくは、互いに密に当接する。ＬＥＤ回路基板４２Ｌと、熱拡散器４２Ｈと、反射器４２Ｒの後方表面との間の界面には、それらの間の熱伝導性を向上させるために、たとえば、熱グリス、シリコーン、または他の材料などの材料が含まれる場合がある。
【００４７】
回路基板４２Ｌおよび熱拡散器４２Ｈが反射器４２Ｒの後方端部に取り付けられ、レンズリング４８およびレンズ４６が反射器４２Ｒの前方端部に取り付けられた状態で、反射器４２Ｒは、導電体２２０の穴部が、アーム４４のそれぞれの穴部４４Ｈと一直線上にある状態でヘッド部ハウジング４２の内部キャビティに挿入され、また、追加の固定手段４２Ｆ２によって内部キャビティ内に保持される。追加の固定手段４２Ｆ２は、回路基板４２Ｌおよび熱拡散器４２Ｈ内の穴部を通り、反射器４２Ｒの後方表面内の穴部と係合して、反射器４２Ｒをハウジング４２内に引っ張るとともに、反射器４２Ｒをハウジング４２内に保持する。任意選択的に、Ｏリングは、シールとして各固定手段４２Ｆ２に設けられる場合がある。
【００４８】
旋回軸３６のスリップリングの電気接続のさらなる詳細を断面図に見ることができる。ここでは、その軸部端部に形成されたそれぞれの枢軸ピン３７、たとえば金属ピン３７が、旋回軸３６内に枢軸ピン３７を保持するように、ハウジング３０の内部にあり、一方、電気回路基板２００に接続された導電体２０２と、ＬＥＤ回路基板４２Ｌに接続された導電体２２０との間の電気接続を提供する。やはり断面図に見られるのは、ハウジング３０の後方端部上における接触リング３０Ｒの配置と、テールキャップ２４の接触バネ２４Ｓとの接続の形成の詳細である。
【００４９】
具体的には、側断面図が、回路基板２００と、この回路基板２００上のスイッチ２０８、ならびに、アクチュエータ２２の可撓性カバー２２Ｃおよびプランジャ２２Ｐに対するスイッチ２０８の位置と、光学素子、たとえば反射器２６Ｒおよびレンズ２６に対する回路基板２００上のＬＥＤ  Ｌ１およびＬ２との、ハウジング３０内の内部構成を示している。好ましくは、スイッチ２０８およびそのアクチュエータは、プランジャ２２Ｐおよびカバー２２Ｃに隣接するとともに、プランジャ２２Ｐおよびカバー２２Ｃの下の中心の位置にある。やはり視認可能であるのは、ホール効果センサＨＳおよび磁石４０Ｍが比較的密に整列している際に、照明装置ヘッド部４０が、前方に向いた回転位置に旋回した際、および、照明装置ヘッド部４０が約９０度だけ上方に旋回した位置に旋回される際の、回路基板２００上のホール効果センサまたは検出器ＨＳと、照明装置ヘッド部４０の後方壁上の磁石４０Ｍのそれぞれの位置、および、それらの相対位置である。これらの機能は以下に記載する。クリップ５０上に装着された装着ブラケット６０の構成も、いくつかの図に視認可能であり、また、以下に記載する。
【００５０】
図６Ａおよび図６Ｃは、照明装置のセーフティ照明装置の特徴の例示的実施形態を示す、図１Ａから図１Ｄの例示的照明装置の断面図であり、図６Ｂおよび図６Ｄはそれぞれ、照明装置の細部の拡大図である。照明装置ヘッド部４０のＬＥＤ４３によって生成される光は、照明装置ヘッド部４０の前方に、概して長手軸１６に沿って向けられ、また、照明装置ヘッド部４０がヒンジまたは旋回軸３６周りに旋回された際に、長手軸１６に対して約±９０度まで上げられる。また、この光は、好ましくは、前方、および、照明装置ヘッド部４０が旋回する方向に向けられた照射光を生成するための、比較的高輝度の、比較的細いビーム、たとえば、スポットビームである。さらに、第２の光源Ｌ１、Ｌ２が、光を後方に、光学素子、たとえばレンズ２６を通し、また、たとえば長手軸１６によって規定されるような、概して後方方向に生成される。
【００５１】
そのような後方を向いた光は、しばしば、セーフティ照明装置またはセーフティビーコンであるように生成され、それにより、照明装置１０のユーザの後ろにいる者が、セーフティビーコンを見ることにより、そのようなユーザの位置を特定することができるようになっている。そのようなセーフティビーコンの一般的な用途は、煙、もや、霧、および／または暗闇により、そのようなユーザを見つけることが困難である場合の、消防士、および、緊急事態に最初に対応する他の者のためのものである。消防士のユーザのために、セーフティビーコンは、しばしば、青い光である。この理由は、青が、大体が黄色および赤の可視スペクトルの端部である、火によって生じる光から識別可能であるためである。他のユーザに関しては、セーフティビーコンの照明装置の他の色が生成される場合がある。この色は、たとえば、ナイトビジョンを妨げない色が所望である場合は赤であるか、ナイトビジョンの装置を有する追跡者のみ、たとえば戦略上の軍人などの者のみがセーフティビーコンを見ることができることが所望である場合は、赤外（ＩＲ）光でさえある。
【００５２】
このため、照明装置１０は、２つの異なる色および／または輝度の光を生成する光源と、この光を後方に向けるための光学素子とを含んでいる。１つの例示的な実施形態では、照明装置１０は、光源Ｌ１を有している。この光源Ｌ１は、光源Ｌ１によって生成された光ＬＢ１が、レンズ２６に向かって後方に向けられ、このレンズ２６を通して、セーフティビーコンの光が照明装置１０を、概して後方に向かう方向に出るような方法で、回路基板２００に装着されている。光源Ｌ１は、好ましくは、回路基板２００に装着された際に、その光ＬＢ１が、光源Ｌ１が装着された表面に対し、概して平行な方向に向けられるようにパッケージングされた、ＬＥＤ  Ｌ１である。この光は、大部分が、内部に規定された空間を通り、概して放物線状の半反射器２６Ｒに、レンズ２６に入射するようにビームを変形するために、この反射器２６Ｒの反射面２６ＲＳに頼ることなく、向かうが、反射面２６ＲＳに入射する、ＬＥＤ  Ｌ１からの光は、レンズ２６に向けられる傾向にある。
【００５３】
レンズ２６のレンズ部分は、Ｄ形状、たとえば、実質的に半円形であり、一連の、同心円の部分的に環状の溝２６Ｇを、たとえば、その内側表面上に有している。この内側表面は、ＬＥＤ  Ｌ１によって生成された光のビームを、比較的良好に規定されているが、幅広の光ビームＬＢ１に散乱させ、それにより、セーフティビーコンが、照明装置１０の後方の角度の比較的広いレンジにわたって可視であるように収束されるようにする役割を果たす。このため、セーフティビーコンＬＢ１は、好ましくは、たとえば、基本的に、狭いスポットビームよりむしろ、比較的に放射状のようなビームである（光ビームＬＢ２についても同様である）。
【００５４】
レンズ２６の環状の溝２６Ｇは、各ＬＥＤ  Ｌ１およびＬ２からのそれぞれの光ビームＬＢ１およびＬＢ２を広げる役割を果たし、好ましくは、フレネルレンズを形成するか、少なくともフレネルレンズの一部に近似するように、横方向に弧状になっている。部分的に環状の溝２６Ｇは、溝の一方側または弧状の表面、たとえば、上方に向いた側か弧状の表面が、比較的急勾配、たとえば、レンズ２６の平面に対して実質的に垂直であり、一方、他方側または環状の表面、たとえば、下方を向いた側か環状の表面が、ある角度、たとえば、約４０度〜５０度の角度のレンジにわたる様々な角度で、傾斜している点で、好ましくは、断面が鋸歯形状であり、また、レンズ２６を通る光が分散して、所望のビームＬＢ１、ＬＢ２を形成するように、わずかに凹状になっていてもよい。
【００５５】
反射器２６Ｒは、この反射器２６Ｒが、その広い端部において、実質的に半円形の開口部、たとえば、Ｄ形状の開口部を有し、また、半放物線状または円形未満の他のカーブを実質的に規定する反射面２６ＲＳを有する観点で、「半反射器」と呼ばれる場合がある。この構成は、適切な光源とともに利用される際に、空間的により効率がよく、また、ＬＥＤによって発せられた高強度の光の多くを確保するものと解釈される。反射器２６Ｒは、たとえば、ハウジング３０に設置された際に、前方に、半円筒状の突起をもその後方に有している。この突起は、レンズ２６、回路基板２００、ならびに、この回路基板２００上のＬＥＤ  Ｌ１およびＬ２に対する所望の位置および向きで反射器２６Ｒを保持するための、ハウジング３０内の相補的な凹部にフィットする。
【００５６】
第２の光源は、やはり、好ましくは、たとえば回路基板２００の表面に装着された、第２のＬＥＤ  Ｌ２を含んでいる。この装着位置では、第２のＬＥＤ  Ｌ２は実質的に、放物線２６ＲＳ'の焦点か焦点付近にあり、その反射面２６ＲＳが一部を規定している。ＬＥＤ  Ｌ２は、反射器２６Ｒの反射面２６ＲＳに主に入射するように、概して回路基板２００から離れるように向けられた光を生成する。反射面２６ＲＳ'は、光源ＬＥＤ  Ｌ２から発せられた光を受光し、その光をビームに形成するように構成されている。このビームは、たとえば、照明装置１０が手に持たれるか、人の前側に取り付けられている場合に、放射状のビームの照明の経路として、レンズ２６に向かって後方に、レンズ２６を通過するように向けられている。
【００５７】
好ましくは、反射器２６Ｌの反射面２６ＲＳは、反射器２６Ｒ内に空間の外側の、その表面の焦点または収束ポイントを有する放物線の部分を規定し、それにより、反射器２６Ｒに隣接して回路基板２００に装着された光源、たとえばＬＥＤ  Ｌ２が、実質的に、放物線状の反射面２６ＲＳの収束ポイント、またはその近位の位置から光を放出する。放物線は、表面２６ＲＳおよび破線２６ＲＳ'によってより完全に図示されており、ここで、表面２６ＲＳは、反射器２６Ｒの反射面を形成する、その放物線２６ＲＳ'の一部分である。反射器２６Ｒは、その基部付近に開口部を有し、この開口部を通して、ＬＥＤ  Ｌ１によって生成された光が通ってレンズ２６に向かう。
【００５８】
レンズ２６は、任意の適切な固定手段、たとえば、摩擦フィット、接着材、超音波溶接などによってハウジング３０上に保持することができる。同様に、反射器２６Ｒは、任意の適切な固定手段、たとえば、摩擦フィット、接着材、超音波溶接などによってハウジング３０のその凹部内に保持することができる。
【００５９】
１つの例示的な実施形態では、セーフティビーコン光源ＬＥＤ  Ｌ１は、青い光を生成し、また、照明装置ヘッド部４０が照射光を生成する際に少なくとも作動するが、照明装置ヘッド部４０の光源４３および第２の光源Ｌ１、Ｌ２は、たとえば、押圧および開放アクチュエータ２２の変形形態により、個別に制御、プログラム、および／または作動してもよい。内部の光源ＬＥＤ  Ｌ２は、白色光を生成し、また、照明装置ヘッド部４０が、好ましくはクリップ５０から離れる方向に、図６Ｃに示すように、実質的な角度だけ、９０度以下の範囲で旋回した際に作動してもよい。
【００６０】
好ましくは、照明装置ヘッド部４０の旋回により、光生成要素Ｌ１および／またはＬ２を、所定の旋回角度で作動および／または作動停止させることができる。特に正確である必要がない、所定の角度は、磁石４０Ｍの強さ、磁石４０Ｍとホール効果検出器ＨＳとの相対位置、および、検出器ＨＳの感度に応答する。磁石４０Ｍの強さ、磁石４０Ｍとホール効果検出器ＨＳとの相対位置、および、検出器ＨＳの感度の各々は、特定の、または所望の角度において、そのような作動および／または作動停止を得る際に調整することができる。約６０度〜約９０度の間の旋回の所定の角度が、現在のところ、所望であると見なされている。
【００６１】
照明装置ヘッド部４０がそのように配置されると、照明装置ヘッド部４０内の磁石４０Ｍは、ハウジング３０内の回路基板２００上のホール効果センサＨＳに対向しており（すなわち、十分に近接している）、それにより、たとえば、場の線ＭＦＬによって示されるような、磁石４０Ｍの磁界が、ホール効果センサＨＳに作用するようになっている。ホール効果センサＨＳが、そのような磁界が所定の閾値を超えたことを検出する場合、このホール効果センサＨＳは、回路基板２００上のコントローラに、白色光源ＬＥＤ  Ｌ２に通電し、青色光源ＬＥＤ  Ｌ１に対して通電を停止するように応答させる。照明装置ヘッド部４０が、その回転位置から離れるように旋回すると、ホール効果センサＨＳにおける磁界の強度は、ホール効果センサＨＳの検出閾値未満に低下するまで低減され、その上で、コントローラが白色光源ＬＥＤ  Ｌ２に対して通電を停止し、青色光源ＬＥＤ  Ｌ１に通電する。
【００６２】
前述の特徴は、長手軸１６が垂直であるように、反時計回りに９０度回転して、照明装置ヘッド部４０が照明装置１０の頂端部にあるとともに、テールキャップ２４が照明装置１０の底端部にあるようになっている、図６Ｃを見ることによってよりよく理解することができる。この位置にある照明装置１０を使用する者は、手でハウジング３０をグリップするか、クリップ５０を使用して照明装置１０を自身に装着する。たとえば、照明装置１０をその者の衣服か、他の着用物または装備に取り付ける。この向きでは、照明装置ヘッド部４０によって生成された光は、前方に向けられる。たとえば、その者の作業場か、その者が移動する場合がある前方に向けられる。さらに、ＬＥＤ  Ｌ２によって生成され、レンズ２６を通して出る白色の放射状のビームは、直接下方に向けられ、それにより、その者のすぐ前方の道を照らすようになっており、それにより、障害物上を通るかつまずくか、穴に入る可能性を低減している。
【００６３】
こうして、照明装置１０は、照明装置１０が少なくとも２つの異なる目的および条件での役割、たとえば、ヘルメットに装着される照明およびセーフティライトとしての役割と、第２に、身体に装着されるか手で持つフラッシュライトとしての役割を果たすことを可能にする特徴を含んでいる。さらに、照明装置１０を一方の目的から他方の目的に変更することは、クリップ５０を装着ブラケット６０に係合および係合解除することにより、照明装置１０が容易に装着および取外し可能であることによって促進される。照明装置１０が取り外され、別の目的のために使用されている間、装着ブラケット６０が、ヘルメットまたは他の対象に装着されたままとすることができるので、さらなる利便性が提供される。
【００６４】
図７Ａおよび図７Ｂはそれぞれ、図１Ａから図１Ｄの例示的な照明装置１０の例示的なクリップ５０に取り付けられたクランプブラケット６０の例示的実施形態を示す斜視図である。図７Ｃおよび図７Ｄは、クランプブラケット６０の例示的実施形態の拡大図である。図７Ｅおよび図７Ｆは、クリップ５０に取り付けられたクランプブラケット６０の斜視図である。図７Ｇは、例示的クランプブラケット６０の平面図である。装着ブラケット６０または他の付属部品が照明装置に恒久的に取り付けられている場合では、そのような照明装置の使用が制限される場合がある。
【００６５】
照明装置１０は、たとえば照明装置１０の細長いクリップ５０から、照明装置１０に装着可能かつ取外し可能である複数の異なる付属部品を受光するように構成することにより、そのような制限を避けている。この理由は、様々な異なる付属部品が、共通の装着構成を利用し、それにより、互いに相互交換可能かつ、代替されるためである。そのような付属部品、ならびに、その付属部品および他の付属部品を照明装置１０の細長いクリップ５０に装着し、取り外すことができる方式の１つの例を、ここで記載する。一方、他の例は、以下に記載する。
【００６６】
そのような付属部品の１つの例は、クリップ５０に容易に取り付けることができるとともに、クリップ５０から容易に取り外すことができる装着ブラケット６０である。クリップ５０は、ハウジング３０および長手軸１６周りに、少なくとも制限された範囲まで、回転自在であり、好ましくは、照明装置ハウジング３０の外側表面に実質的に平行に延びる細長いクリップアーム５２を含んでいる。細長いクリップアーム５２は、その遠位端に比較的細い部分５２Ｎを有し、また、その中心領域に、比較的幅広の部分５２Ｂを有している。クリップアーム５０の遠位端５２Ｎは、ハウジング３０に向かって曲がるように形成され、それにより、たとえば、ベルトまたはポケット上への、よりしっかりとしたクリップ動作を提供するようになっており、やはり、ラニヤード、ラバーリング、クリップ、または他の付属部品を取り付けることができる開口部をそこに任意選択的に有してもよい。
【００６７】
装着ブラケット６０は、Ｃ形状のクランプ部材６２を含んでいる。このクランプ部材６２には、装着ブラケット６０が取り付けられることになる対象、たとえば、消防士のヘルメット、硬い帽子、または他のヘッドギア、ツールコンテナまたは他の作業付属部品の縁部を挿入することができる。そのような縁部は、クランプ固定手段６３、たとえば、１若しくはそれ以上の一対のネジ６３を締め付けて、クランプアンビル６２Ａと固定手段６３との間に縁部をクランプすることにより、クランプ部材６２内に保持される。装着ブラケット６０は、クランプ固定手段６３から遠位にあるクランプ部材６２の端部において、基部６４を規定し、また、基部６４から上方に延びる、一対の離間したブラケットアーム６６を含んでいる。ブラケットアーム６６は、間に開口部を規定し、また、各ブラケットアーム６６の対向する内側面は、長手方向、たとえば、基部６４に対して実質的に平行な方向に、内部に溝６７を有している。
【００６８】
対向する溝６７は、クリップ５０のクリップアーム５２の比較的幅広の部分５２Ｂが内部に保持されるようなサイズおよび間隔であり、ブラケットアーム６６の対向する内側面は、クリップアーム５２の比較的幅広の部分５２Ｂの幅よりも短いが、クリップアーム５２の比較的細い部分５２Ｎの幅よりも大である距離だけ離間しており、それにより、細い部分５２Ｎがその間を通るようになっている。結果として、ブラケット６０は、クリップアーム５２上にスリップし、クリップアーム５２、たとえば、クリップアーム５２の比較的幅広の部分５２Ｂによって保持することができ、また、クリップアーム５２から容易に外すことができる。こうして、照明装置１０は、手で保持されているかクリップで保持されている照明装置から、ブラケットで保持されている照明装置に容易に変換することができ、また、やはり、ブラケットで保持された照明装置から、手で保持されているかクリップで保持されている照明装置に容易に変換することができる。
【００６９】
ブラケット６０と、クリップアーム５２および／または照明装置ハウジング３０との間の摩擦が、多くの用途において、長手方向の移動を制限し、また、ブラケット６０をクリップアーム５２上に、たとえば、クリップアーム５２上のブラケット６０の基部６４に保持するのに十分である間は、照明装置ハウジング３０およびブラケット６０は、より積極的に係合する相補的特徴を有する場合があるか、有することが好ましい場合がある。１つの例では、ハウジング３０に当接するブラケットアーム６６の面は、ハウジング３０の湾曲に実質的にマッチするように曲げることができ、それにより、ブラケットアーム６６の面とハウジング３０との間の摩擦を増大させるようになっている。
【００７０】
さらに、ハウジング３０に当接するブラケットアーム６６の面は、湾曲することができ、また、１若しくはそれ以上のリッジ部および／または溝６５を有することができる。１若しくはそれ以上のリッジ部および／または溝６５は、ハウジング３０の周囲のリッジ部および／または溝３２と相補的なサイズおよび形状でありそれにより、それぞれのリッジ部および／または溝が係合するようになっており、それにより、ブラケット６０の、照明装置ハウジング３０に対する長手方向の移動を明確に制限している。前述の代替形態のすべてにおいて、より細い端部５２Ｎをハウジング３０に向かって付勢し、好ましくは、ハウジング３０に当接する傾向にあるクリップ５０の弾性的な特性は、さらに、ブラケット６２をクリップ５０上に保持すること、および、ブラケット６０とハウジング３０とが、係合する相補的な溝および／またはリッジ部２６、６５を有する場合には、そのような特徴が係合したままに維持することの助けになる。
【００７１】
照明装置１０が、長手軸１６およびハウジング３０周りに回転自在であるクリップ５０を有し、また、ハウジング３０に対して広く旋回自在な照明装置ヘッド部４０をも有していることから、ユーザは、照明装置１０が対象、たとえば、ヘルメットまたはその者、衣服または装備などに装着されている場合に、照明装置ヘッド部４０から生成される光を向けることに関する、２つの動きの自由度を有し、それにより、固定して装着されるか、１つの動きの自由度のみを提供する照明装置に比べ、光を広い方向のレンジにわたって向けることができる。
【００７２】
図８は、以下に参照する、図１Ａから図１Ｄの例示的照明装置１０での使用に適切な電子回路３００の例示的実施形態の概略図である。電気回路３００は、物理的要素２０２と、２４Ｓ、２１０とをそれぞれ介して提供される接続部Ｍ２（Ｂ＋）とＭ３（Ｂ−）とにおいて、電力を受光し、ここで、電力源は、たとえば、電圧ＶＢＡＴＴを提供するバッテリである。回路３００は、回路基板２００上に配置されるが、たとえば、ＬＥＤ４３は、好ましくは照明装置ヘッド部４０内に配置され、回路基板２００と、この回路基板２００上の回路３００とに、それぞれの物理的導電体２０４と２２０とによって電気的に接続されている。
【００７３】
光源、たとえばＬＥＤ４３、Ｌ１およびＬ２を含む、照明装置１０の動作は、コントローラ３２０、Ｕ５、またはマイクロプロセッサ３２０、Ｕ５によって制御される。コントローラ３２０、Ｕ５、またはマイクロプロセッサ３２０、Ｕ５は、電気スイッチ２０８のコンタクトＳ１が開閉した際に、スイッチ回路３５０によって生成される信号に応答する。好ましくは、プロセッサ３２０、Ｕ５、またはコントローラ３２０、Ｕ５は、回路３００のすべての機能にわたって制御を行う。主な光源ＬＥＤ４３は、回路基板２００の接続部Ｍ４（ＬＥＤ＋）とＭ５（ＬＥＤ−）とに、それぞれの導電体２０４と２２０とによって接続されている。
【００７４】
プロセッサ３２０がスイッチ回路３５０からの信号に応答する方式は、そのタイミングに応じる場合がある。たとえば、所与の期間におけるスイッチの閉鎖および／もしくは開放の回数、ならびに／または、スイッチが閉鎖される持続時間に応じる。そのような信号方式は、様々な操作モードまたは状態を生成するために採用することができる。様々な操作モードまたは状態には、たとえば、オフ、各ＬＥＤまたはＬＥＤ４３、Ｌ１、およびＬ２の組合せに関する連続したオンおよび／または一時的なオン、ならびに、たとえば、ＬＥＤ４３、Ｌ１、およびＬ２のいずれか、または、ＬＥＤ４３、Ｌ１、およびＬ２の組合せに関する、白やけおよび／または非白やけ、フラッシュ、点滅、ストロボ、「高輝度（Ｈｉ−Ｂｒｉｔｅ）」（通常の輝度レベルを超える）、時間が決まっているオンの期間、および／または、他の所望のモードに関する操作モードまたは状態が含まれる。「高輝度」の特徴を使用することが、通常は、バッテリのドレインを上昇させ、動作時間を短縮することから、「高輝度」の特徴が提供される場合、「高輝度」の特徴は、たとえば、より高い輝度の光の出力が所望である期間の間、アクチュエータ２２を押圧したまま保持することにより、アクセスされる、一時的な特徴として実装することができる。
【００７５】
光源ＬＥＤ４３に通電するために、プロセッサ３２０は、電流調整ＤＣコンバータ回路３１０が、電圧ＶＢＡＴＴを、ＬＥＤ４３内を流れる電流が所定のレベルにある電圧ＶＢＵＣＫまで低減することを可能にしている。集積回路Ｕ１は、ＤＣコンバータ３１０の動作を制御している。ＤＣコンバータ３１０は、たとえば、その内部スイッチ出力ピンＳＷにおいて生成された、ＶＢＡＴＴに近い電圧の電圧パルスをフィルタリングするインダクタＬ１およびキャパシタＣ５を有する、パルス幅が変調されたバックコンバータである。ＬＥＤ４３を流れる電流の検出のフィードバックは、抵抗Ｒ６によって提供される。この抵抗Ｒ６は、ＬＥＤ４３の電流に正比例し、また、抵抗Ｒ５を介してプロセッサ３２０のフィードバック入力ＶＦＢに結合されているフィードバック電圧ＶＦＢを生成する。ＬＥＤ４３の白やけに影響するＡＮ入力は、抵抗Ｒ４を介して加えることができる。
【００７６】
様々な所定のＬＥＤ４３の電流レベルが、プロセッサ３２０に様々な制御信号を、たとえば、接続部のＤＩＭＭＩＮＧを介して、抵抗Ｒ４、Ｒ５、および、フィルタリングキャパシタＣ７を含む電圧ディバイダに加えることによって選択可能である。接続部ＤＩＭＭＩＮＧにおいて（または、フィードバック電圧ディバイダ内の別のノードに）加えられる信号は、ＬＥＤ４３によって生成された光を暗くするか、暗くしないように採用することができ、かつ／または、ＬＥＤ４３を通って流れる電流を、光の出力の通常の「高輝度」のレベルより高く増大させるために使用することができる。
【００７７】
電流調整回路３３０は、ＣＨＡＲＧＥ＿ＰＵＭＰ＿ＥＮＡＢＬＥの信号によってイネーブルされ、制御される場合、ＤＣコンバータ３１０からの電圧ＶＢＵＣＫにおける出力を受光し、また、ＬＥＤ  Ｌ１、たとえば、青色のセーフティライトＬＥＤ内を流れる電流を、所定のレベルに制御するために、たとえば約＋５ＶＤＣの電圧を生成するように構成された、チャージポンプタイプのＤＣコンバータＵ４を含んでいる。ＣＨＡＲＧＥ＿ＰＵＭＰ＿ＥＮＡＢＬＥの信号によってイネーブルされ、制御される場合は、通常、バッテリ電圧ＶＢＡＴＴが、ＬＥＤ  Ｌ１に通電するのに必要な電圧未満であるケースである。バッテリ電圧が十分である場合、ＬＥＤ  Ｌ１は、バッテリ電圧ＶＢＡＴＴによって通電される。ＬＥＤ  Ｌ１、Ｄ３を流れる電流は、信号ＴＡＩＬＬＩＧＨＴを担うＦＥＴ制御トランジスタＱ２−１によって制御されている。抵抗Ｒ１２は、ＬＥＤ  Ｌ１内の電流に比例する電圧フィードバック信号を、抵抗Ｒ１３および接続部Ｉ＿ＴＡＩＬＬＩＧＨＴを介して提供する。ＬＥＤ１の電流は、ＦＥＴ制御トランジスタＱ２−１に印加される信号ＴＡＩＬＬＩＧＨＴによって制御される。
【００７８】
たとえば、一対のダイオードＤ２、たとえばショットキーダイオードＤ２によって提供されるＯＲ回路は、バッテリ電圧ＶＢＡＴＴと、チャージポンプコンバータＵ４の出力電圧ＶＯＵＴとの高い方、たとえば約＋５ＶＤＣからの、ＬＥＤ  Ｌ１のための動作電流を提供する役割を果たす。ここで、ＬＥＤ  Ｌ１は、通常は他のＬＥＤよりも高い動作電圧を必要とする青色ＬＥＤである。通常は、バッテリ電圧は、青色ＬＥＤ  Ｌ１に十分である。電圧ＶＯＵＴは、たとえば約＋５ＶＤＣであり、トランジスタＱ２−１は、電流フィードバック信号Ｉ＿ＴＡＩＬＬＩＧＨＴに応答して、プロセッサ３２０、Ｕ５からの信号ＴＡＩＬＬＩＧＨＴによって制御され、それにより、バッテリが放電される際にバッテリ電圧ＶＢＡＴＴが低下する場合であっても、電力が、コンバータＵ４からのＶＢＡＴＴとＶＯＵＴとのいずれかから得られるかに関わらず、ＬＥＤ  Ｌ１に、所定の電流レベルで動作させるようになっている。
【００７９】
電流調整回路３４０は、好ましくは、電圧ＶＢＵＣＫの電力をＤＣコンバータ３１０から受光し、また、信号ＤＯＷＮＬＩＧＨＴによってイネーブルされ、制御される際に、ＬＥＤ  Ｌ２、たとえば白色ＬＥＤ内に流れる電流を、所定のレベルに制御するように構成されている。抵抗Ｒ１０は、ＬＥＤ  Ｌ２、Ｄ１内の電流に比例する電圧フィードバック信号を、接続部Ｉ＿ＤＯＷＮＬＩＧＨＴを介して提供する。ＬＥＤ  Ｌ２の電流は、ＦＥＴ制御トランジスタＱ１によって制御される。この例示的実施形態では、ＤＣコンバータは不要であるが、この理由は、所望の所定の電流での比較的低い電力の白色ＬＥＤ  Ｌ２を動作させるのに必要な電圧が、たとえば、その所定の電流レベルでのより高い電力の白色ＬＥＤ４３を動作させるのに必要な電圧ＶＢＵＣＫより小さいからである。
【００８０】
スイッチ回路３５０は、コマンド信号をプロセッサ３２０に、接続部ＭＯＤＥ＿ＳＷＩＴＣＨを介して提供する。ＭＯＤＥ＿ＳＷＩＴＣＨは、コンタクトＳ１が閉じられている際は比較的低い電圧、たとえばＧＮＤ電圧であり、スイッチコンタクトＳ１が開いている際は比較的高い電圧、たとえば、ＭＯＤＥ＿ＳＷＩＴＣＨ＿ＰＵＬＬＵＰ＿ＥＮＡＢＬＥの電圧である。コンタクトＳ１は、照明装置１０のスイッチアクチュエータ２２を押圧および解放することによって開閉される。
【００８１】
ヘッド部旋回位置検出回路３６０は、接続部ＳＥＮＳＯＲ＿ＥＮＡＢＬＥにおける動作電圧の印加によってイネーブルされる場合、ホール効果センサＨＳ、ホール効果検出器ＨＳを含んでいる。ホール効果センサＨＳ、ホール効果検出器ＨＳは、照明装置ヘッド部４０が照明装置ハウジング３０に対して、ホール効果検出器ＨＳにおける磁界強度を所定のレベルに上昇させるように、十分に旋回された際に、照明装置ヘッド部４０内の磁石４０Ｍによって生成される磁界など、所定の強度の磁界を受信すると、接続部ＨＡＬＬ＿ＥＦＦＥＣＴ＿ＳＥＮＳＯＲにおいて、出力信号を生成する。
【００８２】
補助的な出力供給回路３２４は、回路３００のプロセッサ３２０、Ｕ５、および他の要素のための動作電圧ＶＤＤを生成する。バッテリセンサ３２６は、ＦＥＴトランジスタＱ２−２をオンにする、プロセッサ３２０、Ｕ５からの信号ＳＥＮＳＯＲ＿ＥＮＡＢＬＥによってイネーブルされた場合、抵抗Ｒ１、Ｒ２の電圧ディバイダを接続して、バッテリ電圧ＶＢＡＴＴの表示をプロセッサ３２０に提供し、それにより、電圧ＶＢＡＴＴが所定のレベルに低下する場合に、回路３００を安全な状態に置くことができるようになっている。しかし、やはり、過度に放電されるか、再充電可能である場合は、過度に充電されることからバッテリを保護するために採用することができる。
【００８３】
図９Ａから図９Ｊは、例示的セーフティ照明装置の特徴の、後方に向けられた光源Ｌ１、Ｌ２、および光学素子の例に関する１０の例示的な代替的実施形態を含んでいる。この実施形態の光学素子は、列挙するものの組合せを含み、反射器、レンズ、固体光学素子、および／または別の適切な光学装置を含むことができる。例示的実施形態の図９Ａには、第１のＬＥＤ  Ｌ１、たとえば青色または緑色のＬＥＤが含まれている。この第１のＬＥＤ  Ｌ１は、約９０度で光を放出し、それにより、反射器２６Ｒおよびレンズ２６を含む、光学素子の後方における開口部を通って入るのに十分に、回路基板２００に対して実質的に平行であるようになっている。例示的実施形態の図９Ａには、第２のＬＥＤ  Ｌ２、たとえば、白色ＬＥＤが含まれている。この第２のＬＥＤ  Ｌ２は、前述のように、反射器２６Ｒおよびレンズ２６によって向けられた回路基板２００の表面から離れるように光を放出する。
【００８４】
例示的実施形態の図９Ｂは、第１のＬＥＤ  Ｌ１、たとえば、青色または緑色のＬＥＤと、第２のＬＥＤ  Ｌ２、たとえば白色のＬＥＤとを含んでいる。第１のＬＥＤ  Ｌ１と第２のＬＥＤ  Ｌ２の双方は、回路基板２００に表面実装されて、回路基板２００の表面から外に光を発する。ＬＥＤ  Ｌ１からの光は、ライトパイプ２６ＬＰを含む光学素子によって曲げられ、それにより、レンズ２６を通過するように向けられたビームＬＢ１を生成するようになっている。ＬＥＤ  Ｌ２からの光は、反射器２６Ｒを含む光学素子によって方向が変えられ、それにより、前述のように、レンズ２６を通過するように向けられたビームＬＢ２を生成するようになっている。
【００８５】
例示的実施形態の図９Ｃは、第１のＬＥＤ  Ｌ１、たとえば、青色または緑色のＬＥＤと、第２のＬＥＤ  Ｌ２、たとえば白色のＬＥＤとを含んでいる。第１のＬＥＤ  Ｌ１と第２のＬＥＤ  Ｌ２の双方は、回路基板２００に表面実装されて、回路基板２００の表面から外に光を発する。ＬＥＤ  Ｌ１とＬＥＤ  Ｌ２の双方からの光は、反射器２６Ｒを含む光学素子によって方向が変えられ、それにより、前述のようにレンズ２６を通過するように向けられたそれぞれの光ビームＬＢ１とＬＢ２とを生成するようになっている。この装置では、ＬＥＤ  Ｌ１とＬＥＤ  Ｌ２の双方は、（前述の例でのＬＥＤ  Ｌ２ができたようには）反射器２６Ｒの焦点に実質的に配置することができず、そのため、光ビームＬＢ１とＬＢ２との一方または両方の形成が、他の例示的構成において所望であるようにはならない場合がある。
【００８６】
例示的実施形態の図９Ｄと図９Ｅとは、両方とも、第１のＬＥＤ  Ｌ１、たとえば、青色または緑色のＬＥＤと、第２のＬＥＤ  Ｌ２、たとえば白色のＬＥＤとを含んでいる。第１のＬＥＤ  Ｌ１と第２のＬＥＤ  Ｌ２の双方は、回路基板２００に表面実装されて、回路基板２００の表面から外に光を発する。ＬＥＤ  Ｌ１とＬＥＤ  Ｌ２の双方からの光は、固体の内部反射光学部材２６ＲＯ、２６ＲＯ'を含む光学素子内に向けられている。光学部材２６ＲＯ、２６ＲＯ'は、光学部材２６ＲＯが、光ビームＬＢ１、ＬＢ２が光学部材２６ＲＯを出る際に通る平坦な出力面２６を有し、また、光学部材２６ＲＯ'が、溝状または格子状の出力面２６Ｇ、たとえば、光ビームＬＢ１およびＬＢ２が光学部材２６ＲＯ'を出る際に通り、広げられる、部分的なフレネルレンズ２６Ｇを有する点を除き、同じである。
【００８７】
レンズ２６および／または光学部材２６ＲＯ、２６ＲＯ'の内側表面および／または外側表面は、平坦であるか、凸状であるか、または凹状であってもよく、かつ、厚みを低減するように、フレネルの溝を有するか有していなくてもよい。
【００８８】
光学部材２６ＲＯ、２６ＲＯ'は、ＬＥＤによって発せられた光を受光するために、ＬＥＤ  Ｌ１、Ｌ２に密に隣接して配置されたそれぞれの実質的に平坦な光学表面を有している。光学部材２６ＲＯ、２６ＲＯ'の各々は、ＬＥＤ  Ｌ１からの光を光ビームＬＢ１に向けて、所望のビーム構成で光学部材２６ＲＯ、２６ＲＯ'を出るようにしている第１の光学的反射面ＯＳ１を有している。また光学部材２６ＲＯ、２６ＲＯ'の各々は、ＬＥＤ  Ｌ２からの光を光ビームＬＢ２に向けて、所望のビーム構成で光学部材２６ＲＯ、２６ＲＯ'を出るようにしている第２の光学的反射面ＯＳ２を有している。
【００８９】
光学部材２６ＲＯ、２６ＲＯ'、ならびにこれらの光学表面ＯＳ１およびＯＳ２のサイズおよび形状は、好ましくは、ＬＥＤ  Ｌ１およびＬ２の各々が、所望の特性、たとえばビーム幅を有する光ビームＬＢ１およびＬＢ２を生成するために、光学表面ＯＳ１およびＯＳ２のそれぞれの焦点に対する所望の位置に置かれるように構成されている。内部全反射（ＴＩＲ）は、光学部材２６ＲＯ、２６ＲＯ'の材料および周囲の物質の屈折率に起因して、かつ／または、その表面上の反射コーティング、たとえば、薄い金属コーティングにより、光学素子２６ＲＯ、２６ＲＯ'内で得られることに留意された。
【００９０】
例示的実施形態の図９Ｆは、第１のＬＥＤ  Ｌ１と、第２のＬＥＤ  Ｌ２とを含んでいる。第１のＬＥＤ  Ｌ１と第２のＬＥＤ  Ｌ２の双方は、回路基板２００に表面実装されて、回路基板２００の表面から外に光を発する。光学素子には、それぞれの光ビームＬＢ１およびＬＢ２を、光学レンズを通過するように向ける、実質的に平面な反射面２６Ｒ、すなわちミラー２６Ｒである、反射器２６Ｒを含んでいる。
【００９１】
例示的実施形態の図９Ｇは、第１のＬＥＤ  Ｌ１と、第２のＬＥＤ  Ｌ２とを含んでいる。第１のＬＥＤ  Ｌ１と第２のＬＥＤ  Ｌ２との一方Ｌ２は、回路基板２００に表面実装されて、回路基板２００の表面から外に光を発し、第１のＬＥＤ  Ｌ１と第２のＬＥＤ  Ｌ２との他方Ｌ１は、回路基板２００の表面に対して実質的に平行になるように、９０度で光を生成するように構成されている。光学素子には、固体の内部に反射する光学素子２６ＲＯが含まれている。光学素子２６ＲＯを通して、ＬＥＤ  Ｌ１とＬ２とによって生成された光が、光ビームＬＢ１とＬＢ２とにそれぞれ通る。光学素子２６ＲＯは、全体的に、上述の他の光学素子と同様に内側に反射し、また、実質的にフラットであるが、湾曲しているか、溝状（フレネルレンズ）の出口表面を有していてもよい。この出口表面を通してビームＬＢ１およびＬＢ２が通る。
【００９２】
例示的実施形態の図９Ｈは、第１のＬＥＤ  Ｌ１と、第２のＬＥＤ  Ｌ２とを含んでいる。第１のＬＥＤ  Ｌ１と第２のＬＥＤ  Ｌ２との一方Ｌ２は、回路基板２００に表面実装されて、回路基板２００の表面から外に光を発し、第１のＬＥＤ  Ｌ１と第２のＬＥＤ  Ｌ２との他方Ｌ１は、回路基板２００に装着されるとともに、この回路基板２００に対して垂直な、補助の回路基板２００Ｐに装着され、それにより、回路基板２００の表面に対して実質的に平行になるように９０度で光を生成するように構成されている。ＬＥＤ  Ｌ１は、通常は、補助回路基板２００Ｐに表面実装されている。光学素子２６Ｒは、反射器、ミラー、固体光学素子、または、任意の他の適切な光学素子である場合がある。
【００９３】
例示的実施形態の図９Ｉは、第１のＬＥＤ  Ｌ１と、第２のＬＥＤ  Ｌ２とを含んでいる。第１のＬＥＤ  Ｌ１と第２のＬＥＤ  Ｌ２との一方、たとえばＬＥＤ  Ｌ２は、回路基板２００に表面実装されて、回路基板２００の表面から外に光を発し、第１のＬＥＤ  Ｌ１と第２のＬＥＤ  Ｌ２との他方、たとえばＬＥＤ  Ｌ１は、回路基板２００の表面に対して実質的に平行になるように、９０度で光を生成するように構成されている。２つのＬＥＤ  Ｌ１およびＬ２の向きは、図９Ａ、図９Ｇ、および図９Ｈの実施形態に類似であるが、光学ディフューザ２６Ｄが、ＬＥＤ  Ｌ１によって生成された光を散乱させるために設けられている。この光学ディフューザ２６Ｄは、特定の条件では、たとえば、光ビームＬＢ１内の明るいスポットおよび／または高強度の光線を避けるために、所望である場合がある。ディフューザ２６Ｄは、ＬＥＤ  Ｌ１とＬ２との一方または両方、および、記載された実施形態または他の代替的実施形態のいずれかに採用される場合がある。ディフューザ２６Ｄは、固体光学素子２６ＲＯまたはレンズ２６Ｇの、入力面および／または出力面のいずれかで、たとえば図示のような別々のディフューザか、散乱表面によって提供されるか、散乱部材を適用することによって提供されてもよい。
【００９４】
例示的実施形態の図９Ｊは、第１のＬＥＤ  Ｌ１と、第２のＬＥＤ  Ｌ２とを含んでいる。第１のＬＥＤ  Ｌ１と第２のＬＥＤ  Ｌ２の双方は、回路基板２００に、並んで表面実装されて、回路基板２００の表面から外に光を発する。側面図および平面図が図示されている。他の代替的実施形態のように、どのＬＥＤがＬ１であり、どのＬＥＤがＬ２であるか、または、これらが回路基板２００のどの軸に沿って並んでいるかは重要ではないが、図示の装置は、光学素子、たとえば反射器２６Ｒに対して対称であることに起因して、有利であることに留意されたい。光学素子２６Ｒが反射器２６Ｒとして図示されているが、たとえば湾曲しているか放物線状の反射器２６Ｒとして、また、記載の光学素子の光学素子、ならびにデュアル反射器、デュアルミラー、デュアル固体光学素子、およびこれらの組合せも、この装置に採用することができる。
【００９５】
本明細書に記載の任意の装置において、ＬＥＤ  Ｌ１および／またはＬＥＤ  Ｌ２は、図示のように別々のＬＥＤを含むことができ、または単一の複数ダイパッケージにともにパッケージングされた複数のＬＥＤデバイス、たとえば、白色光および青色光、または任意の他の色もしくは複数の色の光、または異なる光の強度を生成するように、たとえば異なって通電することができるパッケージなどを含んでもよいことに留意されたい。レンズ２６が、異なる方式で設けてもよく、省略されてもよいことにも留意されたい。さらに、ＬＥＤ  Ｌ１およびＬ２の位置および配置は、相互交換される場合がある。たとえば、青色ＬＥＤ  Ｌ１が、白色ＬＥＤ  Ｌ２に関して図示された位置に配置される場合があり、またその逆の場合もある。記載の例示的装置の有利な特徴は、異なる色ならびに／または異なる輝度および／もしくは強度の光が、そのような機能を得るために採用される特別な内部装置に無関係に、単一のソースとして外部に見られるものから提供される場合がある点であるが、そのように見える必要はない。
【００９６】
図１０Ａから図１０Ｃは、携帯用照明装置１０のクリップ５０に装着自在な様々な例示的付属部品６０から６０Ｃの代替的実施形態を示す図である。図１０Ｄは、図１０Ｃの例示的装置の分解図である。付属部品６０から６０Ｃの１つの例が、装着ブラケット６０である。装着ブラケット６０は、本明細書において上に記載および説明したような、装着ブラケット６０をヘルメットまたは他の対象の縁部に取り付けるための、クランプブラケット６２、アンビル６２Ａ、および一対のネジ６３を含む、基部６４上にネジで締め付けられるクランプ装置を含んでいる。
【００９７】
本明細書に記載の例示的付属部品６０から６０Ｃの各々は、照明装置１０、たとえば、この照明装置１０のクリップ５０の細長いアーム５２への取付けのための、実質的に類似の構成を共有している。ここで、付属部品６０Ａから６０Ｃは、基部６４と、この基部６４から同じ方向に延び、上述の付属部品６０の対応した数の要素と実質的に同様である、一対の延長アーム６６とを含んでおり、同様に、ここで記載されることになる付属部品６０Ａから６０Ｃの各々、および、他の付属部品に関するケースのように、クリップ５０の細長いクリップアーム５２を受光および保持するための一対の溝またはスロット６７を同様に規定している。好ましくは、延長アーム６６は、その上に溝および／またはリッジ部６５を有している。溝および／またはリッジ部６５は、たとえば、照明装置１０の相補的な特徴と係合することにより、クリップ５０上に付属部品６０から６０Ｃを維持する助けになる。装着付属部品６０−６０Ｃのいずれかが、照明装置１０または別の対象に、２つの向きのいずれかで取り付けることができ、また、いずれかの向きは、所与の状況で、またはユーザに対して許容可能であることに留意されたい。
【００９８】
例示的付属部品６０Ａは、磁石の装着ブラケット６０Ａであり、ここで、基部６４と、この基部６４の延長アーム６６とは、上述の装着ブラケット付属部品６０の対応する数の要素と実質的に同様である。ブラケットの基部６４は、１若しくはそれ以上の磁石６４Ｍを受光するために、基部６４内の１若しくはそれ以上の穴部６４Ｈを有している。磁石６４Ｍは、これに限定されるものではないが、摩擦、圧入、接着材、固定手段、または他の適切な手段を含む、任意の適切な手段により、穴部６４Ｈに保持することができる。こうして、装着付属部品６０Ａ、および、照明装置１０などのいずれかの対象は、スチールまたは他の強磁性材料に、磁石６４Ｍによって取り付けることができる。延長アーム６６が、図１０Ａの例示的実施形態において図示されるように、１若しくはそれ以上の固定手段によって基部６４に取り付けることができるが、基部６４およびアーム６６が、たとえば成型されるか、機械加工されるか、他の一体の部品である、単一のピースであることが好ましい。
【００９９】
例示的付属部品６０Ｂは、クリップ留めの装着ブラケット６０Ｂであり、ここで、ループタイプのハンガーリング６８が基部６４から延び、延長アーム６６とは、上述の装着ブラケット付属部品６０の対応する数の要素と実質的に同様である。例示的付属部品６０Ｂは、基部６４から、たとえば、照明装置ハウジング３０の長手方向に概ね平行な方向に延びる、クリップ留めループタイプのハンガー６８または装着リング６８を含んでいる。装着リング６８は、単一のハンガー６８またはホック６８である場合がある。単一のハンガー６８またはホック６８は、装着付属部品６０Ｂを支持（つるす）ためのロッド、縁部、または他の特徴上、および装着リング６８が取り付けられる、照明装置１０などの任意の対象に置かれる場合がある。
【０１００】
好ましい例のハンガー６８は、基部６４に固定された部分的なリング６８またはハンガー６８を含んでいるが、この部分的なリング６８またはハンガー６８は、部分的なリング６８の開口部が可動ゲート６８Ｇによって閉じられた状態で、リングまたは旋回自在な接続部により、基部６４に取り付けることができる。可動ゲート６８Ｇは、部分的なリング６８の開口部を閉じるように付勢されており、また、リング６８をそのような対象を保持するように閉じるように付勢されている間、内側に開かれて、対象の上にリング６８を取り付けることを可能にすることができる。ゲート６８Ｇは、その開いた端部に、２つの平行な端部を有している。この平行な端部は、ゲート６８、たとえば、図示の実施形態の基部６４から延びるその短い突出部の、それぞれの離間した穴部にフィットするように離間している。ゲート６８Ｇの弾力性により、ゲート６８Ｇの開口部によって形成される歪みが妨げられ、そうして、ゲート６８Ｇを付勢して、ゲート自体を閉じた位置に向かって戻す。ここで、ゲートの可動端部は、ゲート６８Ｇによって閉じられた開口部を規定するハンガー６８の端部に密に隣接するか当接する。
【０１０１】
例示的付属部品６０Ｃは、クリップで留められる、磁石の装着ブラケット６０Ｃであり、上述の装着ブラケット付属部品６０の対応する数の要素と実質的に同様である、基部６４および延長アーム６６とを有している。付属部品６０Ｃは、付属部品６０Ａに類似の１若しくはそれ以上の磁石を含んでおり、ループタイプのハンガーリング６８、６８Ｇをも含んでいる。ループタイプのハンガーリング６８、６８Ｇは、付属部品６０Ｂに関して記載した構成に実質的に類似の構成で、基部６４から延びている。
【０１０２】
付属部品６０Ｂおよび６０Ｃの基部６４、延長アーム６６、およびハンガーリング６８は、単一のピースとして形成することができる、好ましい例では、単一のピースとして形成されるが、そのような部品が、部品６４、６６、６８のアセンブリである他の例が考えられる。
【０１０３】
図１１Ａと図１１Ｂとは、それぞれ格納位置と展開位置とで示された、展開可能かつ格納可能なハンガー３４'Ｒまたはリング３４'Ｒをその照明装置ハウジングまたはボディ部２０、３０の端部に有する例示的照明装置１０の斜視図である。照明装置１０は、前述したものであるが、展開可能ハンガー３４'Ｒを支持するために、照明装置ボディ部２０、３０の前方端部に異なるエンドキャップ３４'を有している。エンドキャップ３４'は、立ち上がった中心部分３４'Ｓを有している。この立ち上がった中心部分３４'Ｓは、ハンガー３４'Ｒの形状に相補的な形状を有し、それにより、ハンガー３４'Ｒが格納されるとともに、中心部分３４'Ｓに対して押圧された際に、ハンガー３４'Ｒが格納された状態にあるようになっている。このため、中心部分３４'Ｓは、その前面において、わずかに大きくなっている場合があり、それにより、その中心部分３４'Ｓ周りに溝を規定するようになっている。格納される際には、この溝内に、ハンガー３４'Ｒがスナップフィットする。
【０１０４】
ハンガー３４'Ｒは、通常、対向し、内側に向いた端部を有する、剛性のワイヤーループまたはリングである。この端部は、エンドキャップ３４'の、両側に同軸に整列した横方向の穴部３４'Ｈに配置されている。図示の例では、ハンガー３４'Ｒは、台形形状のリングであり、立ち上がった中心部分３４'Ｓは、同様に、台形形状である。ハンガー３４'Ｒは、エンドキャップ３４'から離れるように回転されることによって配置されると、たとえばホック、爪、ピン、柱部などの対象につり下がるように利用可能である。照明装置ヘッド部４０が図示のように約９０度、または逆方向に約９０度旋回していると、照明装置１０は通常、ハンガー３４'Ｒにより、照明装置ボディ部２０が概して垂直方向につり下がった状態でつり下がり、そうして、照明装置１０が、光を概して水平に向け、また、照明装置ヘッド部４０の旋回は、光を異なる方向に向けるように変更することができる。
【０１０５】
エンドキャップ３４'は、上述のエンドキャップ３４に関する方式と同様の方式で、照明装置ボディ部２０に取り付けられている。照明装置１０のこの例示的実施形態は、たとえば、以下に記載する特定の細部において、上述のクリップ５０とは異なるクリップ５０'を有している。
【０１０６】
図１２は、照明装置に取り付けられたブラケット６０'の代替的な例示的実施形態を有する例示的照明装置１０の斜視図である。図１２Ａは、代替的な例示的ブラケット６０'の斜視図である。図１２Ｂおよび図１２Ｃは、本明細書に記載の例示的照明装置１０の実施形態のいずれかとともに使用可能なクリップ５０'、５０''の代替的な例示的実施形態の斜視図である。ブラケット６０'は、このブラケット６０'がクリップ５０上、特にクリップ５０'上に保持されるために、異なる構成を採用する点を除き、記載したブラケット６０と同様である。
【０１０７】
ブラケット６０'は、１若しくはそれ以上のクランプネジ６３'に対向するアンビル６２'Ａを規定するボディ部６２'を有している。ここで、ネジ６３'の締付けにより、たとえばヘルメットまたは帽子などの対象を、そのクリップ５０、５０'との係合によって照明装置１０が取り付けることができるブラケット６０'内にクランプする。ブラケットボディ部６２'は、スロット６８'を有している。このスロット６８'には、爪部１６８が配置されている。爪部１６８は、ブラケットボディ部６２'を通して横方向の枢軸ピン１６９上に旋回自在に装着されるとともに、好ましくは、内部に配置されたクリップ５０、５０'と係合するために溝６７内に向かって移動するように、たとえばバネによって付勢され、かつ、クリップ５０、５０'を開放するために、溝６７から離れるように移動可能である。
【０１０８】
ブラケット６０'およびクリップ５０'が、爪部１６８を通して係合して、クリップ５０'をブラケット６０'上に保持することから、照明装置１０のボディ部２０に隣接するブラケットアーム６６の表面は、上述のブラケット６０と同様に、照明装置１０のボディ部２０上の溝３２と相補的である、溝および／またはリッジ部６５を有する必要はないが、有していてもよい。クリップ５０、５０'および溝６７'の形状は、上述のクリップおよび溝の形状と類似であり、それにより、照明装置１０が、そのクリップ５０、５０'によってブラケット６０、６０'に装着できるようになっている。
【０１０９】
図１２Ｂのクリップ５０'は、クリップ５０'が、照明装置１０がそのクリップ５０、５０'によってブラケット６０、６０'に取り付けることができるように、ブラケット６０'の爪部１６８と整合する、一対の両側の切り欠き部または凹部５２'Ｒを有する点を除き、記載したようなクリップ５０と同様である。クリップ５０'は、細くなっている端部５２'Ｎと、短セクション５５'によってクリップアーム５２'が結合される環状リング５４'とを有する細長いアーム５２'を有している。
【０１１０】
図１２Ｃのクリップ５０''は、クリップ５０''が、その環状装着リング５４''をその細長いアーム５２''に接続する、より広い短セクション５５''を有する点を除き、記載したようなクリップ５０、５０'と同様である。これにより、照明装置１０をそのクリップ５０、５０'、５０''によってブラケット６０、６０'に取り付けることができる。具体的には、短セクション５５''は、短セクション５５、５５'よりも幅広の形状であり、それにより、短セクション５５''が、照明装置ボディ部２０に対するクリップ５０、５０''、５０''の回転を制限するエンドキャップ３８の肩部３８Ｓ間の空間を実質的に充填するようになっている。短セクション５５''が肩部３８Ｓに実質的に当接することから、クリップ５０''は、照明装置ボディ部２０に対して回転しないか、わずかだけ回転することができる。
【０１１１】
クリップ５０''は、細い端部５２''Ｎを有する細長いアーム５２''を有しており、また、クリップ５０、５'、５０''の他の例示的実施形態に関して示したような特徴を有する場合があるか、有していない場合がある。実際には、クリップ５０、５０'、５０''のいずれかが、より狭い短セクション５４、５４'もしくはより広い短セクション５４''、および／または、クリップ５０'で示した切り欠き部５２'Ｒ、もしくは、上述のクリップ５０で示したような、その縁部上の小さいバンプのいずれかを有することができる。実際には、短セクション５４、５４'、５４''の幅は、照明装置ボディ部２０'に対するクリップ５０、５０'、５０''の回転角度の任意の所望のレンジを与えるように形成することができる。
【０１１２】
溝６７の幅は、たとえば、所望であるか、所望ではない、相互運用性の程度に応じて、やはり、クリップ５０、５０'、５０''のクリップアーム５２、５２'、５２''の幅と同様に、異なるブラケット６０、６０'間の溝と類似とすることができるか、異なるものとすることができる。この特徴は、特定のブラケット６０、６０'、６０Ａ、６０Ｂ、６０Ｃが特定の構成で利用されないように利用することができる。あるいは、より幅広のクリップアーム５２、５２'、５２''は、特定のブラケット６０、６０'、６０Ａ、６０Ｂ、６０Ｃ、たとえば、ヘルメットの装着ブラケットが、たとえば防火ヘルメットでの使用が意図される照明装置１０にフィットしないように利用することができる。
【０１１３】
様々なクリップ５０、５０'、５０''は、様々なブラケットおよび付属部品６０、６０'、６０Ａ、６０Ｂ、６０Ｃのいずれかを受光するように、実質的に同じ幅のクリップアーム５２、５２'、５２''を有することができる。様々なクリップ５０、５０'、５０''のクリップアーム５２、５２'、５２''は、様々な幅の溝６７を有する特定の１若しくはそれ以上の付属部品および／またはブラケット６０、６０'、６０Ａ、６０Ｂ、６０Ｃのいずれかまたは複数に対応する様々な幅とすることができる。これにより、１若しくはそれ以上の特定のブラケット６０、６０'、６０Ａ、６０Ｂ、６０Ｃは、実質的に類似の幅のクリップアーム５２、５２'、５２''を有する１若しくはそれ以上のクリップ５０、５０'、５０''で使用することが意図される。
【０１１４】
図１３は、上述の反射器４２Ｒの代わりに、内部に固体の光学素子４２Ｓを含む、本明細書に記載の例示的照明装置１０のヘッド４０の側断面図である。固体の光学素子４２Ｓは、好ましくは、ヘッド部ハウジング４２内に支持された内部全反射型（ＴＩＲ）光学素子として構成されている。光学素子４２Ｓは、上述のものと同様に、レンズ４６およびレンズリング４８により、その前方端部においてヘッド部ハウジング４２内に、かつ、Ｏリング４６Ｓ内に保持されている。
【０１１５】
上述のものと同様に、ヘッド部ハウジング４２の後方端部において、熱拡散器４２Ｈが配置されており、この熱拡散器４２Ｈには、ＬＥＤ回路基板４２Ｌが隣接しており、このＬＥＤ回路基板４２Ｌ上には、ＬＥＤ４３が装着されている。固体の光学素子４２Ｓは、光学的に透明であるか透過性の材料であり、概して、光学的特性の平滑な外部表面を有している。概して円形の平面な光学素子４２Ｓの前面４２ＳＦは、円形のレンズ４６に隣接して配置され、横断方向の断面において概して円形である、湾曲した側部表面４２ＳＯは、たとえば、放物線状、部分的に放物線状、双曲線状、または他の形状の表面など、所望の特性を形成する光学ビームを生成するように、所望の曲率を規定している。
【０１１６】
ＬＥＤ４３は、ＬＥＤ４３によって発せられた光の実質的にすべてを確保するように構成された、ＴＩＲ光学素子４２Ｓの後方端部に隣接して配置されている。このため、ＬＥＤ４３が通常は、しばしばその中心軸付近で輝度がより強い、半球形の光の出力パターンに近い光を生成することから、ＴＩＲ光学素子４２Ｓは、その後方端部に、ＬＥＤ４３の中心軸に実質的に乗っている、実質的に円筒状の凹部４２ＳＲを伴って構成されており、円筒状の凹部４２ＳＲの底部は、凸状表面４２ＳＣとして形成されている。
【０１１７】
通常は、円筒状の凹部４２ＳＲの側部に入射する、ＬＥＤ４３によって発せられた光は、ＴＩＲ要素４２Ｓの外側表面４２ＳＯに向けられる。この外側表面４２ＳＯから、光が前面４２ＳＦに向けて反射され、この前面を通して、ＴＩＲ光学素子４２Ｓによって形成された光のビームの一部として光が通過する。さらに、円筒状の凹部４２ＳＲの凸状底部に作用する、ＬＥＤ４３によって発せられた光は、ＴＩＲ光学素子４２Ｓの前面４２ＳＦに向けられる。この前面を通して、ＴＩＲ光学素子４２Ｓによって形成された光のビームの一部として光が通過する。
【０１１８】
こうして、所望の屈折率を得るようにＴＩＲ要素４２Ｓが形成される材料を選択することと組み合わせて、外側表面４２ＳＯおよび凸状底部４２ＳＣの形状を構成することにより、光の所望のビームを、ＬＥＤ４３によって発せられた光から生成することができる。望ましいと思われる場合に、固体の光学素子４２Ｓが、反射器４２Ｒの代わりに、照明装置１０の任意の実施形態において利用することができることに留意されたい。
【０１１９】
部材４２ＳＭは、ヘッド部ハウジング４２に配置され、たとえば、ＬＥＤ４３と実質的に同軸であるとともにＬＥＤ４３に隣接して、ヘッド部ハウジング４２内に適切にＴＩＲ光学素子４２Ｓを配置するように構成することができる。好ましくは、部材４２ＳＭは、ＬＥＤ回路基板４２Ｌに隣接した、後方の形状を有している。また、部材４２ＳＭは、回路基板４２Ｌに当接することができる。部材４２ＳＭは、ＴＩＲ要素４２Ｓのための支持および位置決めをすることができるのみならず、やはり、ヒートシンクにより放熱するＬＥＤ４３のための熱経路を設けるように、比較的熱伝導性である材料とすることもできる。
【０１２０】
通常の例示的実施形態では、テールキャップ２４、ハウジング３０、エンドキャップ３４、前方端部３８、照明装置ヘッド部ハウジング４０、反射器４２Ｒ、および部材４２ＳＭは、グラスファイバ、カーボンファイバなどの補強材料を伴うか伴わず、また、熱伝導性の充填材料、または任意の他の適切なプラスチックもしくは他の成型可能材料を伴うか伴わずに、たとえば、好ましくは、ナイロン、人工ナイロン、ポリカーボネート、ポリエチレン、ＰＣ／ＰＥＴの混合プラスチック、ＡＢＳプラスチックなどの成型プラスチックの、任意の適切なプラスチックまたは金属材料で形成することができる。熱拡散器４２Ｈは、アルミニウム、真鍮、銅、鋼、ステンレス鋼、熱充填プラスチック、または別の適切な熱伝導性の材料で形成することができる。反射器４２Ｒおよび部材４２ＳＭは、代替的に、アルミニウム、真鍮、銅、鋼、ステンレス鋼、熱充填プラスチック、または別の適切な熱伝導性の材料で形成することができる。導電体３０Ｒ、２０２、２０４、２１０、２２０、および枢軸ピン３７は、好ましくは、たとえば銅、真鍮、青銅、リン青銅、ベリリウム銅、アルミニウム、鋼、ステンレス鋼、または別の適切な電気伝導性金属などの金属製である。レンズ２６、４６、反射器２６Ｒ、およびＴＩＲ光学素子４２Ｓは、ガラス、ポリカーボネート、ナイロン、アクリル、ＰＭＭＡ、または別の適切な透明であるか、透過性であるか半透明のプラスチックまたは他の材料で形成することができる。クリップ５０および接触バネ２４Ｓは、好ましくは、鋼、バネ鋼、ステンレス鋼、ベリリウム銅、または、バネのような特性を有する別の適切な材料で形成されている。
【０１２１】
ＬＥＤ４３は、好ましくは、高輝度の白色ＬＥＤであり、ＬＥＤ  Ｌ１は、好ましくは、青色ＬＥＤであり、ＬＥＤ  Ｌ２は、好ましくは、白色ＬＥＤである。照明装置１０は、好ましくは、２つのＣＲ−１２３リチウムセルバッテリ、または、１８６５０のタイプのリチウムイオンバッテリによって給電されるが、代替的には、４つのＡＡアルカリバッテリ、または別の適切なバッテリもしくは複数のバッテリによって給電することができる。さらに、照明装置１０は、１若しくはそれ以上の再充電可能なバッテリによって給電することができ、このバッテリは、照明装置１０とは別に再充電可能である。または、照明装置１０には、一対の外部の充電コンタクトを設けることができ、この充電コンタクトを通して、充電のための電力を、照明装置１０に設置された状態の１若しくはそれ以上のバッテリに提供することができる。たとえば、充電コンタクトは、ハウジング３０の両側、たとえば、ハウジング３０上の、ＰＯＬＹＴＡＣ（登録商標）１８０もしくはＶＡＮＴＡＧＥ（登録商標）１８０のパネル内または近く、またはテールキャップ２４上、または任意の他の好都合な位置に配置することができる。
【０１２２】
その中で、照明装置１０の１つの例示的実施形態では、照明装置は、約５インチ（約１２．７ｃｍ）の全体の長さ、前方端部１２における約１．５インチ（約３．８ｃｍ）の直径を有している。また、ハウジング３０は、約１インチ（約２．５ｃｍ）の横方向の寸法を有している。１つの例示的実施形態では、照明装置ヘッド部４０は、装着ブラケット６０がクリップ５０に装着されているか装着されていないかに関わらず、長手軸１６およびハウジング３０周りに、ハウジング３０に対して約±９０度だけ旋回自在である。１つの例示的実施形態では、照明装置ヘッド部４０は、長手軸１６に対して約±９０度だけ旋回自在であり、ホール効果センサＨＳは、長手軸１６に対して約＋８５度旋回した位置にある磁石４０Ｍを検出する。たとえば、照明装置１０がヘルメット装着ブラケット６０、６０'によってヘルメットに装着されている別の構成では、照明装置ヘッド部４０の照明装置ボディ部３０に対する回転が、照明装置ヘッド部４０とヘルメット、たとえばヘルメットのへりとの間の干渉により、約９０度未満に制限される場合があり、そうして、ヘルメットに装着されている場合に、約±１０度〜約±２０度、移動可能とすることができる。
【０１２３】
携帯用照明装置１０は、前方端部、後方端部、および、前方端部と後方端部との間の長手軸を規定する照明装置ハウジング２０であって、この照明装置ハウジング２０が、第１のハウジング３０、ならびに、長手軸および第１のハウジング３０に対して旋回自在な照明装置ヘッド部４０を含む照明装置ハウジング２０と、照明装置ヘッド部４０内にある照明光源４３を含む、１若しくはそれ以上の光源４３、Ｌ１、Ｌ２であって、照明装置ヘッド部４０から外側に光を向けるために選択的に通電可能である、前記１若しくはそれ以上の光源と、１若しくはそれ以上の光源４３、Ｌ１、Ｌ２に選択的に通電して光を生成するための電気スイッチ２２、２０８と、照明装置ヘッド部４０の第１のハウジング３０に対する旋回位置の検出器ＨＳであって、１若しくはそれ以上の光源４３、Ｌ１、Ｌ２に通電および／または１若しくはそれ以上の光源４３、Ｌ１、Ｌ２に対して通電停止するように構成されているものである、前記検出器ＨＳと、を含む場合がある。１若しくはそれ以上の光源４３、Ｌ１、Ｌ２は、照明装置ハウジング２０内に第２の光源２６、Ｌ１、Ｌ２、２６、Ｌ１、Ｌ２を含む場合があり、電気スイッチ２２、２０８は、第２の光源２６、Ｌ１、Ｌ２、２６、Ｌ１、Ｌ２に選択的に通電し、検出器ＨＳは、第２の光源２６、Ｌ１、Ｌ２、２６、Ｌ１、Ｌ２に通電および／または第２の光源２６、Ｌ１、Ｌ２、２６、Ｌ１、Ｌ２に対して通電停止する。第２の光源２６、Ｌ１、Ｌ２、２６、Ｌ１、Ｌ２は、第の１光生成要素Ｌ１、Ｌ２によって生成された第１の光、および、第２の光生成要素Ｌ１、Ｌ２によって生成された第２の光を受光するように構成された光学素子２６、２６Ｒ、２６ＲＯであって、この光学素子２６、２６Ｒ、２６ＲＯは、第１の光および第２の光を、照明装置ハウジング２０によって規定された長手軸に対して実質的に平行な方向に向けるように構成された、光学素子２６、２６Ｒ、２６ＲＯをさらに含む場合がある。検出器ＨＳは、照明装置ヘッド部４０が照明装置ハウジング２０に対して所定の角度よりもより大きい角度に旋回したを検出し、選択的に１若しくはそれ以上の光源４３、Ｌ１、Ｌ２に通電する。所定の角度は、約６０度〜約９０度の範囲内にある場合があるか、約８５度〜約９０度の範囲内にある場合がある。検出器ＨＳは、照明装置ヘッド部４０および第１のハウジング３０のうちの一方によって支持された磁石と、照明装置ヘッド部４および第１のハウジング３０のうちの他方によって支持された磁界検出器ＨＳとを含む場合があり、検出器ＨＳは、照明装置ヘッド部４０が、第１のハウジング３０に対して所定の角度に旋回した際に、磁石の磁界を検出する。所定の角度は、約６０度〜約９０度の範囲内にある場合があるか、約８５度〜約９０度の範囲内にある場合がある。磁界検出器ＨＳは、ホール効果センサまたはリードスイッチ（ｒｅｅｄ  ｓｗｉｔｃｈ）を含む場合がある。携帯用照明装置１０は、照明装置ハウジング２０に取り付けられ、照明装置ハウジングに沿って実質的に長手方向に延びる細長いクリップ５０、または、照明装置ハウジング２０において照明光源４３の近位に取り付けられたハンガーリング３４'Ｒ、または、照明装置ハウジング２０に取り付けられ、照明装置ハウジング２０に沿って実質的に長手方向に延びる細長いクリップ５０、および、照明装置ハウジング２０において照明光源４３の近位に取り付けられたハンガーリング３４'Ｒをさらに含む場合がある。携帯用照明装置１０が細長いクリップ５０を含む場合、細長いクリップ５０は、照明装置ハウジング２０周りを回転自在に構成することができ、携帯用照明装置１０がハンガーリング３４'Ｒを含む場合、ハンガーリング３４'Ｒは、照明装置ハウジング２０に、照明光源４３の近位に取り付けることができ、また、照明装置ハウジング２０に隣接して格納するとともに、照明装置ハウジング２０から離れる方向に配置されるように構成することができる。
【０１２４】
携帯用照明装置１０は、照明装置ハウジング２０であって、前方端部、後方端部、および、前方端部と後方端部との間の長手軸を規定し、第１のハウジング３０と、長手軸および第１のハウジング３０に対して旋回自在な照明装置ヘッド部４０とを含むものである、照明装置ハウジング２０と、照明装置ヘッド部４０内にあり、照明装置ハウジング２０の前方端部から外側に向かって光を向けるために、選択的に通電可能な照明光源４３と、照明装置ハウジング２０の後方端部から外側に光を向けるために、選択的に通電可能な第２の光源２６、Ｌ１、Ｌ２と、を含む場合があり、第２の光源２６、Ｌ１、Ｌ２は、第１の光を生成するように構成された第１の光生成要素Ｌ１、Ｌ２と、照明光源４３、第１の光生成要素Ｌ１、Ｌ２、または、照明光源４３および第１の光生成要素Ｌ１、Ｌ２に選択的に通電して光を生成するための電気スイッチ２２、２０８と、照明装置ヘッド部４０の第１のハウジング３０に対する旋回位置の検出器ＨＳであって、第１の光生成要素Ｌ１、Ｌ２に通電および／または第１の光生成要素Ｌ１、Ｌ２に対して通電停止のするように構成されているものである、検出器ＨＳと、を含む場合がある。検出器ＨＳは、照明装置ヘッド部４０が第１のハウジング２０に対して所定の角度よりもより大きい角度に旋回したことを検出し、選択的に第１の光生成要素Ｌ１、Ｌ２に通電および／または第１の光生成要素Ｌ１、Ｌ２に対して通電停止する。所定の角度は、約６０度〜約９０度の範囲内にある場合があるか、約８５度〜約９０度の範囲内にある場合がある。検出器ＨＳは、照明装置ヘッド部４０および第１のハウジングのうちの一方によって支持された磁石と、照明装置ヘッド部４０および第１のハウジングのうちの他方によって支持された磁界検出器ＨＳとを含む場合があり、検出器ＨＳは、照明装置ヘッド部４０が、第１のハウジングに対して所定の角度だけ旋回した際に、磁石の磁界を検出する。所定の角度は、約６０度〜約９０度の範囲内にある場合があるか、約８５度〜約９０度の範囲内にある場合がある。磁界検出器ＨＳは、ホール効果センサまたはリードスイッチを含む場合がある。第２の光源２６、Ｌ１、Ｌ２は、第２の光を生成するように構成された第２の光生成要素Ｌ１、Ｌ２をさらに含む場合があり、電気スイッチ２２、２０８は、光を生成するために、照明光源４３、第１の光生成要素Ｌ１、Ｌ２、または第２の光生成要素Ｌ１、Ｌ２、若しくは照明光源４３、第１の光生成要素Ｌ１、Ｌ２、および第２の光生成要素Ｌ１、Ｌ２の任意の組合せに選択的に通電する場合があり、照明装置ヘッド部４０の第１のハウジング３０に対する旋回位置の検出器ＨＳは、第１の光生成要素Ｌ１、Ｌ２、または第２の光生成要素Ｌ１、Ｌ２、若しくは第１の光生成要素Ｌ１、Ｌ２および第２の光生成要素Ｌ１、Ｌ２の双方に通電および／または通電停止するためのものである場合がある。第２の光源２６、Ｌ１、Ｌ２は、第１の光生成要素Ｌ１、Ｌ２によって生成された第１の光、および、第２の光生成要素Ｌ１、Ｌ２によって生成された第２の光を受光するするように構成された光学素子２６、２６Ｒ、２６ＲＯをさらに含み、この光学素子は、第１の光および第２の光を、後方かつ照明装置ハウジング２０によって規定された軸に対して実質的に平行な方向に向けるように構成されている。光学素子２６、２６Ｒ、２６ＲＯは、照明装置ハウジング２０の後方端部から外側に、長手軸の方向に対して実質的に平行な軸に沿って光を向けるように構成された反射器を含む場合があり、第１の光生成要素Ｌ１、Ｌ２は、第１の光を射器によって規定された軸に対して実質的に平行に向けるように構成されており、第２の光生成要素Ｌ１、Ｌ２は、第２の光を反射器によって規定された軸に対して実質的に横断方向に向けるように構成されており、反射器は、第２の照明装置要素からの光を、当該反射器によって規定された軸に対して実質的に平行に向ける。携帯用照明装置１０は、電子回路基板２００をさらに含む場合があり、第１の光生成要素Ｌ１、Ｌ２は、電子回路基板２００の表面に装着され、電子回路基板２００の表面に対して実質的に平行、かつ、反射器によって規定される軸に対して実質的に平行に光を向けるように構成されており、第２の光生成要素Ｌ１、Ｌ２は、電子回路基板２００の表面に装着され、電子回路基板２００の表面に対して実質的に横断方向に光を向けるように構成されており、反射器は放物線状表面の一部を画成する反射面を有し、この放物線状表面は、放物線の軸、および、放物線の軸上の焦点を規定し、反射器は、その基端部において開口しているものであり、反射器は、電子回路基板２００に隣接して配置されており、それにより、放物線の軸が、電子回路基板２００の表面に対して実質的に平行となるものであり、第１の光生成要素Ｌ１、Ｌ２は反射器の基部の開口部を通して光を向け、第２の光生成要素Ｌ１、Ｌ２は、反射器の放物線状表面の実質的に焦点位置に配置されるようになっている。携帯用照明装置１０は、レンズ２６、２６Ｇであって、第１の光生成要素Ｌ１、Ｌ２によって生成された第１の光、および、第２の光生成要素Ｌ１、Ｌ２によって生成された第２の光が、当該レンズ２６、２６Ｇを通過するように、反射器に隣接して配置されている、レンズ２６、２６Ｇ、または、フレネルレンズ２６Ｇであって、第１の光生成要素Ｌ１、Ｌ２によって生成された第１の光、および、第２の光生成要素Ｌ１、Ｌ２によって生成された第２の光が、フレネルレンズ２６Ｇを通過するように、反射器に隣接して配置されている、フレネルレンズ２６Ｇをさらに含む場合がある。光学素子２６、２６Ｒ、２６ＲＯは、光を、照明装置ハウジング２０の後方端部から外側に、長手軸に対して実質的に平行な軸に沿って向けるように構成された反射器と、照明装置ハウジング２０の後方端部から外側に光を向けるように構成され、長手軸の方向に対して実質的に平行な軸を有するライトパイプ（ｌｉｇｈｔ  ｐｉｐｅ）と、を含む場合があり、第１の光生成要素Ｌ１、Ｌ２は、光をライトパイプ内に向けるように構成されており、第２の光生成要素Ｌ１、Ｌ２は、光を、反射器によって規定された軸に対して実質的に横断方向に向けるように構成されており、反射器は、第２の照明装置要素からの光を、当該反射器によって規定された軸に対して実質的に平行に向ける。携帯用照明装置１０は、電子回路基板２００をさらに含む場合があり、第１の光生成要素Ｌ１、Ｌ２は、電子���路基板２００の表面に装着され、光をライトパイプ内に向けるように構成されており、第２の光生成要素Ｌ１、Ｌ２は、電子回路基板２００の表面に装着され、光を電子回路基板２００の表面に対して実質的に横断方向に向けるように構成されており、反射器は放物線状表面の一部を画成する反射面を有し、この放物線状表面は、放物線の軸、および、放物線の軸上の焦点を規定し、反射器は電子回路基板２００に隣接して配置されており、それにより、放物線の軸は電子回路基板２００の表面に対して実質的に平行となるものであり、第２の光生成要素Ｌ１、Ｌ２は反射器の放物線状表面の実質的に焦点位置に配置されるようになっている。携帯用照明装置１０は、レンズ２６、２６Ｇであって、第１の光生成要素Ｌ１、Ｌ２によって生成された光、および、第２の光生成要素Ｌ１、Ｌ２によって生成された第２の光が、レンズ２６、２６Ｇを通過するように、反射器に隣接して配置されている、レンズ２６、２６Ｇ、または、フレネルレンズ２６Ｇであって、第１の光生成要素Ｌ１、Ｌ２によって生成された第１の光、および、第２の光生成要素Ｌ１、Ｌ２によって生成された第２の光がフレネルレンズ２６Ｇを通過するように、反射器に隣接して配置されている、フレネルレンズ２６Ｇをさらに含む場合がある。光学素子２６、２６Ｒ、２６ＲＯは、内部反射する固体光学素子を含み、この内部反射する固体光学素子は、その第１の入力面および第２の入力面でそれぞれ受光した光を、照明装置ハウジング２０の後方端部の近位にある出力面から外側に、長手軸方向に対して実質的に平行な軸に沿って向けるように構成され、第１の光生成要素Ｌ１、Ｌ２は、第１の光を内部反射する固体光学素子の第１の入力面に入射するように方向付け、第２の光生成要素Ｌ１、Ｌ２は、第２の光を内部反射する固体光学素子の第２の入力面に入射するように方向付ける。携帯用照明装置１０は、電子回路基板２００をさらに含む場合があり、第１の光生成要素Ｌ１、Ｌ２は、電子回路基板２００の表面に装着され、それにより、第１の光を内部反射する固体光学素子の第１の入力面に入射するように方向付け、第２の光生成要素Ｌ１、Ｌ２は、電子回路基板２００の表面に装着され、それにより、第２の光を内部反射する固体光学素子の第２の入力面に入射するように方向付ける。内部反射する固体光学素子の出力面は、実質的に平面を規定する場合があるか、曲面を規定するか、フレネルレンズ２６Ｇを規定する。携帯用照明装置１０は、第１のハウジング３０に隣接するとともにこの第１のハウジング３０に沿って、かつ、長手軸に対して実質的に平行に延びる細長いクリップ５０と、径方向に押圧された際に電気スイッチ２２、２０８を作動させるプッシュボタン式アクチュエータ２２と、をさらに含む場合があり、プッシュボタン式アクチュエータ２２は、第１のハウジング３０の外面上において細長いクリップ５０に対して実質的に正反対の位置に配置されている。携帯用照明装置１０は、照明装置ハウジング２０に取り付けられ、照明装置ハウジング２０に沿って長手方向に延びる細長いクリップ５０、または、照明装置ハウジングに取り付けられたハンガーリング３４'Ｒ、または、照明装置ハウジング２０に取り付けられ、照明装置ハウジング２０に沿って実質的に長手方向に延びる細長いクリップ５０および照明装置ハウジング２０に取り付けられたハンガーリング３４'Ｒをさらに含む場合がある。携帯用照明装置１０が細長いクリップ５０を含む場合、細長いクリップ５０は、照明装置ハウジング２０周りを回転自在に構成することができ、携帯用照明装置１０がハンガーリング３４'Ｒを含む場合、ハンガーリング３４'Ｒは、照明装置ハウジング２０に隣接して格納するとともに、照明装置ハウジング２０から離れる方向に配置されるように構成することができる。
【０１２５】
携帯用光源は、第１の光を選択的に生成するように構成された第１の光生成要素Ｌ１、Ｌ２と、第２の光を選択的に生成するように構成された第２の光生成要素Ｌ１、Ｌ２と、光軸を規定する光学素子２６、２６Ｒ、２６ＲＯであって、第１の光生成要素Ｌ１、Ｌ２によって生成された第１の光、および、第２の光生成要素Ｌ１、Ｌ２によって生成された第２の光を受光するように構成され、第１の光および第２の光を、光学素子２６、２６Ｒ、２６ＲＯによって規定された光軸に対して実質的に平行な方向に向けるように構成された、光学素子２６、２６Ｒ、２６ＲＯとを含む場合がある。光学素子２６、２６Ｒ、２６ＲＯは、光を外側に、かつ光軸の方向に実質的に平行な軸に沿って向けるように構成された反射器を含む場合があり、第１の光生成要素Ｌ１、Ｌ２は、第１の光を、反射器によって規定された軸に対して実質的に平行に向けるように構成されており、第２の光生成要素Ｌ１、Ｌ２は、第２の光を、反射器によって規定された軸に対して実質的に横断方向に向けるように構成されており、反射器は、第２の照明装置要素からの第２の光を、反射器によって規定された軸に対して実質的に平行に向ける。携帯用光源１０は、電子回路基板２００をさらに含む場合があり、第１の光生成要素Ｌ１、Ｌ２は、電子回路基板２００の表面に装着され、電子回路基板２００の表面に対して実質的に平行、かつ、反射器によって規定される軸に対して実質的に平行に第１の光を向けるように構成されており、第２の光生成要素Ｌ１、Ｌ２は、電子回路基板２００の表面に装着され、電子回路基板２００の表面に対して実質的に横断方向に第２の光を向けるように構成されており、反射器は、放物線状表面の一部を画成する反射面を有し、この放物線状表面は、放物線の軸、および、放物線の軸上の焦点を規定し、反射器は、その基端部において開口しているものであり、反射器は、電子回路基板２００に隣接して配置されており、それにより、放物線の軸は電子回路基板２００の表面に対して実質的に平行となるものであり、第１の光生成要素Ｌ１、Ｌ２は、反射器の基部の開口部を通して第１の光を向け、第２の光生成要素Ｌ１、Ｌ２は反射器の放物線状表面の実質的に焦点位置に配置されるようになっている。携帯用光源１０は、レンズ２６、２６Ｇであって、第１の光生成要素Ｌ１、Ｌ２によって生成された第１の光、および、第２の光生成要素Ｌ１、Ｌ２によって生成された第２の光が、レンズ２６、２６Ｇを通過するように、反射器に隣接して配置されている、レンズ２６、２６Ｇ、または、フレネルレンズ２６Ｇであって、第１の光生成要素Ｌ１、Ｌ２によって生成された第１の光、および、第２の光生成要素Ｌ１、Ｌ２によって生成された第２の光が、フレネルレンズ２６Ｇを通過するように、反射器に隣接して配置されている、フレネルレンズ２６Ｇをさらに含む場合がある。光学素子２６、２６Ｒ、２６ＲＯは、光を外側に、かつ光軸の方向に実質的に平行な軸に沿って向けるように構成された反射器と、光を外側に、かつ光軸の方向に実質的に平行な軸に沿って向けるように構成されたライトパイプとを含む場合があり、第１の光生成要素Ｌ１、Ｌ２は、第１の光をライトパイプ内に入射するように方向付け、第２の光生成要素Ｌ１、Ｌ２は、第２の光を、反射器によって規定された軸に対して実質的に横断方向に向けるように構成されており、反射器は、第２の照明装置要素からの第２の光を、反射器によって規定された軸に対して実質的に平行に向ける。携帯用光源１０は、電子回路基板２００をさらに含む場合があり、第１の光生成要素Ｌ１、Ｌ２は、電子回路基板２００の表面に装着され、第１の光をライトパイプ内に入射するように方向付け、第２の光生成要素Ｌ１、Ｌ２は、電子回路基板２００の表面に装着され、電子回路基板２００の表面に対して実質的に横断方向に第２の光を向けるように構成されており、反射器は、放物線状表面の一部を画成する反射面を有し、この放物線状表面は、放物線の軸、および、放物線の軸上の焦点を規定し、反射器は、電子回路基板２００に隣接して配置されており、それにより、放物線の軸は、電子回路基板２００の表面に対して実質的に平行となるものであり、第２の光生成要素Ｌ１、Ｌ２は、反射器の放物線状表面の実質的に焦点位置に配置されるようになっている。携帯用光源１０は、レンズ２６、２６Ｇであって、第１の光生成要素Ｌ１、Ｌ２によって生成された第１の光、および、第２の光生成要素Ｌ１、Ｌ２によって生成された第２の光が、レンズ２６、２６Ｇを通過するように、反射器に隣接して配置されている、レンズ２６、２６Ｇ、または、フレネルレンズ２６Ｇであって、第１の光生成要素Ｌ１、Ｌ２によって生成された第１の光、および、第２の光生成要素Ｌ１、Ｌ２によって生成された第２の光が、フレネルレンズ２６Ｇを通過するように、反射器に隣接して配置されている、フレネルレンズ２６Ｇをさらに含む場合がある。光学素子２６、２６Ｒ、２６ＲＯは、内部反射する固体光学素子を含み、当該固体光学素子は、第１の入力面および第２の入力面でそれぞれ受光した光をその出力面から外側に、光軸に対して実質的に平行な軸に沿って向けるように構成される場合があり、第１の光生成要素Ｌ１、Ｌ２は、第１の光を内部反射する固体光学素子の第１の入力面に入射するように方向付けるものであり、第２の光生成要素Ｌ１、Ｌ２は、第２の光を内部反射する固体光学素子の第２の入力面に入射するように方向付ける。携帯用光源１０は、電子回路基板２００をさらに含む場合があり、第１の光生成要素Ｌ１、Ｌ２は、電子回路基板２００の表面に装着され、それにより、第１の光を内部反射する固体光学素子の第１の入力面に入射するように方向付けるものであり、第２の光生成要素Ｌ１、Ｌ２は、電子回路基板２００の表面に装着され、それにより、第２の光を内部反射する固体光学素子の第２の入力面に入射するように方向付ける。内部反射する固体光学素子の出力面は、実質的に平面を規定する場合があるか、曲面を規定するか、フレネルレンズ２６Ｇを規定する。携帯用光源１０は、第１の光生成要素および第２の光生成要素、ならびに、光学素子を支持する照明装置ハウジング２０をさらに含む場合があり、また、照明装置ハウジング２０に取り付けられ、照明装置ハウジング２０に沿って延びる細長いクリップ５０、または、照明装置ハウジング２０に取り付けられたハンガーリング３４'Ｒ、または、照明装置ハウジング２０に取り付��られ、照明装置ハウジング２０に沿って延びる細長いクリップ５０、および、照明装置ハウジング２０に取り付けられたハンガーリング３３４'Ｒを含む場合がある。携帯用光源１０が細長いクリップ５０を含む場合、細長いクリップ５０は、照明装置ハウジングの周りを回転自在に構成することができ、携帯用光源１０がハンガーリング３４'Ｒを含む場合、ハンガーリング３４'Ｒは、照明装置ハウジングに隣接して格納されるとともに、照明装置ハウジング２０から離れる方向に配置されるように構成される。
【０１２６】
携帯用照明装置１０は、前方端部、後方端部、および、前方端部と後方端部との間の長手軸を規定する照明装置ハウジング２０と、照明装置ハウジング２０内にあり、照明装置ハウジング２０から外側に光を向けるために選択的に通電可能な照明光源４３と、照明光源４３に選択的に通電して光を生成するための電気スイッチ２２、２０８と、照明装置ハウジング２０に隣接するとともに照明装置ハウジング２０に沿って長手軸に対して実質的に平行に延びる細長いクリップ５０であって、中心位置に対する所定の径方向角度にわたって照明装置ハウジング２０および長手軸周りに回転自在である、細長いクリップ５０と、照明装置ハウジング２０に隣接して細長いクリップ５０に取り付けられるように構成された付属部品６０、６０'、６０Ａ、６０Ｂ、６０Ｃであって、付属部品６０、６０'、６０Ａ、６０Ｂ、６０Ｃが、照明装置ハウジング２０に隣接して細長いクリップ５０上に保持されるように構成される場合があり、それにより、細長いクリップ５０と付属部品とが、実質的に照明装置ハウジング２０の長手軸周りに、ともに回転するように構成されている、付属部品６０、６０'、６０Ａ、６０Ｂ、６０Ｃと、を備えている場合がある。細長いクリップ５０は、比較的幅広の部分と、比較的幅の狭い遠位端部とを有する場合があり、細長いクリップ５０の比較的幅広の部分は、着脱自在に付属部品と係合する。付属部品６０、６０'、６０Ａ、６０Ｂ、６０Ｃは、装着ブラケット、アンビルおよび一対のネジを含む装着ブラケット、バネで付勢された爪部、磁石、ハンガー、ゲート状の開口部を有するハンガー、またはこれらの組合せを含む場合がある。携帯用照明装置１０は、径方向に押圧された際に電気スイッチ２２、２０８を作動させるためのプッシュボタン式アクチュエータ２２をさらに含む場合があり、プッシュボタン式アクチュエータ２２は、照明装置ハウジング２０の外面上において細長いクリップ５０の中心位置に対して実質的に正反対の位置に配置されている。照明装置ハウジング２０は、第１のハウジング３０、ならびに、長手軸および第１のハウジング３０に対して旋回自在な照明装置ヘッド部４０を含む場合があり、細長いクリップ５０は、第１のハウジング３０によって支持されるとともに、第１のハウジング３０周りに回転自在である。細長いクリップ５０は、第１のハウジング３０の端部において回転自在に支持されている場合がある。第１のハウジング３０は、第１のハウジング３０の端部に柱部を有する場合があり、ここで、細長いクリップ５０が、その一方の端部において、柱部上で回転自在であるリングを有し、第１のハウジング３０の端部において支持された細長いクリップ５０のリングを旋回自在に保持するために、柱部に取り付けられたキャップ３４をさらに含んでいる。細長いクリップ５０は、照明装置ハウジング２０の端部において回転自在に支持されている場合がある。照明装置ハウジング２０は、その端部に柱部を有する場合があり、細長いクリップ５０は、その一方の端部において、柱部上で回転自在であるリングを有し、照明装置ハウジング２０の端部において支持された細長いクリップ５０のリングを旋回自在に保持するために、柱部に取り付けられたキャッ��３４をさらに含んでいる。携帯用照明装置１０は、照明装置ハウジング２０の後方端部から外側に光を向けるために、選択的に通電可能な第２の光源２６、Ｌ１、Ｌ２と、をさらに含む場合があり、電気スイッチ２２、２０８は、照明光源４３、または第２の光源２６、Ｌ１、Ｌ２、若しくは照明光源４３および第２の光源２６、Ｌ１、Ｌ２の双方に選択的に通電して光を生成する。携帯用照明装置１０は、照明装置ハウジング２０に取り付けられたハンガーリング３４'Ｒ、または、照明装置ハウジング２０に取り付けられ、照明装置ハウジング２０に隣接して格納され、かつ、照明装置ハウジング２０から離れる方向に配置されるように構成された、ハンガーリング３４'Ｒをさらに含む場合がある。携帯用照明装置１０は、照明装置ハウジング２０の後方端部から外側に光を向けるために、選択的に通電可能な第２の光源２６、Ｌ１、Ｌ２をさらに含む場合があり、電気スイッチ２２、２０８は、照明光源４３、または第２の光源２６、Ｌ１、Ｌ２、若しくは照明光源４３および第２の光源２６、Ｌ１、Ｌ２の双方に選択的に通電して光を生成する。
【０１２７】
携帯用照明装置は、前方端部、後方端部、および、前方端部と後方端部との間の長手軸を規定する照明装置ハウジング２０と、照明装置ハウジング２０の前方端部から外側に向かって光を向けるために選択的に通電可能な照明光源４３と、照明装置ハウジング２０の後方端部から外側に向かって光を向けるために選択的に通電可能な第２の光源２６、Ｌ１、Ｌ２であって、第１の光を選択的に生成するように構成された第１の光生成要素Ｌ１、Ｌ２と、第２の光を選択的に生成するように構成された第２の光生成要素Ｌ１、Ｌ２とを含む、第２の光源２６、Ｌ１、Ｌ２と、第１の光生成要素Ｌ１、Ｌ２によって生成された第１の光および第２の光生成要素Ｌ１、Ｌ２によって生成された第２の光を受光し、第１の光および第２の光を後方かつ照明装置ハウジング２０によって規定された長手軸に対して実質的に平行な方向に向けるように構成された光学素子２６、２６Ｒ、２６ＲＯと、を含む、第２の光源２６、Ｌ１、Ｌ２と、光を生成するために、照明光源４３、第１の光生成要素Ｌ１、Ｌ２、または第２の光生成要素Ｌ１、Ｌ２、若しくは照明光源４３、第１の光生成要素Ｌ１、Ｌ２、および第２の光生成要素Ｌ１、Ｌ２の任意の組合せに選択的に通電するための電気スイッチ２２、２０８と、を含む場合がある。光学素子２６、２６Ｒ、２６ＲＯは、光を、照明装置ハウジング２０の後方端部から外側に、長手軸方向に対して実質的に平行な軸に沿って向けるように構成された反射器をさらに含む場合があり、第１の光生成要素Ｌ１、Ｌ２は、光を、反射器によって規定された軸に対して実質的に平行に向けるように構成されており、第２の光生成要素Ｌ１、Ｌ２は、光を、反射器によって規定された軸に対して実質的に横断方向に向けるように構成されており、反射器は、第２の照明装置要素からの光を、反射器によって規定された軸に対して実質的に平行に向ける。携帯用照明装置１０は、電子回路基板２００をさらに含む場合があり、第１の光生成要素Ｌ１、Ｌ２は、電子回路基板２００の表面に装着され、電子回路基板２００の表面に対して実質的に平行、かつ、反射器によって規定される軸に対して実質的に平行に光を向けるように構成されており、第２の光生成要素Ｌ１、Ｌ２は、電子回路基板２００の表面に装着され、電子回路基板２００の表面に対して実質的に横断方向に光を向けるように構成されており、反射器は、放物線状表面の一部を画成する反射面を有し、この放物線状表面が、放物線の軸、および、放物線の軸上の焦点を規定し、反射器は、その基端部において開口しているものであり、反射器は、電子回路基板２００に隣接して配置されており、それにより、放物線の軸が、電子回路基板２００の表面に対して実質的に平行となるものであり、第１の光生成要素Ｌ１、Ｌ２は、反射器の基部の開口部を通して光を向けるものであり、第２の光生成要素Ｌ１、Ｌ２は、反射器の放物線状表面の実質的に焦点位置に配置されるようになっている。携帯用照明装置は、レンズ２６、２６Ｇであって、第１の光生成要素Ｌ１、Ｌ２によって生成された光、および、第２の光生成要素Ｌ１、Ｌ２によって生成された光が、レンズ２６、２６Ｇを通過するように、反射器に隣接して配置されている、レンズ２６、２６Ｇ、または、フレネルレンズ２６Ｇであって、第１の光生成要素Ｌ１、Ｌ２によって生成された光、および、第２の光生成要素Ｌ１、Ｌ２によって生成された光が、フレネルレンズ２６Ｇを通過するように、反射器に隣接して配置されている、フレネルレンズ２６Ｇをさらに含む場合がある。光学素子２６、２６Ｒ、２６ＲＯは、光を、照明装置ハウジング２０の後方端部から外側に、長手軸方向に対して実質的に平行な軸に沿って向けるように構成された反射器と、光を、照明装置ハウジング２０の後方端部から外側に向けるように構成され、長手軸の方向に対して実質的に平行な軸を有するライトパイプと、を含む場合があり、第１の光生成要素Ｌ１、Ｌ２は、光をライトパイプ内に入射するように方向付けるものであり、第２の光生成要素Ｌ１、Ｌ２は、光を、反射器によって規定された軸に対して実質的に横断方向に向けるように構成されている場合があり、反射器は、第２の照明装置要素からの光を、反射器によって規定された軸に対して実質的に平行に向ける。携帯用照明装置１０は、電子回路基板２００をさらに含む場合があり、第１の光生成要素Ｌ１、Ｌ２は、光をライトパイプ内に向けるために、電子回路基板２００の表面に装着されており、第２の光生成要素Ｌ１、Ｌ２は、電子回路基板２００の表面に対して実質的に横断方向に光を向けるために、電子回路基板２００の表面に装着されており、反射器は、放物線状表面の一部を画成する反射面を有し、この放物線状表面は、放物線の軸、および、放物線の軸上の焦点を規定し、反射器は、電子回路基板２００に隣接して配置されており、それにより、放物線の軸が、電子回路基板２００の表面に対して実質的に平行となるものであり、第２の光生成要素Ｌ１、Ｌ２が、反射器の放物線状表面の実質的に焦点位置に配置されるようになっている。携帯用照明装置１０は、レンズ２６、２６Ｇであって、第１の光生成要素Ｌ１、Ｌ２によって生成された光、および、第２の光生成要素Ｌ１、Ｌ２によって生成された光が、レンズ２６、２６Ｇを通過するように、反射器に隣接して配置されている、レンズ２６、２６Ｇ、または、フレネルレンズ２６Ｇであって、第１の光生成要素Ｌ１、Ｌ２によって生成された光、および、第２の光生成要素Ｌ１、Ｌ２によって生成された光が、フレネルレンズ２６Ｇを通過するように、反射器に隣接して配置されている、フレネルレンズ２６Ｇをさらに含む場合がある。光学素子２６、２６Ｒ、２６ＲＯは、内部反射する固体光学素子を含む場合があり、内部反射する固体光学素子は、その第１の入力面および第２の入力面でそれぞれの受光した光を、照明装置ハウジング２０の後方端部に近位にある出力面から外側に、長手軸方向に対して実質的に平行な軸に沿って向けるように構成されているものであり、第１の光生成要素Ｌ１、Ｌ２は、第１の光を内部反射する固体光学素子の第１の入力面に入射するように方向付け、第２の光生成要素Ｌ１、Ｌ２は、第２の光を内部反射する固体光学素子の第２の入力面に入射するように方向付ける場合がある。携帯用照明装置１０は、電子回路基板２００をさらに含む場合があり、電子回路基板２００の表面に装着され、第１の光生成要素Ｌ１、Ｌ２は、第１の光を内部反射する固体光学素子の第１の入力面に入射するように方向付け、第２の光生成要素Ｌ１、Ｌ２は、電子回路基板２００の表面に装着され、第２の光を内部反射する固体光学素子の第２の入力面に入射するように方向付ける場合がある。内部反射する固体光学素子の出力面は、実質的に平面を規定する場合があるか、曲面を規定するか、フレネルレンズ２６Ｇを規定する。照明装置ハウジング２０は、照明装置ハウジング２０に旋回自在に装着された照明装置ヘッド部４０を含む場合があり、第１の光源は、照明装置ヘッド部４０によって支持されている。携帯用照明装置１０であって、照明装置ヘッド部４０が照明装置ハウジング２０に対して所定の角度よりもより大きい角度だけ旋回することにより、第１の光生成要素Ｌ１、Ｌ２、または第２の光生成要素Ｌ１、Ｌ２、若しくは第１の光生成要素Ｌ１、Ｌおよび第２の光生成要素Ｌ１、Ｌ２の双方が選択的に通電および／または通電停止される。所定の角度は、約６０度〜約９０度の範囲内にある場合があるか、約８５度〜約９０度の範囲内にある場合がある。携帯用照明装置１０は、照明装置ヘッド部４０および照明装置ハウジング２０のうちの一方によって支持された磁石と、照明装置ヘッド部４０および照明装置ハウジング２０のうちの他方によって支持された磁界検出器ＨＳとをさらに含む場合があり、検出器ＨＳは、照明装置ヘッド部４０が、照明装置ハウジング２０に対して所定の角度だけ旋回した際に、磁石の磁界を検出する。所定の角度は、約６０度〜約９０度の範囲内にある場合があるか、約８５度〜約９０度の範囲内にある場合がある。磁界検出器ＨＳは、ホール効果センサまたはリードスイッチを含む場合がある。照明装置ハウジング２０は、照明装置ハウジング２０の端部に取り付けられ、照明装置ハウジング２０に沿って実質的に長手方向に延びる細長いクリップ５０、または、照明装置ハウジング２０の端部に取り付けられ、照明装置ハウジング２０に沿って実質的に長手方向に延びる細長いクリップ５０であって、実質的に長手軸周りに回転するように構成されている細長いクリップ５０をさらに含む場合がある。携帯用照明装置１０は、細長いクリップ５０に取り付けられるように構成された付属部品６０、６０'、６０Ａ、６０Ｂ、６０Ｃをさらに含む場合がある。細長いクリップ５０は、比較的幅広の部分と、比較的幅の狭い遠位端部とを有する場合があり、細長いクリップ５０の比較的幅広の部分は、着脱自在に付属部品と係合する。付属部品６０、６０'、６０Ａ、６０Ｂ、６０Ｃは、装着ブラケット、アンビルおよび一対のネジを含む装着ブラケット、バネで付勢された爪部、磁石、ハンガー、ゲート状の開口部を有するハンガー、またはこれらの組合せを含む場合がある。付属部品６０、６０'、６０Ａ、６０Ｂ、６０Ｃは、細長いクリップ５０の切り欠き部と係合するように構成された、バネで付勢された爪部を含む場合があり、または、付属部品６０、６０'、６０Ａ、６０Ｂ、６０Ｃは、照明装置ハウジング２０のリッジ部および／または溝と相補的かつ、係合するように構成された１若しくはそれ以上のリッジ部および／または溝を有する場合があり、それにより、付属部品６０、６０'、６０Ａ、６０Ｂ、６０Ｃが、細長いクリップ���０上に保持されるように構成されている。携帯用照明装置１０は、照明装置ハウジング２０に隣接するとともにこの照明装置ハウジング２０に沿って、かつ、長手軸に対して実質的に平行に延びる細長いクリップ５０と、径方向に押圧された際に電気スイッチ２２、２０８を作動させるプッシュボタン式アクチュエータ２２と、をさらに含む場合があり、プッシュボタン式アクチュエータ２２は、照明装置ハウジング２０の外面上において細長いクリップ５０に対して実質的に正反対の位置に配置されている。携帯用照明装置１０は、照明装置ハウジング２０に、照明光源４３の近位に取り付けられたハンガーリング３４'Ｒ、または、照明光源４３の近位の照明装置ハウジング２０に取り付けられ、照明装置ハウジング２０に隣接して格納され、かつ、照明装置ハウジング２０から離れる方向に配置されるように構成された、ハンガーリング３４'Ｒをさらに含む場合がある。照明光源は、内部全反射型光学素子４２Ｓ、または、発光ダイオードに隣接する、実質的に平面な前面および実質的に円筒状の凹部を有する内部全反射型光学素子４２Ｓを含む場合がある。
【０１２８】
携帯用照明装置は、前方端部、後方端部、および、前方端部と後方端部との間の長手軸を規定する照明装置ハウジング２０であって、第１のハウジング３０、ならびに、長手軸および第１のハウジング３０に対して旋回自在な照明装置ヘッド部４０を含む照明装置ハウジング２０と、第１のハウジング３０に隣接するとともに第１のハウジング３０に沿って、かつ、長手軸に対して実質的に平行に延びる細長いクリップ５０であって、中心位置に対する所定の径方向角度にわたって第１のハウジング３０および長手軸周りに回転自在である、細長いクリップ５０と、照明装置ヘッド部４０内にあり、照明装置ハウジング２０の前方端部から外側に光を向けるために選択的に通電可能な照明光源４３と、照明装置ハウジング２０の後方端部から外側に光を向けるために選択的に通電可能な第２の光源２６、Ｌ１、Ｌ２、照明光源４３、または第２の光源２６、Ｌ１、Ｌ２、若しくは照明光源４３および第２の光源２６、Ｌ１、Ｌ２の双方に選択的に通電して光を生成するための電気スイッチ２２、２０８と、径方向に押圧された際に電気スイッチ２２、２０８を作動させるプッシュボタン式アクチュエータ２２と、を含む場合があり、プッシュボタン式アクチュエータ２２は、第１のハウジング３０の外面上において細長いクリップ５０の中心位置に対して実質的に正反対の位置に配置されている。第２の光源２６、Ｌ１、Ｌ２は、第１の光を選択的に生成するように構成された第１の光生成要素Ｌ１、Ｌ２と、第２の光を選択的に生成するように構成された第２の光生成要素Ｌ１、Ｌ２と、第１の光生成要素Ｌ１、Ｌ２によって生成された第１の光、および、第２の光生成要素Ｌ１、Ｌ２によって生成された第２の光を受光するように構成され、第１の光および第２の光を、後方にかつ照明装置ハウジング２０によって規定され軸に対して実質的に平行な方向に向けるように構成された、光学素子２６、２６Ｒ、２６ＲＯと、を含む場合がある。携帯用照明装置１０であって、照明装置ヘッド部４０が照明装置ハウジング２０に対して所定の角度よりもより大きい角度だけ旋回するにより、第１の光生成要素Ｌ１、Ｌ２、第２の光生成要素Ｌ１、Ｌ２、または第１の光生成要素Ｌ１、Ｌ２および第２の光生成要素Ｌ１、Ｌ２の双方に選択的に通電および／または通電停止される。携帯用照明装置１０であって、所定の角度が、約６０度〜約９０度の範囲内にあり、または約８５度〜約９０度の範囲内にある。携帯用照明装置１０は、照明装置ヘッド部４０および第１のハウジング３０のうちの一方によって支持された磁石と、照明装置ヘッド部４０および第１のハウジング３０のうちの他方によって支持された磁界検出器ＨＳとをさらに含む場合があり、検出器ＨＳは、照明装置ヘッド部４０が、第１のハウジング３０に対して所定の角度だけ旋回した際に、磁石の磁界を検出する。所定の角度は、約６０度〜約９０度の範囲内にある場合があるか、約８５度〜約９０度の範囲内にある場合がある。磁界検出器ＨＳは、ホール効果センサまたはリードスイッチを含む場合がある。光学素子２６、２６Ｒ、２６ＲＯは、光を、照明装置ハウジング２０の後方端部から外側に、長手軸方向に対して実質的に平行な軸に沿って向けるように構成された反射器をさらに含む場合があり、第１の光生成要素Ｌ１、Ｌ２は、光を、反射器によって規定された軸に対して実質的に平行に向けるように構成されており、第２の光生成要素Ｌ１、Ｌ２は、光を、反射器によって規定された軸に対して実質的に横断方向に向けるように構成されており、反射器は、第２の照明装置要素からの光を、反射器によって規定された軸に対して実質的に平行に向ける。携帯用照明装置１０は、電子回路基板２００をさらに含む場合があり、第１の光生成要素Ｌ１、Ｌ２は、電子回路基板２００の表面に装着され、電子回路基板２００の表面に対して実質的に平行、かつ、反射器によって規定される軸に対して実質的に平行に光を向けるように構成され、第２の光生成要素Ｌ１、Ｌ２は、電子回路基板２００の表面に装着され、電子回路基板２００の表面に対して実質的に横断方向に光を向けるように構成され、反射器は、放物線状表面の一部を画成する反射面を有し、この放物線状表面が、放物線の軸、および、放物線の軸上の焦点を規定し、反射器は、その基端部において開口しているものであり、反射器は、電子回路基板２００に隣接して配置されており、それにより、放物線の軸が、電子回路基板２００の表面に対して実質的に平行となるものであり、第１の光生成要素Ｌ１、Ｌ２は、反射器の基部の開口部を通して光を向け、第２の光生成要素Ｌ１、Ｌ２が、反射器の放物線状表面の実質的に焦点位置に配置されるようになっている。携帯用照明装置１０は、レンズ２６、２６Ｇであって、第１の光生成要素Ｌ１、Ｌ２によって生成された光、および、第２の光生成要素Ｌ１、Ｌ２によって生成された光が、レンズ２６、２６Ｇを通過するように、反射器に隣接して配置されている、レンズ２６、２６Ｇ、または、フレネルレンズ２６Ｇであって、第１の光生成要素Ｌ１、Ｌ２によって生成された光、および、第２の光生成要素Ｌ１、Ｌ２によって生成された光が、フレネルレンズ２６Ｇを通過するように、反射器に隣接して配置されている、フレネルレンズ２６Ｇをさらに含む場合がある。光学素子２６、２６Ｒ、２６ＲＯは、光を、照明装置ハウジング２０の後方端部から外側に、長手軸方向に対して実質的に平行な軸に沿って向けるように構成された反射器と、光を、照明装置ハウジング２０の後方端部から外側に向けるように構成され、長手軸の方向に対して実質的に平行な軸を有するライトパイプと、を含む場合があり、第１の光生成要素Ｌ１、Ｌ２は、光をライトパイプ内に入射するように方向付けるものであり、第２の光生成要素Ｌ１、Ｌ２は、光を、反射器によって規定された軸に対して実質的に横断方向に向けるように構成されており、反射器は、第２の照明装置要素からの光を、反射器によって規定された軸に対して実質的に平行に向ける。携帯用照明装置１０は、電子回路基板２００をさらに含む場合があり、第１の光生成要素Ｌ１、Ｌ２は、電子回路基板２００の表面に装着され、光をライトパイプ内に入射するように方向付けるものであり、第２の光生成要素Ｌ１、Ｌ２は、電子回路基板２００の表面に装着され、電子回路基板２００の表面に対して実質的に横断方向に光を向けるものであり、反射器は、放物線状表面の一部を画成する反射面を有し、この放物線状表面は、放物線の軸、および、放物線の軸上の焦点を規定し、反射器は、電子回路基板２００に隣接して配置されており、それにより、放物線の軸が、電子回路基板２００の表面に対して実質的に平行となるものであり、第２の光生成要素Ｌ１、Ｌ２が、反射器の放物線状表面の実質的に焦点位置に配置されるようになっている。携帯用照明装置１０は、レンズ２６、２６Ｇであって、第１の光生成要素Ｌ１、Ｌ２によって生成された光、および、第２の光生成要素Ｌ１、Ｌ２によって生成された光が、レンズ２６、２６Ｇを通過するように、反射器に隣接して配置されている、レンズ２６、２６Ｇ、または、フレネルレンズ２６Ｇであって、第１の光生成要素Ｌ１、Ｌ２によって生成された光、および、第２の光生成要素Ｌ１、Ｌ２によって生成された光が、フレネルレンズ２６Ｇを通過するように、反射器に隣接して配置されている、フレネルレンズ２６Ｇをさらに含む場合がある。光学素子２６、２６Ｒ、２６ＲＯは、内部反射する固体光学素子を含む場合があり、当該固体光学素子は第１の入力面および第２の入力面でそれぞれ受光した光を、照明装置ハウジング２０の後方端部に近位にある出力面から外側に、長手軸方向に対して実質的に平行な軸に沿って向けるように構成されており、第１の光生成要素Ｌ１、Ｌ２は、第１の光を内部反射する固体光学素子の第１の入力面内に入射するように方向付けるものであり、第２の光生成要素Ｌ１、Ｌ２は、第２の光を内部反射する固体光学素子の第２の入力面内に入射するように方向付ける。携帯用照明装置１０は、電子回路基板２００をさらに含む場合があり、電子回路基板２００の表面に装着され、第１の光生成要素Ｌ１、Ｌ２は、第１の光を内部反射する固体光学素子の第１の入力面内に入射するように方向付けるものであり、第２の光生成要素Ｌ１、Ｌ２は、電子回路基板２００の表面に装着され、第２の光を内部反射する固体光学素子の第２の入力面内に入射するように方向付ける。内部反射する固体光学素子の出力面は、実質的に平面を規定する場合があるか、曲面を規定するか、フレネルレンズ２６Ｇを規定する。携帯用照明装置１０は、細長いクリップ５０に取り付けられるように構成された付属部品をさらに含む場合があり、それにより、細長いクリップ５０と付属部品とが、実質的に長手軸周りに、ともに回転するように構成されている。細長いクリップ５０は、比較的幅広の部分と、比較的幅の狭い遠位端部とを有する場合があり、細長いクリップ５０の比較的幅広の部分は、着脱自在に付属部品６０、６０'、６０Ａ、６０Ｂ、６０Ｃと係合する。付属部品６０、６０'、６０Ａ、６０Ｂ、６０Ｃは、装着ブラケット、アンビルおよび一対のネジを含む装着ブラケット、バネで付勢された爪部、磁石、ハンガー、ゲート状の開口部を有するハンガー、またはこれらの組合せを含む場合がある。付属部品６０、６０'、６０Ａ、６０Ｂ、６０Ｃは、細長いクリップの切り欠き部と係合するように構成された、バネで付勢された爪部を含む場合があり、または、付属部品６０、６０'、６０Ａ、６０Ｂ、６０Ｃは、照明装置ハウジングのリッジ部および／または溝と相補的かつ、係合するように構成された１若しくはそれ以上のリッジ部および／または溝��有する場合があり、それにより、付属部品が、細長いクリップ上に保持されるように構成されている。携帯用照明装置１０は、径方向に押圧された際に電気スイッチ２２、２０８を作動させるプッシュボタン式アクチュエータ２２をさらに含む場合があり、プッシュボタン式アクチュエータ２２は、第１のハウジング３０の外面上において細長いクリップ５０に対して実質的に正反対の位置に配置されている。携帯用照明装置１０は、照明装置ハウジング２０に、照明光源４３の近位に取り付けられたハンガーリング３４'Ｒ、または、照明光源４３の近位の照明装置ハウジング２０に取り付けられ、照明装置ハウジング２０に隣接して格納され、かつ、照明装置ハウジング２０から離れる方向に配置されるように構成された、ハンガーリング３４'Ｒをさらに含む場合がある。照明光源４３は、内部全反射型光学素子４３Ｓ、または、発光ダイオードに隣接する、実質的に平面な前面および実質的に円筒状の凹部を有する内部全反射型光学素子４３Ｓを含む場合がある。
【０１２９】
本明細書で使用される場合、「ａｂｏｕｔ」との用語は、寸法、サイズ、配合、パラメータ、形状、ならびに、他の品質および特性が、厳格ではなく、厳格である必要がないが、おおよそのもの、および／または、大であるか小であるか、所望である場合は、公差、換算係数、丸め操作、測定誤差など、ならびに、当業者に既知である他の要素を反映する場合がある。概して、寸法、サイズ、配合、パラメータ、形状、または他の品質もしくは特性は、そのように明確に述べられているか否かに関わらず、「ａｂｏｕｔ」であるか「ａｐｐｒｏｘｉｍａｔｅ」である。大きく異なるサイズ、形状、および寸法の実施形態は、記載の装置を採用する場合がある。
【０１３０】
「ｆｒｏｎｔ」、「ｂａｃｋ」、「ｒｅａｒ」、「ｓｉｄｅ」、「ｅｎｄ」、「ｔｏｐ」、「ｂｏｔｔｏｍ」、「ｕｐ」、「ｄｏｗｎ」、「ｌｅｆｔ」、「ｒｉｇｈｔ」、「ｕｐｗａｒｄ」、「ｄｏｗｎｗａｒｄ」、「ｆｏｒｗａｒｄ」、「ｂａｃｋｗａｒｄ」、「ｒｅａｒｗａｒｄ」、「ｕｎｄｅｒ」、および／または、「ｏｖｅｒ」、「ｖｅｒｔｉｃａｌ」、「ｈｏｒｉｚｏｎｔａｌ」などの用語が、本明細書において、１若しくはそれ以上の実施形態を記載する際に便宜的に使用される場合があり、かつ／または、本装置を使用するが、記載の物品は、任意の所望の向きに配置される場合があり、かつ／または任意の所望の位置および／もしくは向きで利用される場合がある。そのような位置および／または向きの用語は、もっぱら便宜的目的のためのものとして理解されるものとし、請求される本発明を限定するものではない。
【０１３１】
本明細書で使用される場合、「ａｎｄ／ｏｒ」との用語は、結合した場合と、分離した場合との双方を包含し、それにより、「Ａ  ａｎｄ／ｏｒ  Ｂ」の形態のフレーズが、「Ａ」または「Ｂ」または「Ａ  ａｎｄ  Ｂ」を包含するようになっている。さらに、１若しくはそれ以上の要素の「ａｔ  ｌｅａｓｔ  ｏｎｅ  ｏｆ」との用語は、それら要素のいずれか１つと、それら要素のいずれか２つ以上と、それら要素すべてにわたり、すべてを含む、それら要素の２つ以上との、１つを含むことが意図されており、そうして、たとえば、「ａｔ  ｌｅａｓｔ  ｏｎｅ  ｏｆ  Ａ，  Ｂ  ａｎｄ  Ｃ」との形態のフレーズは、「Ａ」、「Ｂ」、「Ｃ」、「Ａ  ａｎｄ  Ｂ」、「Ａ  ａｎｄ  Ｃ」、「Ｂ  ａｎｄ  Ｃ」、および「Ａ  ａｎｄ  Ｂ  ａｎｄ  Ｃ」を含むようになっている。
【０１３２】
本明細書で使用される固定手段は、たとえば、ボルト、ネジ、および駆動固定手段などのネジ式固定手段、ならびに、ピン、リベット、釘、スパイク、返し付き固定手段、クリップ５０ｓ、クランプ、ナット、スピードナット、キャップナット、エィコーンナットなどを含む、記載の用途に適切である場合がある、任意の固定手段または他の固定デバイスを含むことができる。固定手段が、本明細書に記載の例示的実施形態の通常の用途において取外し可能であることが明らかである場合、取外し可能な固定手段がそのような例に好ましい。固定手段は、適切である場合は、たとえばハンマーで打たれるか熱成型された、成型ヘッド、たとえば熱溶接または超音波溶接などの溶接、ろう付け、および接着材などの、固定の他の形態をも含むことができる。
【０１３３】
たとえば、組立て操作などのプロセスまたは方法または操作の、様々な操作、ステップ、および／または要素が、ある順番またはシークエンスで記載される場合があるが、操作、ステップ、および／または要素は、特定の順番またはシークエンスが必要であると明確に述べられていない限り、その順番もしくはシークエンス、または、任意の特定の順番またはシークエンスで実施される必要はない。
【０１３４】
ＤＣコンバータとの用語は、本明細書では、入力において、１つの電圧および電流レベルで電力を受光し、出力において、異なる電圧および／または電流レベルでＤＣ電力を提供する、任意の電子回路を言及するために使用される。例には、ＤＣ−ＤＣコンバータ、ＡＣ−ＤＣコンバータ、ブーストコンバータ、バックコンバータ、バック−ブーストコンバータ、ｓｉｎｇｌｅ−ｅｎｄｅｄ  ｐｒｉｍａｒｙ−ｉｎｄｕｃｔｏｒコンバータ（ＳＥＰＩＣ）、一連の調整要素、電流レベル調整器などを含むことができる。これらコンバータの入力および出力は、たとえばトランスおよび／またはキャパシタによるものなど、ＤＣ結合され、かつ／または、ＡＣ結合されてもよい。ＤＣコンバータは、たとえばその出力において、電圧および／または電流レベルを調整するための回路を含んでもよく、含まなくてもよく、また、異なる電圧および／もしくは電流レベルにおいて、ならびに／または、たとえばＡＣもしくはＤＣなどの異なる形態で、電力を提供する１若しくはそれ以上の出力を有することができる。
【０１３５】
バッテリとの用語は、１若しくはそれ以上の電気化学セルおよび／または燃料電池を含む電気化学デバイスに言及するために本明細書で使用され、そのため、バッテリは、個別のユニットとしてか、パッケージングされたユニットとして、単一のセルか複数のセルを含むことができる。バッテリは、携帯用デバイスか他のデバイスに適切な電力源のタイプの一例である。そのようなデバイスは、これに限定されるものではないが、燃料電池、スーパーキャパシタ、太陽電池などを含む電力源を含むことができる。前述のいずれも、使い捨てか、再充電可能であるか、またはその双方が意図される場合がある。
【０１３６】
バッテリの様々な実施形態には、任意の特定のデバイスに適切であると思われる場合に、たとえば、１つ、２つ、３つ、４つ、または５つ以上のバッテリセルなどの、１若しくはそれ以上のバッテリセルを有することができる。バッテリは、特定のデバイスのための所望の作動時間および／または耐用年数を提供するために適切なセル数およびセル容量の、たとえば、炭素−亜鉛、アルカリ、鉛、ニッケル−カドミウム（Ｎｉ−Ｃｄ）、ニッケル水素（ＮｉＭＨ）、リチウム（Ｌｉｔｈｉｕｍ−Ｉｏｎ）またはリチウムイオン（Ｌｉ−Ｉｏｎ）バッテリのタイプの、様々なタイプおよび種類のバッテリの化学物質のタイプを採用することができ、また、使い捨てか、再充電可能であるか、またはその双方が意図される場合がある。例には、通常は約６ボルトを提供する５つのセルのＮｉ−Ｃｄバッテリ、通常は約６ボルトを提供する５つのセルのＮｉＭＨバッテリ、通常は約６ボルトを提供するＬｉ−Ｉｏｎバッテリ、または、通常は約６ボルトを提供する２つのセルのＬｉ−Ｉｏｎバッテリ、または、約６ボルトを提供する４つのセルのアルカリバッテリが含まれる場合がある。これらバッテリによって提供される電圧は、フル充電に近い状態でより高く、特に、より高い電流を提供する場合、および、低い充電レベルに達し、たとえば、放電された状態となる場合、放電された状態でより低くなることに留意されたい。
【０１３７】
上述の例示的バッテリは、たとえば、ＡＡまたはＡＡＡまたはＣＲ−１２３のサイズなどの、標準的なサイズのセルの形態であるか、特定のサイズおよび形状ならびに／もしくはコンタクト構成を有するため、かつ／または、利便性のために、単一のパッケージにパッケージングすることができる。図示の照明装置ハウジング２０が、たとえば、単一のＣＲ−１２３セル、または２つのＡＡもしくはＣＲ−１２３セル、または再充電可能な１８６５０バッテリなど、特定の例示的バッテリのように構成されているが、照明装置ハウジング２０の直径および長さは、１若しくはそれ以上の例示的バッテリを収容するように構成することができ、また、端と端を接続する構成で２つ以上のバッテリを収容するように延長されるか、並んでいる構成で２つ以上のバッテリを収容するように幅広にされているか、これらの組合せとすることができる。
【０１３８】
本明細書で使用される場合、「ｃｏｎｎｅｃｔｅｄ」および「ｃｏｕｐｌｅｄ」、ならびにこれらの変形は、厳格な同意語を意図していないが、いくつかの類似のもの、および、いくつかの異なるものを包含することが意図されている。「ｃｏｎｎｅｃｔｅｄ」との用語は、概して、互いに対する直接の電気的および／または物理的接触を有する要素に言及するために使用される場合がある。一方、「ｃｏｕｐｌｅｄ」との用語は、概して、互いに協同および／または相互作用するように、たとえば１若しくはそれ以上の中間の要素を介して、互いとの間接的な電気的および／または物理的接触を有する要素に言及するために使用される場合があり、かつ、直接接触する要素も含む場合がある。
【０１３９】
本発明が上述の例示的実施形態に関して記載されてきたが、添付の特許請求の範囲によって規定される本発明の範囲および精神の中の変形形態は、当業者には明らかとなるであろう。たとえば、セーフティビーコンおよび放射状のビームを生成するＬＥＤ  Ｌ１、Ｌ２は、記載のように、それぞれ青と白であってもよく、または、たとえば、ナイトビジョンのための赤、意図した観測者以外には位置が見えないＩＲなど、任意の所望の色であってもよい。
【０１４０】
照明装置ヘッド部４０のＬＥＤ  Ｌ１およびＬ２のスイッチのオンオフは、照明装置ヘッド部４０が上方に（クリップ５０が配置されたハウジング３０の側部から離れるように）、ホール効果検出器ＨＳを磁石４０Ｍの磁界内に十分に置くのに十分な角度だけ旋回した際に、好ましくは、照明装置ハウジング３０内のホール効果検出器ＨＳによって検出されるように配置された、たとえば照明装置ハウジング３０内の回路基板２００上に配置された、照明装置ヘッド部４０内の磁石４０Ｍによって制御される。しかし、磁石は、ハウジング３０内に配置することができ、また、検出器は、照明装置ヘッド部４０内に配置することができる。磁石４０Ｍまたは検出器ＨＳは、より小である旋回動作角度が望ましい照明装置ヘッド部ハウジング４２のアーム４４によって支持することができる。さらに、磁石の磁界は、たとえばリードスイッチなど、任意の適切な磁界検出器によって検出することができる。
【０１４１】
さらに、ＬＥＤ４３、Ｌ１、Ｌ２のいずれか１つまたは双方は、任意の所望の色の光を生成するか、異なる色および／または輝度の複数のＬＥＤを含むパッケージングされたＬＥＤである場合があり、それにより、ユーザが、色または複数の色を選択可能であり、かつ／または、ユーザが、輝度レベルを選択可能であるようになっている。さらに、２つ（またはそれより多く）の光生成要素を有する光源のいずれかとともに採用される光学素子２６Ｒは、１若しくはそれ以上の反射器、ミラー、固体光学素子、もしくは任意の他の適切な光学素子、またはそれらの組合せを含むことができ、かつ、フラットであるか、実質的にフラットであるか、湾曲しているか、放物線状であるか、双曲線状であるか、他の適切な形状であるか、それらの組合せを有することができる。
【０１４２】
さらに、ＬＥＤ  Ｌ１またはＬ２または双方は、照明装置１０に採用される場合があり、照明装置１０の様々なバージョンが、異なる輝度レベルおよび／または異なる色のＬＥＤ  Ｌ１およびＬ２を採用することができる。たとえば、消防士によって使用されるための照明装置１０は、通常、青い後方を向いた光源、たとえばＬＥＤ  Ｌ１またはＬ２を有する。この光源は、前方を向いた光源４３とは別々に制御可能であるか、別々に制御可能ではない場合があり、また、第２の後方を向いた光源を採用するか、採用しない場合がある。消防士の照明装置１０は、通常は、後方を向いた白色光源、たとえば、記載したホール検出器ＨＳによって動作するＬＥＤ  Ｌ１またはＬ２をも含んでいる。別のバージョンは、前方に向いた光源ＬＥＤ４３に加え、白色の後方を向いた光源、たとえば、ＬＥＤ  Ｌ１またはＬ２のみを採用することができる。この光源は、好ましくは、記載のホール検出器ＨＳによって通電されるか通電停止される。
【０１４３】
照明装置１０は、好ましくは、たとえば、オフ、一時的にオン、継続的にオン、明滅、フラッシュ、ストロボ、淡色表示であるか、淡色表示ではないなど、動作モードを選択するための、電子制御回路を含んでいる。様々なモードの選択は、作動の所定のタイミングおよび／またはシークエンスにしたがって、アクチュエータ２２を１回または複数回押して離すことによって達成することができる。
【０１４４】
そのような制御には、ユーザが望む場合に、後方を向いた光源のＬＥＤ  Ｌ１および／またはＬ２を一時的に動かなくするため、および、後方を向いた光源を再び動かすためのモードを含むことができる。１つの例示的照明装置１０では、後方を向いた光源を動かなくすることと、再び動かすこととの各々は、少なくとも約２秒間アクチュエータ２２を押圧することによって作動する。
【０１４５】
記載の例示的な反射光学素子のいずれかは、例示的な固体の光学素子のいずれかと相互に交換することができること、および、記載の例示的な固体の光学素子のいずれかが、例示的な反射光学素子のいずれかと相互に交換することができ、それら例示的要素はすべて、所望であると思われる場合のように、照明装置１０の任意の実施形態で利用できることに留意されたい。同様に、例示的クリップと、例示的ブラケットと、記載の、それらの代替的実施形態とのいずれかは、所望であると思われる場合に、照明装置１０の任意の実施形態で利用することができる。
【０１４６】
さらに、装着ブラケット６０、６０'は、その基部６４と、溝６７を規定する延長アーム６６とを、照明装置ヘッド部４０によって生成された光の向きにおけるさらなる自由度を提供するように、そのクランプ部材６２に対して回転自在である、１つのピースとして有することができる。別の例示的実施形態では、ブラケット６０、６０'は、クリップ５０、５０'、５０''に取り付けること、または、別様に、照明装置ハウジング２０に装着することにより、照明装置ハウジング２０に恒久的に取り付けることができる。クリップ５０は、たとえば切り欠き部または突起がない、平滑な縁部を有することができる。クリップ５０は、特定の意図される用途に関して適切および／または好都合である任意の幅および／または長さを有することができる。
【０１４７】
特定の特徴が、たとえばリッジ部、ボス、フランジ、突起、または他の立ち上がった特徴などの、立ち上がった特徴として記載される場合があるが、そのような特徴は、積極的に形成することができるか、たとえば、溝、スロット、穴、窪み、凹部、または他の凹状の特徴などの凹状の特徴が形成された後に残ったものであってもよい。同様に、特定の特徴が、たとえば、溝、スロット、穴、窪み、凹部、または他の凹状の特徴などの凹状の特徴として記載される場合があるが、そのような特徴は、積極的に形成することができるか、たとえばリッジ部、ボス、フランジ、突起、または他の立ち上がった特徴などの、立ち上がった特徴が形成された後に残ったものであってもよい。
【０１４８】
内部の開口部を閉じるように付勢されたゲート６８Ｇを伴うか伴わない、ハンガーおよびホック６８に類似のハンガーおよびホックには、ハンガーおよびホックに固定されているか、リングまたはスイベルのコネクタによって接続されている、キャップ２４を設けることができる。
【０１４９】
本明細書で識別される、米国仮出願、米国特許出願、および／または米国特許の各々は、これにより、任意の目的のため、および、その参照が本明細書でどのように参照されるか記載される場合があるかに関係ないすべての目的のために、その全体が参照することによって本明細書に組み込まれる。
【０１５０】
最後に、論じられる数値は通常の値であるか例示的値であり、値を限定せず、実質的に大である値および／または実質的に小である値を除外しない。任意の所与の実施形態における値は、述べられている、例示的であるか通常の値よりも実質的に大であってもよく、かつ／または、実質的に小であってもよい。
【図１Ａ】
2019511098.tif 000003
【図１Ｂ】
2019511098.tif 000004
【図１Ｃ】
2019511098.tif 000005
【図１Ｄ】
2019511098.tif 000006
【図２Ａ】
2019511098.tif 000007
【図２Ｂ】
2019511098.tif 000008
【図２Ｃ】
2019511098.tif 000009
【図２Ｄ】
2019511098.tif 000010
【図３Ａ】
2019511098.tif 000011
【図３Ｂ】
2019511098.tif 000012
【図３Ｃ】
2019511098.tif 000013
【図３Ｄ】
2019511098.tif 000014
【図３Ｅ】
2019511098.tif 000015
【図４Ａ】
2019511098.tif 000016
【図４Ｂ】
2019511098.tif 000017
【図４Ｃ】
2019511098.tif 000018
【図４Ｄ】
2019511098.tif 000019
【図４Ｅ】
2019511098.tif 000020
【図４Ｆ】
2019511098.tif 000021
【図５Ａ】
2019511098.tif 000022
【図５Ｂ】
2019511098.tif 000023
【図５Ｃ】
2019511098.tif 000024
【図５Ｄ】
2019511098.tif 000025
【図５Ｅ】
2019511098.tif 000026
【図６Ａ】
2019511098.tif 000027
【図６Ｂ】
2019511098.tif 000028
【図６Ｃ】
2019511098.tif 000029
【図６Ｄ】
2019511098.tif 000030
【図７Ａ】
2019511098.tif 000031
【図７Ｂ】
2019511098.tif 000032
【図７Ｃ】
2019511098.tif 000033
【図７Ｄ】
2019511098.tif 000034
【図７Ｅ】
2019511098.tif 000035
【図７Ｆ】
2019511098.tif 000036
【図７Ｇ】
2019511098.tif 000037
【図８−１】
2019511098.tif 000038
【図８−２】
2019511098.tif 000039
【図９Ａ−Ｅ】
2019511098.tif 000040
【図９Ｆ−Ｊ】
2019511098.tif 000041
【図１０Ａ】
2019511098.tif 000042
【図１０Ｂ】
2019511098.tif 000043
【図１０Ｃ】
2019511098.tif 000044
【図１０Ｄ】
2019511098.tif 000045
【図１１Ａ】
2019511098.tif 000046
【図１１Ｂ】
2019511098.tif 000047
【図１２】
2019511098.tif 000048
【図１２Ａ】
2019511098.tif 000049
【図１２Ｂ】
2019511098.tif 000050
【図１２Ｃ】
2019511098.tif 000051
【図１３】
2019511098.tif 000052
【国際調査報告】
2019511098.tif 000053
2019511098.tif 000054
2019511098.tif 000055